(57)【特許請求の範囲】
【請求項１】
表示面を有する表示デバイスと、
前記表示デバイスの前記表示面から出射した光が直接的又は間接的に入射し、入射した光を観察者の目に向かって反射する最終反射部材を少なくとも含む反射光学系と、
前記表示デバイスと前記反射光学系とを保持する筐体と、
前記最終反射部材への入射光、又は、前記最終反射部材での反射光の少なくとも一部を遮蔽する遮蔽状態と、前記遮蔽状態を解除する解除状態とのいずれかの状態で前記筐体に保持される遮光部材と、を備え、
前記遮蔽状態では、前記遮光部材が、前記筐体に入射する外光を前記観察者の目に向かって反射し、
前記筐体は、前記遮蔽状態及び前記解除状態のいずれの状態でも前記遮光部材を保持する保持構造を有しており、
前記反射光学系は、ハーフミラーを更に含み、
前記表示デバイスの前記表示面から出射した光は前記ハーフミラーを介して前記最終反射部材に入射し、前記最終反射部材での反射光は前記ハーフミラーを透過して前記観察者の目に入射する、
表示システム。
【請求項２】
表示面を有する表示デバイスと、
前記表示デバイスの前記表示面から出射した光が直接的又は間接的に入射し、入射した光を観察者の目に向かって反射する最終反射部材を少なくとも含む反射光学系と、
前記表示デバイスと前記反射光学系とを保持する筐体と、
前記最終反射部材への入射光、又は、前記最終反射部材での反射光の少なくとも一部を遮蔽する遮蔽状態と、前記遮蔽状態を解除する解除状態とのいずれかの状態で前記筐体に保持される遮光部材と、を備え、
前記遮蔽状態では、前記遮光部材が、前記筐体に入射する外光を前記観察者の目に向かって反射し、
前記筐体は、前記遮蔽状態及び前記解除状態のいずれの状態でも前記遮光部材を保持する保持構造を有しており、
前記筐体には、前記遮光部材として、一方の面が反射面である板状のミラー部材が設けられ、
前記ミラー部材の状態は、前記ミラー部材のスライド動作と回転動作によって、第１状態と第２状態とのいずれかに切り替えられ、
前記第１状態は、前記最終反射部材から前記観察者の目に入射する光の光路外の第１位置に前記ミラー部材が配置される前記解除状態であり、
前記第２状態は、前記最終反射部材と前記観察者との間の第２位置に前記反射面を前記観察者に向けた状態で前記ミラー部材が配置され、前記筐体の外部からの光を前記反射面で反射した反射像を前記観察者の目に表示させる前記遮蔽状態である、
表示システム。
【請求項３】
前記反射光学系は、ハーフミラーを更に含み、
前記表示デバイスの前記表示面から出射した光は前記ハーフミラーを介して前記最終反射部材に入射し、前記最終反射部材での反射光は前記ハーフミラーを透過して前記観察者の目に入射する、
請求項２に記載の表示システム。
【請求項４】
前記ミラー部材において、前記反射面と反対側の面は、少なくとも可視光領域の光の反射率が前記反射面よりも低い遮光面であり、
前記第１状態は、前記ミラー部材の前記遮光面が前記ハーフミラーと対向する状態である、
請求項３に記載の表示システム。
【請求項５】
前記遮光面は、少なくとも可視光領域の光の吸収と散乱の少なくとも一方を行う、
請求項４に記載の表示システム。
【請求項６】
前記反射光学系が、前記表示デバイスの前記表示面から出射した光を前記ハーフミラーに向かって反射する中間反射部材を更に含む、
請求項３〜５のいずれか１項に記載の表示システム。
【請求項７】
前記表示デバイスは液晶パネルを有し、
前記表示面には、入射光と出射光との間に電界振動方向において４分の１波長の位相差を発生させる第１のλ／４位相差フィルムが設けられており、
前記ハーフミラーは、所定の振動方向の光を透過する反射型偏光フィルムと、前記ハーフミラーにおける入射光と出射光との間に電界振動方向において４分の１波長の位相差を発生させる第２のλ／４位相差フィルムと、の積層構造を有する、
請求項３〜６のいずれか１項に記載の表示システム。
【請求項８】
前記保持構造は、
前記筐体と前記ミラー部材との一方に設けられた突起と、
前記筐体と前記ミラー部材との他方に設けられて、前記突起が挿入されるガイド溝と、を含み、
前記ガイド溝の内部で前記突起の位置が変化することによって、前記ミラー部材の状態が前記第１状態と前記第２状態とのいずれかに切り替えられる、
請求項２〜７のいずれか１項に記載の表示システム。
【請求項９】
前記保持構造は、前記ガイド溝に挿入され前記ガイド溝に沿ってスライド移動するガイド部材を、更に含み、
前記ガイド部材に前記突起が回転可能な状態で支持されている、
請求項８に記載の表示システム。
【請求項１０】
前記ミラー部材の状態を、前記第１状態及び前記第２状態のそれぞれで保持する状態保持部材を更に備える、
請求項２〜８のいずれか１項に記載の表示システム。
【請求項１１】
前記状態保持部材は、前記ミラー部材と前記筐体との少なくとも一方に設けられた磁石を含み、
前記ミラー部材の状態が、前記磁石の磁力によって、前記第１状態及び前記第２状態のそれぞれで保持される、
請求項１０に記載の表示システム。
【請求項１２】
前記磁石は電磁石である、
請求項１１に記載の表示システム。
【請求項１３】
前記状態保持部材は、前記筐体と前記ミラー部材との一方に設けられたボールプランジャを含み、
前記筐体と前記ミラー部材との他方には、前記ボールプランジャのボール部が挿入される受け穴が設けられ、
前記ミラー部材の状態が、前記ボール部が前記受け穴に挿入されることによって、前記第１状態及び前記第２状態のそれぞれで保持される、
請求項１０に記載の表示システム。
【請求項１４】
前記ミラー部材の状態を前記第１状態と前記第２状態とのいずれかに手動で切り替えるための操作部を更に備える、
請求項２〜１３のいずれか１項に記載の表示システム。
【請求項１５】
前記操作部を用いて前記ミラー部材が前記第１位置から動かされると、前記ミラー部材の状態が、前記ミラー部材の自重によって前記第１状態から前記第２状態に切り替わる、
請求項１４に記載の表示システム。
【請求項１６】
前記ミラー部材を前記第１位置と前記第２位置との間で移動させるアクチュエータを更に備える、
請求項２〜１５のいずれか１項に記載の表示システム。
【請求項１７】
前記アクチュエータはモータを含み、
前記モータを制御する制御回路は、前記表示デバイスによる表示の異常を示す異常信号が入力されると、前記モータを駆動して前記ミラー部材を前記第１位置から前記第２位置に移動させる、
請求項１６に記載の表示システム。
【請求項１８】
前記表示システムは自動車に搭載され、
前記自動車が走行に関する機能を停止した停止状態において、前記アクチュエータが前記ミラー部材を前記第２位置に移動させる、
請求項１６又は１７に記載の表示システム。
【請求項１９】
表示面を有する表示デバイスと、
前記表示デバイスの前記表示面から出射した光が直接的又は間接的に入射し、入射した光を観察者の目に向かって反射する最終反射部材を少なくとも含む反射光学系と、
前記表示デバイスと前記反射光学系とを保持する筐体と、
前記最終反射部材への入射光、又は、前記最終反射部材での反射光の少なくとも一部を遮蔽する遮蔽状態と、前記遮蔽状態を解除する解除状態とのいずれかの状態で前記筐体に保持される遮光部材と、を備え、
前記遮蔽状態では、前記遮光部材が、前記筐体に入射する外光を前記観察者の目に向かって反射し、
前記筐体は、前記遮蔽状態及び前記解除状態のいずれの状態でも前記遮光部材を保持する保持構造を有しており、
前記筐体には、前記遮光部材として、一方の面が反射面である板状のミラー部材が設けられ、
前記保持構造は、前記最終反射部材を更に保持し、
前記保持構造は、前記最終反射部材及び前記ミラー部材を、前記ミラー部材の反射面と前記最終反射部材の反射面とを互いに反対側に向けた状態で、前記筐体に対して回転可能な状態で保持しており、
前記ミラー部材の反射面の中心点における法線と、前記最終反射部材の反射面の中心点における法線とが非平行である、
表示システム。
【請求項２０】
前記保持構造は、前記筐体に対して回転可能な状態で保持された回転体を含み、
前記回転体に前記最終反射部材と前記ミラー部材とが保持されており、
前記回転体は、前記解除状態では前記観察者に前記最終反射部材の反射面を対向させる第１回転位置に回転し、前記遮蔽状態では前記観察者に前記ミラー部材の反射面を対向させる第２回転位置に回転する、
請求項１９に記載の表示システム。
【請求項２１】
前記回転体は、前記ミラー部材の反射面の中心点における法線と、前記最終反射部材の反射面の中心点における法線とが非平行となる状態で、前記ミラー部材と前記最終反射部材とを保持している、
請求項２０に記載の表示システム。
【請求項２２】
表示面を有する表示デバイスと、
前記表示デバイスの前記表示面から出射した光が直接的又は間接的に入射し、入射した光を観察者の目に向かって反射する最終反射部材を少なくとも含む反射光学系と、
前記表示デバイスと前記反射光学系とを保持する筐体と、
前記最終反射部材への入射光、又は、前記最終反射部材での反射光の少なくとも一部を遮蔽する遮蔽状態と、前記遮蔽状態を解除する解除状態とのいずれかの状態で前記筐体に保持される遮光部材と、を備え、
前記遮蔽状態では、前記遮光部材が、前記筐体に入射する外光を前記観察者の目に向かって反射し、
前記筐体は、前記遮蔽状態及び前記解除状態のいずれの状態でも前記遮光部材を保持する保持構造を有しており、
前記筐体には、前記遮光部材として、一方の面が反射面である板状のミラー部材が設けられ、
前記保持構造は、前記筐体に対して回転可能な状態で保持された回転体を含み、
前記回転体は、前記ミラー部材の反射面と前記最終反射部材の反射面とが互いに反対側を向き、かつ、前記ミラー部材の反射面の中心点における法線と、前記最終反射部材の反射面の中心点における法線とが平行となる状態で、前記ミラー部材と前記最終反射部材とを保持しており、
前記回転体は、前記解除状態では前記観察者に前記最終反射部材の反射面を対向させる第１回転位置に回転し、前記遮蔽状態では前記観察者に前記ミラー部材の反射面を対向させる第２回転位置に回転し、
前記第１回転位置と前記第２回転位置との間で前記回転体が回転する角度が１８０度以外の所定の角度である、
表示システム。
【請求項２３】
前記回転体は、１以上の別のミラー部材を更に保持し、
前記別のミラー部材の反射面の中心点における法線が、前記最終反射部材の反射面の中心点における法線、及び、前記ミラー部材の反射面の中心点における法線の各々に対して非平行である、
請求項２０〜２２のいずれか１項に記載の表示システム。
【請求項２４】
前記回転体は、回転軸の軸方向と交差する断面の形状が四角形である四角柱であり、
前記回転体において、前記回転軸の軸方向に沿う４つの側面には、２つの前記最終反射部材と、２つの前記ミラー部材とが交互に配置されている、
請求項２０〜２２のいずれか１項に記載の表示システム。
【請求項２５】
前記ミラー部材は平面鏡であり、前記ミラー部材に対して光が入射する側に透光性を有する防眩ミラーが配置され、
前記回転体の回転軸の軸方向から見て、前記ミラー部材の反射面の中心点における法線と、前記防眩ミラーの反射面の中心点における法線とが非平行になるように、前記ミラー部材と前記防眩ミラーとが前記回転体に保持されている、
請求項２０〜２４のいずれか１項に記載の表示システム。
【請求項２６】
前記回転体を、前記第１回転位置と前記第２回転位置との間で移動させるアクチュエータを更に備える、
請求項２０〜２５のいずれか１項に記載の表示システム。
【請求項２７】
前記反射光学系は、ハーフミラーを更に含み、
前記表示デバイスの前記表示面から出射した光は前記ハーフミラーを介して前記最終反射部材に入射し、前記最終反射部材での反射光は前記ハーフミラーを透過して前記観察者の目に入射することで映像を表示しており、
前記ハーフミラーは、所定の振動方向の光を透過する反射型偏光フィルムと、前記ハーフミラーにおける入射光と出射光との間に電界振動方向において４分の１波長の位相差を発生させる第１のλ／４位相差フィルムと、の積層構造を有し、
前記筐体には、前記遮光部材として、一方の面が反射面である板状の前記ミラー部材が設けられ、
前記解除状態では、前記最終反射部材から前記観察者の目に入射する光の光路外の第１位置に前記ミラー部材が配置され、
前記遮蔽状態では、前記最終反射部材と前記観察者との間に前記反射面を前記観察者に向けた状態で前記ミラー部材が配置され、
前記ミラー部材の表面に、前記ミラー部材における入射光と出射光との間に電界振動方向において４分の１波長の位相差を発生させる第２のλ／４位相差フィルムが設けられている、
請求項２０〜２６のいずれか１項に記載の表示システム。
【請求項２８】
表示面を有する表示デバイスと、
前記表示デバイスの前記表示面から出射した光が直接的又は間接的に入射し、入射した光を観察者の目に向かって反射する最終反射部材を少なくとも含む反射光学系と、
前記表示デバイスと前記反射光学系とを保持する筐体と、
前記最終反射部材への入射光、又は、前記最終反射部材での反射光の少なくとも一部を遮蔽する遮蔽状態と、前記遮蔽状態を解除する解除状態とのいずれかの状態で前記筐体に保持される遮光部材と、を備え、
前記遮蔽状態では、前記遮光部材が、前記筐体に入射する外光を前記観察者の目に向かって反射し、
前記筐体は、前記遮蔽状態及び前記解除状態のいずれの状態でも前記遮光部材を保持する保持構造を有しており、
所定の検知エリアにおける状況を検知する検知センサの出力に応じて、前記遮光部材の状態を前記解除状態から前記遮蔽状態に切り替える駆動部を更に備える、
表示システム。
【請求項２９】
前記最終反射部材での前記反射光の光路が前記検知エリアを通り、
前記検知センサは、前記検知エリアにおける物体の存否を検知する物体センサを含み、
前記駆動部は、前記物体センサが前記検知エリアにおける前記物体の存在を検知すると、前記遮光部材の状態を前記解除状態から前記遮蔽状態に切り替える、
請求項２８に記載の表示システム。
【請求項３０】
前記物体センサは、前記筐体に保持される、
請求項２９に記載の表示システム。
【請求項３１】
前記物体センサは、前記検知エリアにおいて前記物体が移動している場合に、前記物体の存在を検知する、
請求項２９又は３０に記載の表示システム。
【請求項３２】
前記反射光学系は、ハーフミラーを更に含み、
前記表示デバイスの前記表示面から出射した光は前記ハーフミラーを介して前記最終反射部材に入射し、前記最終反射部材での反射光は前記ハーフミラーを透過して前記観察者の目に入射することで映像を表示する、
請求項２８〜３１のいずれか１項に記載の表示システム。
【請求項３３】
前記遮光部材の状態が前記遮蔽状態である場合に、前記遮光部材は、前記ハーフミラーが前記遮光部材と前記最終反射部材との間に位置するように配置される、
請求項３２に記載の表示システム。
【請求項３４】
前記ハーフミラーは、所定の振動方向の光を透過する反射型偏光フィルムと、前記ハーフミラーにおける入射光と出射光との間に電界振動方向において４分の１波長の位相差を発生させるλ／４位相差フィルムと、の積層構造を有する、
請求項３２又は３３に記載の表示システム。
【請求項３５】
前記遮光部材は、前記遮光部材の状態が前記遮蔽状態である場合に、前記最終反射部材での前記反射光の反射方向に光を反射する反射面を有する、光学ミラーである、
請求項２８〜３４のいずれか１項に記載の表示システム。
【請求項３６】
前記検知センサは、前記検知エリア側から入射する光量の少なくとも一部を検知する光量センサを含む、
請求項２８〜３５のいずれか１項に記載の表示システム。
【請求項３７】
前記光量センサに光を集光するレンズを更に備える、
請求項３６に記載の表示システム。
【請求項３８】
前記光量センサは、前記筐体の内部において、前記筐体の下面又は上面に沿って配置される、
請求項３６又は３７に記載の表示システム。
【請求項３９】
前記筐体に隣接して配置され、前記検知エリア側の一端に開口部を有する箱状部を更に備え、
前記光量センサは、前記箱状部に収容されている、
請求項３６又は３７に記載の表示システム。
【請求項４０】
前記光量センサは、前記遮光部材の表面に配置される、
請求項３６又は３７に記載の表示システム。
【請求項４１】
前記遮光部材は、前記最終反射部材での前記反射光の光路上に配置され、
前記遮光部材における光の透過率は、前記検知センサの出力に応じて変化する、
請求項２８〜４０のいずれか１項に記載の表示システム。
【請求項４２】
前記駆動部は、前記検知センサの出力に応じて、前記筐体の向きを変える、
請求項２８〜４１のいずれか１項に記載の表示システム。
【請求項４３】
前記駆動部は、外光に関する所定条件が成立する場合は、前記検知センサの出力に応じた、前記遮光部材の状態の切り替えを停止する、
請求項２８〜４２のいずれか１項に記載の表示システム。
【請求項４４】
前記表示システムは自動車に搭載され、
前記最終反射部材での前記反射光の光路が前記検知エリアを通り、
前記検知センサは、前記検知エリアにおける物体の存否を検知する物体センサを含み、
前記所定条件は、時間に関する時間情報と、前記自動車に関する車両情報と、の少なくとも一方に基づいた条件である、
請求項４３に記載の表示システム。
【請求項４５】
前記表示システムは自動車に搭載され、
前記検知センサは、前記検知エリア側から入射する光量の少なくとも一部を検知する光量センサを含み、
前記所定条件は、時間に関する時間情報と、前記自動車に関する車両情報のうち周囲の光量に応じた前記自動車の動作と非関連の情報と、の少なくとも一方に基づいた条件である、
請求項４３に記載の表示システム。
【発明の詳細な説明】
【技術分野】
【０００１】
本開示は、表示システムに関する。より詳細には、本開示は、画像を表示するための表示システムに関する。
【背景技術】
【０００２】
特許文献１は、車両用表示装置（表示システム）を開示する。この車両用表示装置は、映像を表示する表示器と、表示器に表示された映像を反射させるハーフミラーと、ハーフミラーで反射された映像を反射させる凹面鏡とを備え、ハーフミラーは、凹面鏡で反射された映像を透過して乗員に視認させている。この車両用表示装置は、乗員の視点に対する筐体の角度を調節する角度調節部を更に備えている。角度調節部で筐体が第一所定位置に位置付けられた状態では、ハーフミラーは表示器に表示された映像を反射させて乗員に視認させており、車両用表示装置は電子ミラーとして使用される。また、角度調節部で筐体が第一所定位置と異なる第二所定位置に位置付けられた状態では、ハーフミラーは車両の後方の視界を反射させて乗員に視認させており、車両用表示装置は光学式のミラーとして使用される。
【先行技術文献】
【特許文献】
【０００３】
【特許文献１】特開２０１７−２１０２２９号公報
【発明の概要】
【発明が解決しようとする課題】
【０００４】
上述した車両表示装置は、角度調節部によって筐体の全体を傾けるように筐体の角度を調整することで、電子ミラーと光学式のミラーとに使い分けがされている。これにより、例えば表示器の映像が異常になると、乗員は、角度調節部で筐体の位置を第二所定位置に切り替えることによって、車両表示装置を光学式のミラーとして使用できるようになり、車両の後方や側方の様子を視認することができる。
【０００５】
しかしながら、この車両表示装置では、光学式のミラーとして使用するために、第一所定位置から第二所定位置へと筐体の角度を大きく傾ける必要があり、筐体全体が傾くことで筐体によって前方の視界が遮られる可能性があった。
【０００６】
本開示の目的は、表示デバイスによる表示に異常が発生した場合でも代替の表示が可能で、筐体によって観察者の視界が遮られる可能性を低減できる表示システムを提供することにある。
【課題を解決するための手段】
【０００７】
本開示の一態様の表示システムは、表示面を有する表示デバイスと、最終反射部材を少なくとも含む反射光学系と、筐体と、遮光部材と、を備える。前記最終反射部材は、前記表示デバイスの前記表示面から出射した光が直接的又は間接的に入射し、入射した光を観察者の目に向かって反射する。前記筐体は、前記表示デバイスと前記反射光学系とを保持する。前記遮光部材は、前記最終反射部材への入射光、又は、前記最終反射部材での反射光の少なくとも一部を遮蔽する遮蔽状態と、前記遮蔽状態を解除する解除状態とのいずれかの状態で前記筐体に保持される。前記遮蔽状態では、前記遮光部材が前記筐体に入射する外光を前記観察者の目に向かって反射する。前記筐体は、前記遮蔽状態及び前記解除状態のいずれの状態でも前記遮光部材を保持する保持構造を有している。前記反射光学系は、ハーフミラーを更に含む。前記表示デバイスの前記表示面から出射した光は前記ハーフミラーを介して前記最終反射部材に入射し、前記最終反射部材での反射光は前記ハーフミラーを透過して前記観察者の目に入射する。
また、本開示の一態様の表示システムは、表示面を有する表示デバイスと、最終反射部材を少なくとも含む反射光学系と、筐体と、遮光部材と、を備える。前記最終反射部材は、前記表示デバイスの前記表示面から出射した光が直接的又は間接的に入射し、入射した光を観察者の目に向かって反射する。前記筐体は、前記表示デバイスと前記反射光学系とを保持する。前記遮光部材は、前記最終反射部材への入射光、又は、前記最終反射部材での反射光の少なくとも一部を遮蔽する遮蔽状態と、前記遮蔽状態を解除する解除状態とのいずれかの状態で前記筐体に保持される。前記遮蔽状態では、前記遮光部材が前記筐体に入射する外光を前記観察者の目に向かって反射する。前記筐体は、前記遮蔽状態及び前記解除状態のいずれの状態でも前記遮光部材を保持する保持構造を有している。前記筐体には、前記遮光部材として、一方の面が反射面である板状のミラー部材が設けられ、前記ミラー部材の状態は、前記ミラー部材のスライド動作と回転動作によって、第１状態と第２状態とのいずれかに切り替えられる。前記第１状態は、前記最終反射部材から前記観察者の目に入射する光の光路外の第１位置に前記ミラー部材が配置される前記解除状態である。前記第２状態は、前記最終反射部材と前記観察者との間の第２位置に前記反射面を前記観察者に向けた状態で前記ミラー部材が配置され、前記筐体の外部からの光を前記反射面で反射した反射像を前記観察者の目に表示させる前記遮蔽状態である。
また、本開示の一態様の表示システムは、表示面を有する表示デバイスと、最終反射部材を少なくとも含む反射光学系と、筐体と、遮光部材と、を備える。前記最終反射部材は、前記表示デバイスの前記表示面から出射した光が直接的又は間接的に入射し、入射した光を観察者の目に向かって反射する。前記筐体は、前記表示デバイスと前記反射光学系とを保持する。前記遮光部材は、前記最終反射部材への入射光、又は、前記最終反射部材での反射光の少なくとも一部を遮蔽する遮蔽状態と、前記遮蔽状態を解除する解除状態とのいずれかの状態で前記筐体に保持される。前記遮蔽状態では、前記遮光部材が前記筐体に入射する外光を前記観察者の目に向かって反射する。前記筐体は、前記遮蔽状態及び前記解除状態のいずれの状態でも前記遮光部材を保持する保持構造を有している。前記筐体には、前記遮光部材として、一方の面が反射面である板状のミラー部材が設けられる。前記保持構造は、前記最終反射部材を更に保持する。前記保持構造は、前記最終反射部材及び前記ミラー部材を、前記ミラー部材の反射面と前記最終反射部材の反射面とを互いに反対側に向けた状態で、前記筐体に対して回転可能な状態で保持している。前記ミラー部材の反射面の中心点における法線と、前記最終反射部材の反射面の中心点における法線とが非平行である。
また、本開示の一態様の表示システムは、表示面を有する表示デバイスと、最終反射部材を少なくとも含む反射光学系と、筐体と、遮光部材と、を備える。前記最終反射部材は、前記表示デバイスの前記表示面から出射した光が直接的又は間接的に入射し、入射した光を観察者の目に向かって反射する。前記筐体は、前記表示デバイスと前記反射光学系とを保持する。前記遮光部材は、前記最終反射部材への入射光、又は、前記最終反射部材での反射光の少なくとも一部を遮蔽する遮蔽状態と、前記遮蔽状態を解除する解除状態とのいずれかの状態で前記筐体に保持される。前記遮蔽状態では、前記遮光部材が前記筐体に入射する外光を前記観察者の目に向かって反射する。前記筐体は、前記遮蔽状態及び前記解除状態のいずれの状態でも前記遮光部材を保持する保持構造を有している。前記筐体には、前記遮光部材として、一方の面が反射面である板状のミラー部材が設けられる。前記保持構造は、前記筐体に対して回転可能な状態で保持された回転体を含む。前記回転体は、前記ミラー部材の反射面と前記最終反射部材の反射面とが互いに反対側を向き、かつ、前記ミラー部材の反射面の中心点における法線と、前記最終反射部材の反射面の中心点における法線とが平行となる状態で、前記ミラー部材と前記最終反射部材とを保持している。前記回転体は、前記解除状態では前記観察者に前記最終反射部材の反射面を対向させる第１回転位置に回転し、前記遮蔽状態では前記観察者に前記ミラー部材の反射面を対向させる第２回転位置に回転する。前記第１回転位置と前記第２回転位置との間で前記回転体が回転する角度が１８０度以外の所定の角度である。
また、本開示の一態様の表示システムは、表示面を有する表示デバイスと、最終反射部材を少なくとも含む反射光学系と、筐体と、遮光部材と、を備える。前記最終反射部材は、前記表示デバイスの前記表示面から出射した光が直接的又は間接的に入射し、入射した光を観察者の目に向かって反射する。前記筐体は、前記表示デバイスと前記反射光学系とを保持する。前記遮光部材は、前記最終反射部材への入射光、又は、前記最終反射部材での反射光の少なくとも一部を遮蔽する遮蔽状態と、前記遮蔽状態を解除する解除状態とのいずれかの状態で前記筐体に保持される。前記遮蔽状態では、前記遮光部材が前記筐体に入射する外光を前記観察者の目に向かって反射する。前記筐体は、前記遮蔽状態及び前記解除状態のいずれの状態でも前記遮光部材を保持する保持構造を有している。所定の検知エリアにおける状況を検知する検知センサの出力に応じて、前記遮光部材の状態を前記解除状態から前記遮蔽状態に切り替える駆動部を更に備える。
【発明の効果】
【０００８】
本開示によれば、表示デバイスによる表示に異常が発生した場合でも代替の表示が可能で、前方の視認性の低下を抑制することができる。
【図面の簡単な説明】
【０００９】
【図１】図１は、本開示の実施形態１に係る表示システムを示し、ミラー部材が第１位置にある場合の概略説明図である。
【図２】図２は、同上の表示システムを備える電子ミラーシステムを搭載した移動体の概略説明図である。
【図３】図３は、同上の電子ミラーシステムの使用状態を説明する説明図である。
【図４】図４は、同上の表示システムを示し、ミラー部材が第１位置と第２位置との間の位置にある場合の概略説明図である。
【図５】図５は、同上の表示システムを示し、ミラー部材が第２位置にある場合の概略説明図である。
【図６】図６は、同上の表示システムの要部の斜視図である。
【図７】図７は、実施形態１の変形例１に係る表示システムの要部の斜視図である。
【図８】図８は、実施形態１の変形例２に係る表示システムの要部の斜視図である。
【図９】図９は、実施形態１の変形例３に係る表示システムの要部の斜視図である。
【図１０】図１０は、実施形態１の変形例４に係る表示システムの要部の斜視図である。
【図１１】図１１は、変形例４の表示システムを示す概略説明図である。
【図１２】図１２は、実施形態１の変形例５に係る表示システムの概略説明図である。
【図１３】図１３は、実施形態１の変形例６に係る表示システムの概略説明図である。
【図１４】図１４は、実施形態１の変形例７に係る表示システムの概略説明図である。
【図１５】図１５は、本開示の実施形態２に係る表示システムを示し、ミラー部材が第１位置にある場合の概略説明図である。
【図１６】図１６は、同上の表示システムを示し、ミラー部材が第１位置と第２位置との間の位置にある場合の概略説明図である。
【図１７】図１７は、同上の表示システムを示し、ミラー部材が第２位置にある場合の概略説明図である。
【図１８】図１８は、本開示の実施形態３に係る表示システムを示し、ミラー部材が解除状態にある場合の概略説明図である。
【図１９】図１９は、同上の表示システムを示し、ミラー部材が遮蔽状態にある場合の概略説明図である。
【図２０】図２０は、実施形態３の変形例に係る表示システムを示し、ミラー部材が解除状態にある場合の概略説明図である。
【図２１】図２１は、同上の表示システムが有する別の保持構造の説明図である。
【図２２】図２２Ａは、同上の表示システムにおいて、最終反射部材による反射光を観察者の方向に反射させる状態の説明図である。図２２Ｂは、同上の表示システムにおいて、第１ミラー部材による反射光を観察者の方向に反射させる状態の説明図である。図２２Ｃは、同上の表示システムにおいて、第２ミラー部材による反射光を観察者の方向に反射させる状態の説明図である。
【図２３】図２３は、同上の表示システムが有する別の保持構造の説明図である。
【図２４】図２４は、同上の表示システムが有する別の保持構造の説明図である。
【図２５】図２５は、実施形態３の別の変形例に係る表示システムを示し、ミラー部材が解除状態にある場合の概略説明図である。
【図２６】図２６は、本開示の実施形態４に係る表示システムを示し、液晶ミラーの状態が解除状態の場合の概略説明図である。
【図２７】図２７は、同上の表示システムを示し、液晶ミラーの状態が遮蔽状態の場合の概略説明図である。
【図２８】図２８は、同上の表示システムを示し、液晶ミラーの状態が解除状態の場合の外光の光路の一例を表した概略説明図である。
【図２９】図２９は、同上の表示システムの動作を説明するフローチャートである。
【図３０】図３０は、本開示の実施形態５に係る表示システムを示し、液晶ミラーの状態が解除状態の場合の概略説明図である。
【図３１】図３１は、実施形態５の変形例１に係る表示システムの概略説明図である。
【図３２】図３２は、実施形態５の変形例２に係る表示システムの概略説明図である。
【図３３】図３３は、実施形態５の変形例３に係る表示システムの概略説明図である。
【図３４】図３４は、実施形態５の変形例４に係る表示システムの要部の拡大図である。
【図３５】図３５は、実施形態５の変形例５に係る表示システムの動作を説明するフローチャートである。
【図３６】図３６は、実施形態１〜５の表示システムにおける筐体の別の形態を示す概略的な斜視図である。
【発明を実施するための形態】
【００１０】
以下の実施形態において説明する各図は、模式的な図であり、各図中の各構成要素の大きさ及び厚さそれぞれの比が、必ずしも実際の寸法比を反映しているとは限らない。
【００１１】
（実施形態１）
（１）概要
本実施形態に係る表示システム１は、図１〜図３に示すように、例えば、移動体としての自動車１００に用いられる。
【００１２】
表示システム１は、図１に示すように、表示面２１を有する表示デバイス２と、最終反射部材５０を少なくとも含む反射光学系Ｂ１と、表示デバイス２と反射光学系Ｂ１とを保持する筐体７０と、遮光部材８と、を備える。
【００１３】
最終反射部材５０には、表示デバイス２の表示面２１から出射した光が直接的又は間接的に入射する。最終反射部材５０は、入射した光を観察者４００の目４０１に向かって反射する。
【００１４】
遮光部材８は、遮蔽状態と解除状態とのいずれかの状態で筐体７０に保持される。遮蔽状態は、最終反射部材５０への入射光、又は、最終反射部材５０での反射光の少なくとも一部を遮光部材８が遮蔽する状態である。解除状態は、遮光部材８の遮蔽状態を解除した状態である。また、遮蔽状態では、遮光部材８が、筐体７０に入射する外光を観察者４００の目４０１に向かって反射する。そして、筐体７０は、遮蔽状態及び解除状態のいずれの状態でも遮光部材８を保持する保持構造２００を有している。
【００１５】
ここにおいて、表示デバイス２の表示面２１からの出射光が最終反射部材５０に「間接的に入射」するとは、表示面２１からの出射光がミラー、レンズ又はプリズム等の１以上の光学部品によって反射又は屈折された後に、最終反射部材５０に入射することを言う。
【００１６】
また、反射光学系Ｂ１は、１以上の反射部材（最終反射部材５０を含む）を有し、表示デバイス２の表示面２１から出力された光を１以上の反射部材で１回以上反射した後に観察者４００の目４０１に入射させる。そして、最終反射部材５０は、反射光学系Ｂ１が有する１以上の反射部材のうち最後に反射して、観察者４００の目４０１に入射させる反射部材である。
【００１７】
また、保持構造２００による遮光部材８の「保持」は、少なくとも遮光部材８を保持する保持構造２００が、筐体７０から分離できない状態で筐体７０に対して一体的に取り付けられた態様を含む。例えば、保持構造２００が筐体７０に対して筐体７０から分離できない状態で予め取り付けられており、この保持構造２００に対して遮光部材８が着脱可能な状態で取り付けられていてもよい。また、遮光部材８及び保持構造２００が筐体７０から分離できない状態で筐体７０に対して一体的に取り付けられてもよい。また、保持構造２００による遮光部材８の「保持」は、筐体７０に内蔵させた状態で保持する態様を含む。ここでいう「内蔵」は、筐体７０の内部に遮光部材８が収容されている態様と、遮光部材８の主要部が筐体７０の投影範囲内に収まるようにして遮光部材８が筐体７０の外側に取り付けられている態様と、の両方を含む。遮光部材８の主要部が筐体７０の投影範囲内に収まるとは、筐体７０を任意の観察方向から見た場合に、遮光部材８が筐体７０の内側に収まっている状態を言う。
【００１８】
また、「遮蔽状態」は、最終反射部材５０への入射光、又は、最終反射部材５０での反射光の少なくとも一部を遮光部材８が遮蔽し、かつ、遮光部材８が筐体７０に入射する外光を観察者４００の目４０１に向かって反射する状態である。保持構造２００によって遮光部材８が遮蔽状態で保持されている場合、遮光部材８が、最終反射部材５０への入射光、又は、最終反射部材５０での反射光の少なくとも一部を遮蔽することで、表示デバイス２の表示面２１に表示された画像に基づく表示を停止する。また、保持構造２００によって遮光部材８が遮蔽状態で保持されている場合、遮光部材８によって筐体７０に入射する外光が観察者４００の目４０１に向かって反射されるので、表示システム１は光学ミラーとして機能する。
【００１９】
また、「解除状態」は、遮光部材８による最終反射部材５０への入射光、及び、最終反射部材５０での反射光の遮光が解除された状態であり、遮光部材８によって最終反射部材５０への入射光、及び、最終反射部材５０での反射光が遮光されない状態である。解除状態では、表示デバイス２の表示面２１から出力された光が反射光学系Ｂ１で反射された後に観察者４００の目４０１に入射するので、観察者４００は表示デバイス２の表示面２１に表示された画像（以下、第１画像とも言う。）に基づく画像（以下、第２画像とも言う。）を視認することができる。
【００２０】
ところで、表示デバイス２の故障が原因で表示面２１に画像が映らなくなること等によって、表示デバイス２の表示に異常が発生する場合がある。また、撮像部４の映像を表示デバイス２が表示する場合に、撮像部４の故障や撮像部４と表示デバイス２との間の通信の異常等によって、表示デバイス２の表示に異常が発生する場合がある。表示システム１では、表示デバイス２の異常等の原因で表示デバイス２による表示に異常が発生した場合、遮光部材８の状態を遮蔽状態とすることで、表示システム１を光学ミラーとして機能させることができる。したがって、遮光部材８を使用せず筐体７０全体の角度を調整することで、反射光学系Ｂ１に含まれるハーフミラー４０を光学式のミラーとして用いる場合に比べて、筐体７０を傾ける量を小さくできる。よって、本実施形態の表示システム１では、表示デバイス２による表示に異常が発生した場合でも代替の表示が可能でありながら、筐体７０によって観察者４００の視界が遮られる可能性を低減できる、との利点がある。また、遮光部材８は、遮蔽状態及び解除状態の各々で保持構造２００によって筐体７０に保持されているので、遮光部材８が筐体７０と分離されている場合に比べて、遮光部材８を遮蔽状態及び解除状態の各々で筐体７０に保持させる手間を少なくできる、との利点もある。
【００２１】
なお、図１、図４、及び図５では、表示デバイス２の表示面２１の中心付近から出射された光が、ハーフミラー４０を透過して筐体７０の外部に出射するまでの光路Ａ１１〜Ａ１４を点線で示している。また、図５では、筐体７０の外部からミラー部材６０の中心付近に入射した光がミラー部材６０で反射される場合の光路Ａ２１〜Ａ２２を二点鎖線で示している。なお、図１、４、及び図５において、光の光路Ａ１１〜Ａ１４，Ａ２１〜Ａ２２を示す線は説明のために図示しているに過ぎず、実際には表示されない。
【００２２】
（２）詳細
以下、実施形態１に係る表示システム１及び電子ミラーシステム５について図１〜図６を参照して詳しく説明する。なお、以下の説明では、図１におけるＸ軸方向を前後方向、図１及び図３におけるＺ軸方向を上下方向と規定し、図３におけるＹ軸方向を左右方向と規定する。さらに、Ｘ軸方向の正の向きを前側、Ｙ軸方向の正の向きを右側、Ｚ軸方向の正の向きを上側と規定する。ただし、これらの方向は一例であり、表示システム１及び電子ミラーシステム５の使用時の方向を限定する趣旨ではない。また、図面中の各方向を示す矢印は説明のために表記しているに過ぎず、実体を伴わない。
【００２３】
（２．１）構成
本実施形態の表示システム１は、上述したように、表示デバイス２と、最終反射部材５０を少なくとも含む反射光学系Ｂ１と、遮光部材８であるミラー部材６０と、筐体７０と、を備えている。また、表示システム１は、表示制御部２２を更に備えている。
【００２４】
本実施形態では、反射光学系Ｂ１がハーフミラー４０を更に含む。表示デバイス２の表示面２１から出射した光はハーフミラー４０を介して最終反射部材５０に入射し、最終反射部材５０での反射光はハーフミラー４０を透過して観察者４００の目４０１に入射する。
【００２５】
また、本実施形態では、筐体７０には、遮光部材８として、一方の面が反射面６１である板状のミラー部材６０が設けられている。ミラー部材６０の状態は、ミラー部材６０のスライド動作と回転動作によって、第１状態と第２状態とのいずれかに切り替えられる。第１状態は、最終反射部材５０から観察者４００の目４０１に入射する光の光路外の第１位置にミラー部材６０が配置される解除状態である。第２状態は、最終反射部材５０と観察者４００との間の第２位置に反射面６１を観察者に向けた状態でミラー部材６０が配置され、筐体７０の外部からの光を反射面６１で反射した反射像を観察者４００の目４０１に表示させる遮蔽状態である。すなわち、遮光部材８は光学ミラー（ミラー部材６０）である。光学ミラー（ミラー部材６０）は、遮光部材８の状態が遮蔽状態である場合に、（解除状態における）最終反射部材５０での反射光の反射方向に光を反射する反射面６１を有する。
【００２６】
本実施形態の表示システム１と撮像部４（図２参照）とで電子ミラーシステム５が構成され、表示デバイス２は、撮像部４によって撮影される画像を表示面２１に表示する。電子ミラーシステム５は、移動体である自動車１００の移動体本体１１０に搭載される。すなわち、移動体（自動車１００）は、電子ミラーシステム５と、電子ミラーシステム５を搭載する移動体本体１１０と、を含む。
【００２７】
表示システム１の筐体７０は、例えば合成樹脂の成型品等で構成されている。筐体７０は、内部に収納室７３を有する直方体状に形成されている。筐体７０は、移動体本体１１０に取り付けられた状態において、移動体本体１１０の左右方向（車幅方向）における寸法が、上下方向における寸法及び前後方向における寸法よりもそれぞれ大きくなるような形状に形成されている。筐体７０の収納室７３には、表示デバイス２と、最終反射部材５０を含む反射光学系Ｂ１と、表示制御部２２と、が収容されている。
【００２８】
筐体７０は、移動体本体１１０の天井部分１０１においてウィンドシールド１０２（フロントガラス）に近い前側部分に、前部座席に着座する観察者４００の視界に入る位置に取り付けられている（図２参照）。筐体７０は、ボールジョイントなどの支持部材７２を介して移動体本体１１０の天井部分１０１から吊り下げられた状態で天井部分１０１に取り付けられており、観察者４００の前方に配置されている。支持部材７２は筐体７０の向きを調整するための調整機構（例えばボールジョイントなど）を有している。なお、図１及び図２では、筐体７０の上部に支持部材７２が配置され、天井部分１０１から吊り下げられているが、筐体７０の背面側（車両前方側）に支持部材を配置し、ウィンドシールド１０２に取り付けられている構造であってもよい。
【００２９】
筐体７０の後壁７１は斜めに傾斜しており、この後壁７１には貫通孔７４が設けられている。貫通孔７４は、上下方向の寸法に比べて左右方向（上下方向及び前後方向と直交する方向）の寸法が大きく、左右方向の寸法（長辺寸法）と上下方向の寸法（短辺寸法）との比率は約３〜６：１である。貫通孔７４にはハーフミラー４０が取り付けられている。また、筐体７０には、後壁７１の左右の両側縁からそれぞれ後方に突出する横フード７５と、後壁７１の下側縁から後方に突出する下フード７６とが、筐体７０と一体に設けられている。ここで、横フード７５と下フード７６とは一体的に設けられている。
【００３０】
表示デバイス２は、収納室７３の上部に、表示面２１を下側に向けた状態で収容されている。表示デバイス２は画像を形成する光を出力する。表示デバイス２は、例えば光源装置と液晶パネル（ＬＣＤ：Liquid Crystal Display）とを備えている。液晶パネルは、光源装置の前方に配置されている。光源装置は、液晶パネルのバックライトとして用いられる。光源装置は、いわゆる面光源である。光源装置は、発光ダイオード又はレーザダイオード等の固体発光素子を用いた、サイドライト方式の光源装置である。光源装置からの光は液晶パネルを透過して表示デバイス２の表示面２１から出力されており、表示デバイス２の表示面２１から出力される光で画像が形成される。
【００３１】
本実施形態の表示システム１は、表示デバイス２の表示面２１から出射する光を反射する２以上の反射部材３として、ハーフミラー４０と、上記の最終反射部材５０とを備えている。すなわち、表示システム１は、ハーフミラー４０と、最終反射部材５０とで構成される反射光学系Ｂ１を有している。
【００３２】
ハーフミラー４０は、筐体７０の後壁７１に設けられた貫通孔７４に取り付けられている。ハーフミラー４０は光透過性を有している。ハーフミラー４０は、入射光の一部を透過し、入射光の別の一部を反射する機能を有している。本実施形態では、ハーフミラー４０は、光の透過率と反射率とが約５０％である平板状のビームスプリッタで構成されている。ハーフミラー４０は、ハーフミラー４０の下端に比べて上端の方が後側に突出するように、上下方向に対して斜めに配置されている。
【００３３】
ハーフミラー４０における収納室７３側の面（以下、内側面ともいう）４１は、表示デバイス２の表示面２１及び最終反射部材５０の反射面（最終反射面とも言う）５１とそれぞれ対向している。ここで、２つの面又は部品が「対向」するとは、互いに平行な状態で配置されていることに限定されず、互いに平行ではない状態、つまり一方が他方に対して傾斜している状態で配置されている状態も含みうる。本実施形態では、ハーフミラー４０は、表示デバイス２の表示面２１からの光の入射方向、及び、反射面５１からの光の入射方向に対して、内側面４１の法線方向がそれぞれ斜めに交差するように配置されている。なお、本実施形態では、表示デバイス２からの光を反射する反射面である内側面４１が平面であるが、内側面４１は自由曲面のような曲面でもよい。ハーフミラー４０の内側面４１を自由曲面とすることで、反射面５１に形成される画像の歪みを低減したり、像面の湾曲を低減したり、解像度を向上させたりすることができる。
【００３４】
最終反射部材５０は、例えば凹面鏡である。最終反射部材５０の反射面５１は、例えばガラスの表面に、アルミニウム等の反射金属膜を蒸着することで形成される。最終反射部材５０は、反射面５１を後側に向けた状態で収納室７３の前部に配置されている。換言すれば、最終反射部材５０は、収納室７３の内部において、ハーフミラー４０の内側面４１と対向する位置に配置されている。なお、最終反射部材５０は凹面鏡に限定されず、平面鏡でもよい。
【００３５】
本実施形態では、ハーフミラー４０の内側面４１が、表示デバイス２の表示面２１から出射された光の一部を最終反射部材５０の反射面５１に向かって反射する。最終反射部材５０の反射面５１は、ハーフミラー４０の内側面４１での反射光をハーフミラー４０に向かって反射する。ハーフミラー４０は、最終反射部材５０から入射した光の一部を透過し、ハーフミラー４０を透過した光が観察者４００の目４０１に入射することによって、観察者４００は、表示デバイス２の表示面２１に表示される画像に基づく画像を見ることができる。すなわち、観察者４００は、ハーフミラー４０と最終反射部材５０とで反射された画像を見ることになる。したがって、観察者４００がハーフミラー４０を通して最終反射部材５０の反射面５１を見る方向において、反射面５１よりも遠方（観察者４００の視点から、例えば１〜３ｍ前方）の表示位置に、表示デバイス２の画像が表示されているかのように見える。つまり、表示デバイス２の画像は虚像となる。したがって、観察者４００が、ウィンドシールド１０２を通して前方の視界を見ている状態から、表示システム１によって表示される画像（虚像）を見る場合にピント調節がしやすくなるという利点がある。また、表示デバイス２は、表示面２１の法線方向に対して斜め方向（光路Ａ１１の方向）に光を出射している。このように光を斜め方向に出射することにより、画像の上側の虚像距離（視点から画像が見える位置までの距離）を遠く（長く）、画像の下側の虚像距離を近く（短く）することができる。撮像部４によって撮影される自動車１００の後方の画像の遠近はこのような虚像距離の遠近の関係に近いため、疑似的な奥行感を生じさせることができ、観察者４００は後方車両との距離感を掴みやすくなる。ただし、表示デバイス２が光を斜め方向に出射させると虚像に台形歪を発生させてしまうことから、反射面５１において、入射光に対してやや下向きの反射角を設定することで、虚像に発生する台形歪みを低減できる。
【００３６】
ミラー部材６０は、第１位置（図１中のミラー部材６０の位置）と第２位置（図５中のミラー部材６０の位置）との間で移動可能な状態で筐体７０に取り付けられている。さらに言えば、遮光部材８であるミラー部材６０は、保持構造２００によって、第１位置と第２位置との間で移動可能な状態で筐体７０に保持されている。
【００３７】
第１位置は、筐体７０の下フード７６の上側に、下フード７６と平行するようにミラー部材６０が配置される位置である。つまり、第１位置は、ハーフミラー４０を透過して観察者４００の目４０１に入射する光の光路外の位置であり、最終反射部材５０での反射光が通らない位置である。したがって、ミラー部材６０が第１位置にある第１状態では、ミラー部材６０は、最終反射部材５０での反射光の遮光を解除する解除状態となり、観察者４００は、表示デバイス２の表示面２１の画像（第１画像）を反射光学系Ｂ１が反射した反射像（第２画像）を見ることができる。
【００３８】
第２位置は、ハーフミラー４０と観察者４００との間にミラー部材６０が配置される位置である。第２位置は、ハーフミラー４０を透過して観察者４００の目４０１に入射する光の光路Ａ１４に対してミラー部材６０の表面が９０度に近い角度で交差するようにミラー部材６０が配置される位置である。ミラー部材６０が第２位置に位置する第２状態では、ミラー部材６０は、最終反射部材５０での反射光を遮光する遮光状態となる。また、第２状態では、筐体７０の外部からの光を反射面６１で反射した光が観察者の目に入射するので、観察者は反射面６１による反射像を見ることができる。
【００３９】
なお、第１位置は、図１中のミラー部材６０の位置に限定されず、適宜変更が可能である。同様に、第２位置は、図５中のミラー部材６０の位置に限定されず、観察者４００が反射面６１に映る反射像を見ることができる位置であれば適宜変更が可能である。
【００４０】
ここで、ミラー部材６０は、第１位置及び第２位置の各々において、横フード７５と下フード７６とハーフミラー４０とで囲まれる空間に配置（つまり、筐体７０に内蔵）されているので、筐体７０を大型化することなくミラー部材６０を配置することができる。
【００４１】
ミラー部材６０は、平面視の形状が矩形状である平板状に形成されている。ミラー部材６０は、第２位置に配置された状態での左右方向の寸法及び上下方向の寸法が、観察者４００の目４０１の位置からハーフミラー４０を見た場合の見かけ上の寸法と同じ寸法に設定されている。したがって、ミラー部材６０が第２位置に配置された第２状態（遮蔽状態）では、観察者４００から見てハーフミラー４０の全体がミラー部材６０で覆われている。また、第２状態において、観察者４００から見てハーフミラー４０の全体がミラー部材６０で覆われていることは必須ではなく、観察者４００からハーフミラー４０の一部が見えていてもよい。
【００４２】
ここで、ミラー部材６０の片側の面（第２位置に配置された状態、つまり遮蔽状態で、ハーフミラー４０と反対側、つまり観察者４００側を向く面）は、少なくとも可視光領域の光を反射する反射面６１となっている。したがって、ミラー部材６０が第２位置に配置された状態では、観察者４００は、筐体７０の向きを支持部材７２の調整機構によって調整することで自動車１００の後方からの光をミラー部材６０で反射した反射像を見ることができる。なお、ミラー部材６０の一方の面に設けられた反射面６１は平面でも凸面でもよい。つまり、ミラー部材６０は平面鏡でも凸面鏡でもよい。
【００４３】
ミラー部材６０において反射面６１と反対側の面は、少なくとも可視光領域の光の反射率が反射面６１よりも低い遮光面６２である。そして、ミラー部材６０が第１位置に配置される第１状態では、ミラー部材６０の遮光面６２がハーフミラー４０と対向している。さらに言えば、本実施形態では、ミラー部材６０の遮光面６２が入射した光を吸収する機能を有している。遮光面６２の色は、移動体本体１１０（図２参照）の天井部分１０１の内面よりも暗い色であり、例えば黒色である。このように、遮光面６２の色を黒色等の暗い色とすることで、遮光面６２に入射した光を吸収する機能を持たせている。したがって、図１に示すように、ミラー部材６０が第１位置に配置される解除状態において、筐体７０の外部から光路Ａ３１を通ってミラー部材６０の遮光面６２に入射した光が遮光面６２で反射されるのを抑制できる。よって、筐体７０の外部から遮光面６２に入射した光が、遮光面６２とハーフミラー４０とで反射して観察者４００の目４０１に入射するのを抑制でき、表示システム１が表示する画像のコントラストを向上することができる。
【００４４】
なお、遮光面６２は光を吸収する機能を有しているが、遮光面６２を粗面に形成することによって、遮光面６２に光を散乱する機能を持たせてもよい。ミラー部材６０が第１位置に配置される解除状態において、遮光面６２が入射光を散乱することによって、筐体７０の外部から遮光面６２に入射した光が、遮光面６２とハーフミラー４０とで反射して観察者４００の目４０１に入射することを抑制できる。
【００４５】
このように、ミラー部材６０の遮光面６２は、少なくとも可視光領域の光の吸収と散乱の少なくとも一方を行えばよく、外部からの光がハーフミラー４０に反射して観察者４００の目４０１に入射することを抑制できる。なお、遮光面６２は、少なくとも可視光領域の光について吸収と散乱の少なくとも一方を行えばよく、可視光領域以外の光、例えば赤外領域の光に対しては透過性を有していてもよい。
【００４６】
ミラー部材６０の左右の側縁には、図１及び図６に示すように、円柱状の突起６４が複数設けられている。本実施形態では、複数の突起６４が、第１位置にあるミラー部材６０の左右の側面の前側に設けられた第１突起６４１と、第１位置にあるミラー部材６０の左右の側面の後側に設けられた第２突起６４２とを含む。また、ミラー部材６０が第１位置に位置する状態で、ミラー部材６０の後端部には、斜め下向きに突出する突出片６３が一体に設けられている。表示システム１のユーザ（例えば自動車１００の運転者などの観察者４００）は、操作部としての突出片６３を指で上向きに押すか又は下向きに引くことによって、ミラー部材６０を動かすことができる。すなわち、表示システム１は、ミラー部材６０の状態を第１状態と第２状態とのいずれかに手動で切り替えるための操作部（突出片６３）を更に備えている。なお、突出片６３は、例えば、ミラー部材６０の後端部において左右方向の中央に設けられているが、左右方向の両側に複数設けられていてもよい。また、ミラー部材６０の左側縁又は右側縁から左右方向に突出する突出片を、横フード７５に設けた貫通部を通して筐体７０の外側に突出させ、この突出片において筐体７０の外側に突出する部位を操作部としてもよい。
【００４７】
筐体７０には、左右の横フード７５の内側面に、ミラー部材６０の複数の突起６４がそれぞれ挿入される複数のガイド溝７７が設けられている。複数のガイド溝７７は、ミラー部材６０の第１突起６４１が挿入される第１ガイド溝７７１と、ミラー部材６０の第２突起６４２が挿入される第２ガイド溝７７２とを含む。第１ガイド溝７７１は、横フード７５の内側面に前後方向に沿って設けられている。第２ガイド溝７７２は、横フード７５の内側面に、上下方向に沿って設けられている。なお、本実施形態では、突起６４がミラー部材６０に設けられ、ガイド溝７７が筐体７０に設けられているが、筐体７０に突起が設けられ、ミラー部材６０に突起が挿入されるガイド溝が設けられてもよい。ここにおいて、遮光部材８であるミラー部材６０を保持する保持構造２００は、筐体７０とミラー部材６０との一方に設けられた突起６４と、筐体７０とミラー部材６０との他方に設けられて、突起６４が挿入されるガイド溝７７と、を含んでいる。そして、ガイド溝７７の内部で突起６４の位置が変化することによって、ミラー部材６０の状態が第１状態（解除状態）と第２状態（遮蔽状態）とのいずれかに切り替えられる。
【００４８】
図１に示すように、ミラー部材６０が第１位置に存在する第１状態では、第１突起６４１は第１ガイド溝７７１の内部の前端付近に位置し、第２突起６４２は第２ガイド溝７７２の内部の下端付近に位置している。第１状態（解除状態）では、ミラー部材６０は、下フード７６の上側に下フード７６の上面に沿って配置されており、ハーフミラー４０を透過して観察者４００の目４０１に入射する光の光路外に配置される。したがって、ミラー部材６０の状態が第１状態である場合には、観察者４００は、表示デバイス２の表示面２１に表示される画像（第１画像）を、反射光学系Ｂ１で反射することによって拡大され遠視点化された画像（第２画像）を見ることができる。なお、ミラー部材６０が第１位置に配置される状態では、例えば、ミラー部材６０の端部が、筐体７０に設けられたフック等にラッチされることによって、ミラー部材６０が第１状態で保持される。
【００４９】
第１状態にあるミラー部材６０の突出片６３をユーザが上向きに押すと、図４に示すように、第１突起６４１が第１ガイド溝７７１の内部を後方へスライド動作し、第２突起６４２が第２ガイド溝７７２の内部を上方へスライド動作する。ここで、第１突起６４１及び第２突起６４２はそれぞれ第１ガイド溝７７１及び第２ガイド溝７７２内で回転動作を行いながらスライド動作を行うことで、ミラー部材６０は全体として回転動作を行いながら第２位置に向かって移動する。すなわち、ミラー部材６０は、スライド動作と回転動作とを行うことによって、第１位置から第２位置へと移動し、また第２位置から第１位置へと移動する。ここで、ミラー部材６０はスライド動作と回転動作とを同時に行ってもよいし、スライド動作と回転動作とを別々に行ってもよい。
【００５０】
そして、ミラー部材６０が第２位置に移動すると、図５に示すように、第１突起６４１が第１ガイド溝７７１の内部の後端付近に位置し、第２突起６４２が第２ガイド溝７７２の内部の上端付近に位置する。ミラー部材６０が第２位置に配置される第２状態（遮蔽状態）では、ミラー部材６０は、反射面６１をハーフミラー４０と反対側に向けた状態で、上下方向に沿って配置される。なお、上下方向に沿って配置されるとは、鉛直方向に沿って配置されることに限定されず、反射面６１を介して自動車１００の後方を視認可能であれば、鉛直方向に対して斜めに傾いた状態で配置されていてもよい。この第２状態では、観察者４００から見てハーフミラー４０のほぼ全体がミラー部材６０によって覆われており、観察者４００は、筐体７０の外部（例えば自動車１００の後方）からの光を反射面６１で反射した反射像を見ることができる。なお、ミラー部材６０が第２位置に配置された状態では、ハーフミラー４０を透過した光がミラー部材６０で遮られるので、観察者４００は、表示デバイス２の表示面２１に表示される画像を見ることはできない。したがって、表示デバイス２の表示が異常になった場合、観察者４００は、ミラー部材６０の状態を第１状態から第２状態に切り替えることで、反射面６１で反射された反射像を見ることができる。なお、ミラー部材６０が第２位置に配置される第２状態では、例えば、ミラー部材６０の端部が、筐体７０に設けられたフック等にラッチされることによって、ミラー部材６０が第２状態で保持される。
【００５１】
また、ミラー部材６０の状態を第２状態（遮蔽状態）から第１状態（解除状態）に切り替える場合、ユーザ（例えば観察者４００）はミラー部材６０の突出片６３を下向きに引く。突出片６３が下向きに引っ張られると、第１突起６４１が第１ガイド溝７７１の内部を前側に移動し、第２突起６４２が第２ガイド溝７７２の内部を下側に移動することによって、ミラー部材６０の状態が第２状態から第１状態に切り替えられる。ミラー部材６０の状態が第１状態に切り替えられることによって、観察者４００は、表示デバイス２の表示面２１の画像を反射光学系Ｂ１が反射した反射像を見ることができる。
【００５２】
このように、本実施形態では、ミラー部材６０に突起６４が設けられ、筐体７０には突起６４が挿入されるガイド溝７７が設けられている。ガイド溝７７の内部で突起６４の位置が変化することによって、ミラー部材６０が第１位置又は第２位置に移動し、ミラー部材６０の状態が第１状態と第２状態とのいずれかに切り替えられる。
【００５３】
なお、本実施形態では、突起６４を、ミラー部材６０に固定された円柱状の突起としているが、突起６４は、ミラー部材６０に設けられた軸に回転可能な状態で取り付けられた円筒状のローラであってもよい。突起６４を回転可能なローラとすることで、突起６４がガイド溝７７の内部をスライド移動する場合に引っ掛かりにくくなり、突起６４の摩耗が低減され、ミラー部材６０の状態を第１状態又は第２状態にスムーズに切り替えることができる。
【００５４】
表示制御部２２は、表示デバイス２による画像の表示状態を制御する。表示制御部２２は例えば自動車１００の車内ネットワークを介して撮像部４と通信（有線通信又は無線通信）を行う。表示制御部２２には、撮像部４から自動車１００の後方の撮像画像の画像データが入力される。表示制御部２２は、撮像部４から入力される撮像画像に基づく画像を表示デバイス２に表示させる。
【００５５】
ここにおいて、撮像画像に基づく画像とは、撮像画像そのものでもよいし、撮像画像を画像処理した画像でもよく、撮像画像をもとに作成したＣＧ（Computer Graphics）画像でもよい。例えば、夜間には撮像部４で撮影された画像は暗くなるので、撮像部４で撮影された画像の明るさ補正を行ってもよい。また、撮像部４で撮影された画像をもとに、画像中に映っている障害物等を示すＣＧ画像又はマーカー等を作成し、撮像部４の撮像画像にＣＧ画像又はマーカー等を重畳した画像を表示デバイス２の表示面２１に表示させてもよい。また、撮像部４の撮像画像に運転支援情報（例えば、車速情報、ナビゲーション情報、歩行者情報、前方車両情報、車線逸脱情報、及び車両コンディション情報等）を示すマーカーを重畳した画像を表示デバイス２に表示させてもよい。
【００５６】
撮像部４は、例えば、自動車１００の後部に取り付けられたＣＭＯＳ（Complementary Metal Oxide Semiconductor）イメージセンサであり、自動車１００の後方を撮影する。撮像部４はＣＭＯＳイメージセンサに限らず、ＣＣＤ（Charge Coupled Device）イメージセンサ等のイメージセンサでもよい。
【００５７】
撮像部４は、自動車１００の後方を撮影した画像データを例えば車内ネットワークを介して表示制御部２２に出力する。撮像部４は例えば自動車１００の後部において左右方向の中央に配置され、従来のルームミラーで視認できる範囲を撮影しており、電子ミラーシステム５は従来のルームミラーのような後方確認ミラーとして用いられる。撮像部４は自動車１００の後部に取り付けられているので、撮像部４によって撮影される画像には、後部座席やピラー等が映り込むことはない。なお、撮像部４は自動車１００の後側方を撮影してもよい。撮像部４は、従来のドアミラー、フェンダーミラーで視認できる範囲を撮影してもよく、電子ミラーシステム５を従来のドアミラー、フェンダーミラーの代わりの後方確認ミラーとして用いてもよい。撮像部４は移動体本体１１０の後部であって移動体本体１１０の上部位置に取り付けられているが、撮像部４の取付位置は一例であり、撮像部４は所望の範囲を撮影可能な位置に取り付けられていればよい。
【００５８】
本実施形態の表示システム１では、表示デバイス２が表示する画像、つまり表示デバイス２の表示面２１から出力される光をハーフミラー４０と最終反射部材５０とで複数回（本実施形態では例えば２回）反射している。ここで、観察者４００から、観察者４００によって視認される画像の表示位置までの距離（視距離）は、表示デバイス２の表示面２１から反射面５１までの光路長、及び、反射光学系Ｂ１の焦点距離等で決定される。本実施形態では、表示デバイス２の表示面２１から出力される光を２回反射することで、画像の表示位置までの視距離を所望の距離に保ちながら、筐体７０（収納室７３）の大きさを小さくできる。したがって、観察者４００がハーフミラー４０を通して反射面５１を見る方向において筐体７０の小型化を図ることができる。
【００５９】
（２．２）動作
本実施形態の表示システム１及び表示システム１を備える電子ミラーシステム５の動作について以下に説明する。なお、ミラー部材６０の状態は、図１に示すように、ミラー部材６０が第１位置に配置される第１状態（解除状態）に切り替えられているものとする。
【００６０】
例えば、自動車１００のバッテリから電子ミラーシステム５に電力が供給され、自動車１００が備えるＥＣＵ（Electronic Control Unit）から電子ミラーシステム５に動作を開始させる制御信号が入力されると、電子ミラーシステム５が動作を開始する。
【００６１】
自動車１００のＥＣＵから表示制御部２２に動作を開始させる制御信号が入力されると、表示制御部２２は、撮像部４に所定のフレームレートで自動車１００の後方を撮影させ、撮像部４から撮像画像の画像データを取得する。
【００６２】
表示制御部２２は、撮像部４から撮像画像の画像データが入力されると、撮像画像に基づく画像を作成して、表示デバイス２の表示面２１に表示させる。
【００６３】
表示デバイス２の表示面２１に画像が表示されると、この画像を形成する光は、光路Ａ１１と平行な方向に沿って、ハーフミラー４０の内側面４１に向かって出射される。ハーフミラー４０はビームスプリッタであり、ハーフミラー４０の内側面４１は、表示デバイス２からの入射光の一部を最終反射部材５０の反射面５１に向かって反射する。反射面５１は凹面鏡であり、表示面２１の画像を拡大した拡大画像を形成する光をハーフミラー４０の内側面４１に向かって反射する。ハーフミラー４０の内側面４１に反射面５１で反射された反射光が入射すると、入射光の一部がハーフミラー４０を透過して筐体７０の外部に出射されるので、観察者４００は反射面５１によって拡大された画像を見ることができる。よって、観察者４００は、反射面５１によって拡大された画像をハーフミラー４０を介して見ることによって、自動車１００の後方の状況を確認できる。
【００６４】
表示デバイス２又は撮像部４等の異常によって表示デバイス２の表示面２１に表示される画像に異常が発生した場合、観察者４００は、突出片６３を上向きに押して、ミラー部材６０の状態を、ミラー部材６０が第２位置に配置される第２状態（遮蔽状態）に切り替える。第２状態では、図５に示すように、ミラー部材６０は、ハーフミラー４０と観察者４００との間の第２位置に、反射面６１を観察者４００側に向けた状態で配置される。したがって、ミラー部材６０の状態を第２状態に切り替え、筐体７０の向きを支持部材７２の調整機構によって調整した場合、観察者４００は、筐体７０の外部（例えば自動車１００の後方）から入射する光を反射面６１で反射した反射像を見ることができる。よって、表示デバイス２の表示に異常が発生した場合でも、観察者４００は、第２状態に切り替えられたミラー部材６０を用い、ミラー部材６０の反射面６１での反射像を見ることによって、自動車１００の後方の状況を確認できる。すなわち、表示システム１は、表示デバイス２による表示に異常が発生した場合でも、ミラー部材６０を用いて代替の表示を行うことができる。なお、本実施形態でも支持部材７２の調整機構によって筐体７０の向きを微調整することはあるが、ミラー部材６０の状態を第２状態に切り替えることによって、ミラー部材６０の反射面６１での反射像を観察者４００に見せている。したがって、ミラー部材６０を使用せず筐体７０全体の角度を調整することで、ハーフミラー４０を光学式のミラーに代用する場合に比べて、筐体７０を傾ける量を小さくできる。よって、筐体７０によって観察者４００の視界（観察者４００の前方の視界）が遮られるのを抑制し、前方の視認性の低下を抑制することができる。
【００６５】
なお、表示システム１は、ミラー部材６０が第２位置に配置されている状態を検知するための検知スイッチを更に備えていてもよい。ミラー部材６０が第２位置に配置されていることを検知スイッチが検知すると、表示制御部２２が、検知スイッチの検知結果に基づいて表示デバイス２の表示を停止させてもよく、表示システム１の消費電力を低減できる。
【００６６】
（３）変形例
上記実施形態は、本開示の様々な実施形態の一つに過ぎない。上記実施形態は、本開示の目的を達成できれば、設計等に応じて種々の変更が可能である。
【００６７】
以下、上記の実施形態の変形例を列挙する。以下に説明する変形例は、適宜組み合わせて適用可能である。
【００６８】
本開示における表示システム１は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における表示システム１の機能（例えば表示制御部２２の機能）が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００６９】
（３．１）変形例１
変形例１の表示システム１について図７に基づいて説明する。
【００７０】
変形例１の表示システム１は、ガイド溝７７に挿入され、ガイド溝７７に沿ってスライド移動するガイド部材７８を更に備える点で上記の実施形態と相違する。なお、ガイド部材７８以外は上記の実施形態と同様の構成を有しているので、共通する構成要素には同一の符号を付してその説明は省略する。
【００７１】
本変形例では、第１ガイド溝７７１及び第２ガイド溝７７２のそれぞれにガイド部材７８が配置されている。ガイド部材７８は、例えば合成樹脂の成形品であり、スライド移動する方向の両端面が曲面に形成されている。ガイド部材７８には、円柱状の突起６４が挿入される丸穴７８１が形成されており、ガイド部材７８に突起６４が回転可能な状態で支持されている。
【００７２】
ここで、第１状態では、第１ガイド溝７７１に挿入されているガイド部材７８は、第１ガイド溝７７１の前端付近に位置し、第２ガイド溝７７２に挿入されているガイド部材７８は、第２ガイド溝７７２の下端付近に位置している。
【００７３】
ミラー部材６０の状態を第２状態に切り替えるために観察者４００が突出片６３を上側に押すと、第１ガイド溝７７１の内部をガイド部材７８が後方へスライド動作し、第２ガイド溝７７２の内部をガイド部材７８が上方へスライド動作する。また、ガイド部材７８のスライド動作に応じて、ガイド部材７８に対して突起６４が回転動作しており、ガイド部材７８のスライド移動と突起６４の回転動作とによって、ミラー部材６０が第１位置から第２位置へと移動する。
【００７４】
また、ミラー部材６０を第２状態から第１状態に切り替えるために観察者４００が突出片６３を下側に引くと、第１ガイド溝７７１をガイド部材７８が前側に向かってスライド動作し、第２ガイド溝７７２内をガイド部材７８が下側に向かってスライド動作する。また、ガイド部材７８のスライド動作に応じて、ガイド部材７８に対して突起６４が回転動作しており、ガイド部材７８のスライド移動と突起６４の回転動作とによって、ミラー部材６０が第２位置から第１位置へと移動する。
【００７５】
このように、変形例１の表示システム１では、ミラー部材６０が第１位置と第２位置との間で移動する場合に、スライド動作を行う部材（ガイド部材７８）と、回転動作を行う部材（突起６４）とを別々の部材に分けている。変形例１では、ガイド溝７７の溝内をスライド移動するガイド部材７８は回転動作を行わないので、ガイド部材７８のスライド動作がスムーズになり、ミラー部材６０を第１位置と第２位置との間でスムーズに移動させることができる。また、突起６４は回転動作を行うのみでスライド動作を行わないので、突起６４がスライド動作を行うことによって摩耗する可能性を低減できるという利点もある。
【００７６】
（３．２）変形例２
変形例２の表示システム１について図８を参照して説明する。
【００７７】
変形例２の表示システム１は、図８に示すように、ミラー部材６０の状態を、第１状態及び第２状態のそれぞれの状態で保持する状態保持部材８０を更に備える点で、上記の実施形態と相違する。なお、状態保持部材８０以外は上記の実施形態と同様の構成を有しているので、共通する構成要素には同一の符号を付してその説明は省略する。
【００７８】
本変形例では、状態保持部材８０が、例えばミラー部材６０に設けられた複数の磁石８１を含む。ミラー部材６０は平面視の形状が矩形状の平板状であり、ミラー部材６０が第１位置に配置されている状態で、ミラー部材６０の左右の側面には、前後方向の両端部に永久磁石のような磁石８１が複数（例えば４個）取り付けられている。
【００７９】
筐体７０の左右の横フード７５の内側面には、磁石８１の磁力によって吸着される磁性材料（例えば鉄など）の板片８２が複数取り付けられている。ここで、複数の板片８２は、第１位置にあるミラー部材６０の磁石８１と対向する４箇所の部位にそれぞれ配置された４つの第１板片８２１と、第２位置にあるミラー部材６０の磁石８１と対向する４箇所の部位にそれぞれ配置された４つの第２板片８２２とを含む。
【００８０】
ミラー部材６０が第１位置に配置されている第１状態（解除状態）では、ミラー部材６０の４つの磁石８１が筐体７０の４つの第１板片８２１をそれぞれ吸着することで、ミラー部材６０が第１位置で保持される。
【００８１】
一方、ミラー部材６０の突出片６３を上側に押して、ミラー部材６０を第１位置から移動させると、磁石８１が第１板片８２１から離れることによって、磁石８１の磁力による保持状態が解除される。ミラー部材６０の突出片６３を更に上側に押して、ミラー部材６０を第２位置まで移動させると、ミラー部材６０の４つの磁石８１が筐体７０の４つの第２板片８２２をそれぞれ吸着することで、ミラー部材６０が第２位置で保持される。このように、ミラー部材６０の四隅に設けられた磁石８１が筐体７０に設けられた第２板片８２２を吸着することによって、ミラー部材６０が第２状態（遮蔽状態）で保持されるので、自動車１００の振動等によるミラー部材６０のがたつきを低減できる。
【００８２】
また、第２位置に配置されたミラー部材６０の突出片６３を下側に引くと、磁石８１が第２板片８２２から離れることによって、磁石８１の磁力による保持状態が解除される。磁石８１の磁力による保持状態が解除されると、ミラー部材６０が自重によって第２位置から第１位置に移動する。そして、ミラー部材６０が第１位置まで移動すると、ミラー部材６０の４つの磁石８１が筐体７０の４つの第１板片８２１を吸着することで、ミラー部材６０が第１位置で保持される。このように、第２位置にあるミラー部材６０の突出片６３を下側に引いて磁石８１による保持状態を解除すると、ミラー部材６０が自重で第１位置まで移動するので、ミラー部材６０の状態を第１状態に切り替える操作を簡単に行うことができる。
【００８３】
なお、筐体７０には、ミラー部材６０の磁石８１が磁力で吸着する磁性材料の板片８２が設けられているが、筐体７０にはミラー部材６０の磁石８１が吸着する永久磁石のような磁石が設けられていてもよい。
【００８４】
また、筐体７０に磁石８１が設けられ、ミラー部材６０には磁石８１が吸着する板片８２が設けられてもよい。すなわち、本変形例において、ミラー部材６０及び筐体７０の一方に磁石８１が設けられ、ミラー部材６０及び筐体７０の他方には磁石８１が吸着する磁性材料の板片又は磁石が設けられてもよい。換言すれば、状態保持部材８０は、ミラー部材６０と筐体７０との少なくとも一方に設けられた磁石８１を含み、ミラー部材６０の状態が、磁石８１の磁力によって、第１状態及び第２状態のそれぞれで保持されればよい。状態保持部材８０である磁石８１の磁力によって、ミラー部材６０の状態が、第１状態及び第２状態のそれぞれで保持されるので、第１状態及び第２状態のそれぞれでミラー部材６０の位置ががたつくのを抑制できる。
【００８５】
また、本変形例において、状態保持部材８０を構成する磁石８１の数及び配置は、ミラー部材６０の形状、及びミラー部材６０を保持する保持力等に応じて適宜変更が可能である。
【００８６】
また、本変形例において、状態保持部材８０に含まれる磁石８１は永久磁石に限定されず、電磁石でもよい。状態保持部材８０が電磁石を含む場合、電磁石のコイルへの通電を停止することによって、状態保持部材８０による保持状態を解除することができる。ここで、例えば図８の表示システム１が筐体７０の上下を反転させた状態で使用される場合、状態保持部材８０による保持状態が解除されると、ミラー部材６０を、ミラー部材６０の自重によって第１位置から第２位置へと移動させることができる。この構成によると、電磁石のコイルへの通電を停止するスイッチ（図示せず）を設けることによって、運転者等の観察者４００のスイッチ操作により、任意のタイミングでミラー部材６０を第１位置（解除状態の位置）から第２位置（遮蔽状態の位置）へと移動させることができる。電磁石のコイルへの通電を停止することによってミラー部材６０が第２位置に移動すると、再び電磁石のコイルへの通電が行われるようにしてもよい。これにより、第２位置におけるミラー部材６０の、がたつきを抑制できる。
【００８７】
（３．３）変形例３
変形例３の表示システム１について図９を参照して説明する。
【００８８】
変形例３の表示システム１は、状態保持部材８０が、ミラー部材６０に設けられたボールプランジャ８３を含む点で変形例２と相違する。なお、状態保持部材８０以外の構成は変形例２又は上記の実施形態と同様であるので、共通する構成要素には同一の符号を付して、その説明は省略する。
【００８９】
ミラー部材６０は平面視の形状が矩形状の平板状であり、ミラー部材６０が第１位置に配置されている状態で、ミラー部材６０の左右の側面には、前後方向の両端部にボールプランジャ８３が取り付けられている。
【００９０】
筐体７０の左右の横フード７５の内側面には、ボールプランジャ８３のボール部８３１が挿入される受け穴８４が設けられている。ミラー部材６０には複数（例えば４つ）のボールプランジャ８３が設けられており、筐体７０の左右の横フード７５の内側面には、ボールプランジャ８３のボール部８３１がそれぞれ挿入される複数の受け穴８４が設けられている。複数の受け穴８４は、例えば４つの第１受け穴８４１と、例えば４つの第２受け穴８４２とを含む。第１受け穴８４１には、第１位置にあるミラー部材６０のボールプランジャ８３が有するボール部８３１が挿入される。第２受け穴８４２には、第２位置にあるミラー部材６０のボールプランジャ８３が有するボール部８３１が挿入される。すなわち、ミラー部材６０の状態が、ボールプランジャ８３のボール部８３１が受け穴８４に挿入されることによって、第１状態及び第２状態のそれぞれで保持される。
【００９１】
ここで、ミラー部材６０が第１位置に配置されている状態では、ボールプランジャ８３のボール部８３１が筐体７０の第１受け穴８４１に挿入されることで、ミラー部材６０が第１位置で保持される。第１状態では、ミラー部材６０の四隅にあるボールプランジャ８３のボール部８３１が筐体７０の第１受け穴８４１にそれぞれ挿入されるので、自動車１００の振動等でミラー部材６０ががたつくのを抑制することができる。
【００９２】
ミラー部材６０の突出片６３を上側に押して、ミラー部材６０を第１位置から移動させると、ボール部８３１が第１受け穴８４１の外に出ることで、ボールプランジャ８３による保持状態が解除される。ミラー部材６０の突出片６３を更に上側に押して、ミラー部材６０を第２位置まで移動させると、ボールプランジャ８３のボール部８３１が第２受け穴８４２に挿入されることで、ミラー部材６０が第２位置で保持される。このように、ミラー部材６０の四隅にあるボールプランジャ８３のボール部８３１が第２受け穴８４２に挿入されることで、ミラー部材６０が第２状態で保持されるので、自動車１００の振動等によるミラー部材６０のがたつきを低減できる。
【００９３】
また、第２位置に配置されたミラー部材６０の突出片６３を下側に引くと、ボールプランジャ８３のボール部８３１が第２受け穴８４２の外に出ることで、ボールプランジャ８３によるミラー部材６０の保持状態が解除される。ボールプランジャ８３による保持状態を解除した後、突出片６３を更に下側に引いて、ミラー部材６０を第１位置まで移動させると、ボールプランジャ８３のボール部８３１が第１受け穴８４１に挿入されることでミラー部材６０が第１位置で保持される。
【００９４】
なお、本変形例では、ミラー部材６０にボールプランジャ８３が設けられているが、筐体７０にボールプランジャ８３が設けられ、ミラー部材６０にボールプランジャ８３のボール部８３１が挿入される受け穴８４が設けられてもよい。すなわち、本変形例において、ミラー部材６０及び筐体７０の一方にボールプランジャ８３が設けられ、ミラー部材６０及び筐体７０の他方にボールプランジャ８３のボール部８３１が挿入される受け穴８４が設けられていればよい。言い換えると、状態保持部材８０は、筐体７０とミラー部材６０との一方に設けられたボールプランジャ８３を含み、筐体７０とミラー部材６０との他方に、ボールプランジャ８３のボール部８３１が挿入される受け穴８４が設けられていればよい。そして、ミラー部材６０の状態が、ボール部８３１が受け穴８４に挿入されることによって、第１状態及び第２状態のそれぞれで保持される。
【００９５】
また、本変形例において、状態保持部材８０を構成するボールプランジャ８３の数及び配置は、ミラー部材６０の形状、及びミラー部材６０を保持する保持力等に応じて適宜変更が可能である。
【００９６】
なお、変形例２及び３の表示システム１は、磁石８１又はボールプランジャ８３を含む状態保持部材８０を備えているが、ミラー部材６０を第１状態及び第２状態で保持する状態保持部材８０は磁石及びボールプランジャに限定されない。状態保持部材８０は、ミラー部材６０及び筐体７０の一方に設けられた爪等でもよい。ミラー部材６０及び筐体７０の一方に設けられた爪を、ミラー部材６０及び筐体７０の他方に引っ掛けることで、第１状態及び第２状態のそれぞれの状態を保持してもよい。
【００９７】
なお、変形例２及び３では、状態保持部材８０が、ミラー部材６０の状態を、第１状態及び第２状態のそれぞれの状態で保持しているが、第１状態及び第２状態のうち少なくとも一方の状態（例えば第２状態）で保持してもよい。
【００９８】
（３．４）変形例４
変形例４の表示システム１について図１０及び図１１を参照して説明する。
【００９９】
変形例４の表示システム１は、図１０に示すように、筐体７０の左右の横フード７５の内側面に突起７５１が設けられ、ミラー部材６０の左右の側面に、突起７５１が挿入されるガイド溝６５が設けられている点で上記の実施形態と相違する。なお、突起７５１及びガイド溝６５以外の構成は上記の実施形態と同様であるので、上記の実施形態と共通する構成要素には同一の符号を付して、その説明を省略する。
【０１００】
ミラー部材６０のガイド溝６５には筐体７０に設けられた突起７５１が挿入されており、ミラー部材６０は、ガイド溝６５に突起７５１が挿入された状態で、筐体７０に対してスライド動作及び回転動作を行うことができる。ミラー部材６０が第１位置に配置されている状態で、ミラー部材６０の下面の前端部には下向きに突出する突出片６３Ａ（図１１参照）が設けられている。また、筐体７０の左右の横フード７５の内側面には、ミラー部材６０をガイドする２つのガイド突起７５２が上下方向に沿って形成されている。なお、筐体７０において第１位置に配置されたミラー部材６０の下側は開放されており、ミラー部材６０の下側には下フード７６は設けられていない。
【０１０１】
図１１に示すように、ミラー部材６０が第１位置に配置された第１状態では、突起７５１がガイド溝６５の溝内の右端付近に位置している。ミラー部材６０が第１位置に配置されると、変形例２又は３で説明した状態保持部材８０によってミラー部材６０が第１位置に配置された第１状態が保持されている。
【０１０２】
ミラー部材６０を第１状態から第２状態に切り替える場合、表示システム１のユーザ（例えば観察者４００）は突出片６３Ａを下向きに引っ張り、突起７５１を中心にミラー部材６０を反時計回り（矢印Ａ１の方向）に回転させる。その後、観察者４００は突出片６３Ａを持ち、ミラー部材６０を上方（矢印Ａ２の方向）に移動させる。このとき、突起７５１がガイド溝６５に挿入された状態で、ミラー部材６０がガイド突起７５２にガイドされながら、第２位置まで移動する。そして、ミラー部材６０が第２位置に移動した状態では、変形例２又は３で説明した状態保持部材８０によりミラー部材６０が第２位置に配置された第２状態が保持さる。
【０１０３】
上記の実施形態及び変形例４の表示システム１では、筐体７０とミラー部材６０との一方には突起６４又は７５１が設けられ、筐体７０とミラー部材６０との他方には、突起６４又は７５１が挿入されるガイド溝７７又は６５が設けられている。そして、ガイド溝７７又は６５の内部で突起６４又は７５１の位置が変化することによって、ミラー部材６０の状態が第１状態と第２状態とのいずれかに切り替えられる。このように、ガイド溝７７又は６５に沿って突起６４又は７５１の位置が変化することで、ミラー部材６０の状態が第１状態と第２状態とのいずれかに切り替えられるので、ミラー部材６０をスムーズに移動させることができる。
【０１０４】
（３．５）変形例５
変形例５の表示システム１について図１２を参照して説明する。
【０１０５】
変形例５の表示システム１は、図１２に示すように、ミラー部材６０を第１位置と第２位置との間で移動させるアクチュエータ６を更に備える点で上記の実施形態と相違する。なお、上記の実施形態と共通する構成要素には同一の符号を付して、その説明を省略する。
【０１０６】
本変形例では、横フード７５の内部に例えば第１ガイド溝７７１に沿ってウォームギア６１１が配置されている。ウォームギア６１１は回転可能な状態で配置されている。ウォームギア６１１の一端は収納室７３の内部に挿入されている。アクチュエータ６は例えば電動のモータを含み、ウォームギア６１１の一端はモータの出力軸に連結されている。また、収納室７３には、モータ（アクチュエータ６）を制御する制御回路７が収容されている。
【０１０７】
ウォームギア６１１の一部は第１ガイド溝７７１の溝内に露出しており、第１ガイド溝７７１の内部に挿入される第１突起６４１の周面にはピニオンギアが形成されている。第１突起６４１が第１ガイド溝７７１の溝内に挿入された状態では、第１ガイド溝７７１内に配置されているウォームギア６１１と、第１突起６４１に設けられたピニオンギアとが組み合わさっている。
【０１０８】
ここで、第１突起６４１はミラー部材６０に対して固定的に設けられており、制御回路７がアクチュエータ６を制御してウォームギア６１１を回転させると、ウォームギア６１１の回転に応じて、第１突起６４１が第１ガイド溝７７１内を移動する。そして、第１突起６４１が第１ガイド溝７７１内を移動することによって、ミラー部材６０が第１位置と第２位置との間で移動する。
【０１０９】
制御回路７は、例えば表示デバイス２又は表示制御部２２等から、表示デバイス２による表示の異常を示す異常信号が入力されると、モータ（アクチュエータ６）を制御してミラー部材６０を第１位置から第２位置に移動させる。これにより、表示デバイス２による表示に異常が発生した場合、ミラー部材６０が第２位置に配置されるので、観察者４００は、ミラー部材６０の反射面６１に映る反射像を見ることができる。よって、表示システム１は、表示デバイス２による表示に異常が発生した場合でも代替の表示が可能になる。
【０１１０】
なお、制御回路７は、例えば表示デバイス２又は表示制御部２２等から、表示デバイス２による表示が復旧したことを示す通知信号が入力されると、モータ（アクチュエータ６）を制御してミラー部材６０を第１位置に移動させてもよい。これにより、表示デバイス２による表示が復旧した場合、観察者４００は、表示デバイス２が表示した画像を反射光学系Ｂ１を介して見ることができる。
【０１１１】
なお、本変形例では、モータがウォームギア６１１を回転させることでミラー部材６０を移動させているが、モータがミラー部材６０を移動させる機構は適宜変更が可能である。例えば、ミラー部材６０に一端が接続されたワイヤの巻き取り及び送り出しを行う回転ドラムをモータで回転させることで、ミラー部材６０を第１位置と第２位置との間で移動させてもよい。また、アクチュエータ６は、モータに限定されず、ミラー部材６０を第１位置から第２位置まで移動させる機構を駆動するソレノイド等でもよい。
【０１１２】
（３．６）変形例６
上記の実施形態では、ハーフミラー４０を蒸着タイプのビームスプリッタとしているが、ハーフミラー４０は蒸着タイプのビームスプリッタに限定されない。図１３に示すように、表示デバイス２を液晶パネルとし、表示面２１上にλ／４位相差フィルム（第１のλ／４位相差フィルム）２３を配置した上で、ハーフミラー４０Ａを、平面ガラス４２上にワイヤーグリッドなどの反射型偏光素子４３とλ／４位相差フィルム４４とを積層した構成としてもよい。λ／４位相差フィルム２３は、液晶パネルからλ／４位相差フィルム２３に入射する入射光と、λ／４位相差フィルム２３を透過してλ／４位相差フィルム２３から出射する出射光との間に、電界振動方向において４分の１波長の位相差を発生させる。
【０１１３】
すなわち、図１３に示すハーフミラー４０Ａは、反射型偏光フィルム（反射型偏光素子４３）とλ／４位相差フィルム４４（第２のλ／４位相差フィルム）との積層構造を有している。反射型偏光素子４３は、所定の振動方向の光を透過する。λ／４位相差フィルム４４は、ハーフミラー４０における入射光と出射光との間に電界振動方向において４分の１波長の位相差を発生させる。ここで、ハーフミラー４０Ａを構成する反射型偏光素子４３は、例えばＳ偏光を反射し、Ｐ偏光を透過するような偏光素子である。
【０１１４】
このような構成を採用した場合、表示面２１から出射したＰ偏光は、表示面２１上のλ／４位相差フィルム２３によって円偏光に変換され、その後反射型偏光素子４３上のλ／４位相差フィルム４４によってＳ偏光に変換される。Ｓ偏光の光は反射型偏光素子４３でほとんどの光線が反射され、その反射光は反射型偏光素子４３上のλ／４位相差フィルム４４によって円偏光に変換される。円偏光の光は最終反射部材５０で反射された後、再び反射型偏光素子４３上のλ／４位相差フィルム４４に入射してＰ偏光に変換される。Ｐ偏光の光は反射型偏光素子４３でほとんどの光線が透過し、その透過光は観察者４００の目４０１に到達する。このような構成により蒸着タイプのビームスプリッタに比べて表示デバイス２からの光を効率よく観察者４００の目４０１に到達させることができる。
【０１１５】
なお、本変形例において、遮光部材８として光学ミラーに代えて液晶ミラー等の液晶が用いられる場合には、次のような構成を採用することが好ましい。遮光部材８が液晶ミラーである場合、液晶ミラーは例えばハーフミラー４０と観察者４００との間の光路上に配置される。液晶ミラーにおける光の透過率は、印加電圧に応じて変化する。より詳細には、液晶ミラーにおいて、少なくとも可視光の透過率が、印加電圧に応じて変化する。すなわち、液晶ミラーは、印加電圧に応じて、可視光の一部を遮蔽する遮蔽状態と、可視光の遮蔽を解除する解除状態と、のうちいずれか一方の状態を取り得る。遮蔽状態は、液晶ミラーでの可視光の透過率が比較的小さい状態である。解除状態は、液晶ミラーでの可視光の透過率が遮蔽状態に比べて比較的大きい状態である。ここで、液晶ミラーが解除状態の場合は、ハーフミラー４０での反射光の偏光方向が、液晶ミラーに到達する際に、液晶ミラーの分子配列の方向に沿うように、ハーフミラー４０及び表示面２１上のλ／４位相差フィルム４４，２３を含む反射光学系Ｂ１を設計すればよい。また、液晶ミラーが遮蔽状態の場合は、液晶ミラーに到達する際の光の偏光方向が、液晶ミラーの分子配列の方向と交差するように、ハーフミラー４０及び表示面２１上のλ／４位相差フィルム４４，２３を含む反射光学系Ｂ１を設計すればよい。
【０１１６】
（３．７）変形例７
上記の実施形態及び変形例１〜６において、反射光学系Ｂ１が、中間反射部材９０を更に含んでもよい。図１４は変形例７の表示システム１の概略的な説明図である。なお、反射光学系Ｂ１以外の構成は実施形態１と同様であるから、共通の構成要素には同一の符号を付して、その説明は省略する。
【０１１７】
変形例７の表示システム１は、中間反射部材９０と最終反射部材５０とを含む反射光学系Ｂ１を有している。
【０１１８】
表示デバイス２は、収納室７３の下部に、表示面２１を上側に向けた状態で収容されている。
【０１１９】
中間反射部材９０は、例えば平面鏡であり、収納室７３の上部に、反射面９１を下側に向けた状態で配置されている。中間反射部材９０は、表示デバイス２の表示面２１から出射した光をハーフミラー４０に向かって反射する。すなわち、変形例７の表示システム１では、反射光学系Ｂ１が、表示デバイス２の表示面２１から出射した光をハーフミラー４０に向かって反射する中間反射部材９０を、更に備えている。なお、中間反射部材９０は平面鏡に限定されず、凹面鏡でも凸面鏡でもよいし、フレネルミラーで構成されていてもよい。
【０１２０】
最終反射部材５０は、例えば凹面鏡である。最終反射部材５０は、反射面５１を後側に向けた状態で収納室７３の前部に配置されている。
【０１２１】
変形例７では、反射光学系Ｂ１が中間反射部材９０と最終反射部材５０とを有しており、表示デバイス２の表示面２１から出射された光は、中間反射部材９０の反射面９１に入射し、この反射面９１によってハーフミラー４０に向かって反射される。ハーフミラー４０に入射した光は、ハーフミラー４０によって反射されて、最終反射部材５０に入射する。最終反射部材５０は、入射光をハーフミラー４０に向かって反射し、ハーフミラー４０が入射光の一部を透過して、観察者４００の目に入射させる。
【０１２２】
なお、変形例７では中間反射部材９０の数が１つであるが、中間反射部材９０の数は１つに限定されず、適宜変更が可能である。
【０１２３】
また、上記の実施形態及び変形例１〜６では、反射光学系Ｂ１がハーフミラー４０を含んでいるが、反射光学系Ｂ１が、ハーフミラー４０を含むことは必須ではない。ハーフミラー４０に代えて筐体７０に透明カバーを取り付け、筐体７０の内部に表示デバイス２からの光を最終反射部材５０に向かって反射する中間反射部材を配置し、最終反射部材５０での反射光を透明カバーを通して外部に出力させてもよい。
【０１２４】
（３．８）その他の変形例
上記の実施形態において、表示デバイス２が収納室７３の上側に配置されているが、表示デバイス２が収納室７３の下側に配置されていてもよい。
【０１２５】
この場合、表示デバイス２、ハーフミラー４０、最終反射部材５０、及びミラー部材６０の配置は、図１の配置を上下反転させたような配置となる。ハーフミラー４０は、上端に比べて下端の方が後方に突出するように斜めに配置され、ミラー部材６０は、第１状態ではハーフミラー４０の上側に配置される。
【０１２６】
ミラー部材６０が第１位置に配置された第１状態において、突出片６３を操作してミラー部材６０を第１位置から移動させると、ミラー部材６０は自重で第２位置へと移動する。換言すると、操作部（突出片６３）を用いてミラー部材６０が第１位置から動かされると、ミラー部材６０の状態が、ミラー部材６０の自重によって第１状態から第２状態に切り替わる。これにより、表示デバイス２による表示に異常が発生した場合でも代替の表示が可能な表示システム１を提供することができる。また、ミラー部材６０の状態を第１状態から第２状態に切り替える操作を簡単に行うことができる。
【０１２７】
上記実施形態及び変形例の電子ミラーシステム５は、自動車１００に適用されるものに限らず、例えば、二輪車、電車、航空機、建設機械、及び船舶等、自動車１００以外の移動体にも適用可能である。
【０１２８】
（実施形態２）
実施形態２の表示システム１について図１５〜図１７を参照して説明する。
【０１２９】
実施形態２の表示システム１は、２以上の反射部材３が、表示デバイス２の表示面２１から出射した光をハーフミラー４０に向かって反射する中間反射部材９０を更に含む点で上記の実施形態１と相違する。なお、中間反射部材９０以外の構成は上記の実施形態１と同様であるので、実施形態１と共通する構成要素には同一の符号を付して、その説明を省略する。
【０１３０】
実施形態２では、２以上の反射部材３が、中間反射部材９０と、ハーフミラー４０と、最終反射部材５０とを含んでいる。すなわち、反射光学系Ｂ１が、中間反射部材９０と、ハーフミラー４０と、最終反射部材５０とを含んでいる。筐体７０の収納室７３には、中間反射部材９０と、ハーフミラー４０と、最終反射部材５０とが収容れている。また、図１５〜図１７では図示を省略しているが、収納室７３の内部には表示制御部２２も収容されている。
【０１３１】
実施形態２では、収納室７３の上側に、表示デバイス２が表示面２１を下側に向けた状態で配置されている。中間反射部材９０は、例えば平面鏡であり、収納室７３の下側に、反射面９１を上側に向けた状態で配置されている。ハーフミラー４０は、筐体７０の後壁７１に設けられた貫通孔７４に取り付けられている。最終反射部材５０は、収納室７３の前側に、反射面５１を後側に向けた状態で配置されている。ここで、ハーフミラー４０は、ハーフミラー４０の上端に比べて下端の方が後側に突出するように斜めに配置されている。
【０１３２】
図１５〜図１７では、表示デバイス２の表示面２１の中心付近から出射された光が、ハーフミラー４０を透過して筐体７０の外部に出射するまでの光路Ａ４１〜Ａ４５を点線で示している。また、図１７では、筐体７０の外部からミラー部材６０の中心付近に入射した光がミラー部材６０で反射される場合の光路Ａ５１〜Ａ５２を二点鎖線で示している。なお、図１５〜図１７において、光の光路Ａ４１〜Ａ４５，Ａ５１〜Ａ５２を示す線は説明のために図示しているに過ぎず、実際には表示されない。
【０１３３】
本実施形態では、図１５に示すように、表示デバイス２から出射された光を中間反射部材９０とハーフミラー４０とで反射させた後、最終反射部材５０によりハーフミラー４０に向かって反射させ、ハーフミラー４０を透過させて外部に出射させている。このような光路Ａ４１〜Ａ４５を形成するため、表示デバイス２は、表示面２１の法線方向に対して斜め方向（光路Ａ４１の方向）に光を出射している。本実施形態では、表示デバイス２の表示面２１から出力される光を３回反射しているので、画像の表示位置までの視距離を所望の距離に保ちながら、筐体７０（収納室７３）の更なる小型化を実現できる。
【０１３４】
ミラー部材６０の左右の側縁には、実施形態１と同様に、円柱状の突起６４が複数（例えば４個）設けられている。本実施形態では、複数の突起６４は、第１位置にあるミラー部材６０の左右の側面の前側に設けられた第１突起６４１と、第１位置にあるミラー部材６０の左右の側面の後側に設けられた第２突起６４２とを含む。また、第１位置にあるミラー部材６０の後端部には、斜め下向きに突出する突出片（操作部）が一体に設けられている。なお、図１５〜図１７では突出片の図示を省略している。
【０１３５】
また本実施形態では、筐体７０には、後壁７１の左右の両側縁から後方に突出する横フード７５と、後壁７１の上側縁から後方に突出する上フード７９とが、筐体７０と一体に設けられている。ここで、横フード７５と上フード７９とは一体的に設けられている。
【０１３６】
ミラー部材６０は、第１位置（図１５に示す位置）と第２位置（図１７に示す位置）との間で移動可能な状態で筐体７０に取り付けられている。第１位置は、筐体７０の上フード７９の下側に、上フード７９と平行するようにミラー部材６０が配置される位置である。第２位置は、ハーフミラー４０と観察者４００との間にミラー部材６０が配置される位置である。第２位置は、ハーフミラー４０を透過して観察者４００の目４０１に入射する光の光路Ａ４５に対して、ミラー部材６０の表面が９０度に近い角度で交差するようにミラー部材６０が配置される位置である。ここで、ミラー部材６０は、横フード７５と上フード７９とハーフミラー４０とで囲まれる空間に配置されている。すなわち、ミラー部材６０は、筐体７０の投影範囲内に収まるように筐体７０に保持（内蔵）されているので、筐体７０を大型化することなくミラー部材６０を配置することができる。
【０１３７】
ミラー部材６０の片側の面（第２位置に配置された状態で、ハーフミラー４０と反対側、つまり観察者４００側を向く面）は、少なくとも可視光領域の光を反射する反射面６１となっている。また、ミラー部材６０において、反射面６１と反対側の面は、反射面６１に比べて可視光領域の光の反射率が低い遮光面６２となっている。
【０１３８】
筐体７０には、左右の横フード７５の内側面に、ミラー部材６０の複数の突起６４がそれぞれ挿入される複数のガイド溝７７が設けられている。本実施形態では、複数のガイド溝７７は、ミラー部材６０の第１突起６４１が挿入される第１ガイド溝７７３と、ミラー部材６０の第２突起６４２が挿入される第２ガイド溝７７４とを含む。第１ガイド溝７７３は、横フード７５の内側面に前後方向に沿って設けられている。第２ガイド溝７７４は、横フード７５の内側面に、第１ガイド溝７７３と交差する方向に沿って設けられている。
【０１３９】
図１５に示すように、ミラー部材６０が第１位置に存在する第１状態（解除状態）では、第１突起６４１は第１ガイド溝７７３の溝内の前端付近に位置し、第２突起６４２は第２ガイド溝７７４の溝内の上端付近に位置している。ミラー部材６０は、上フード７９の下側に上フード７９の下面に沿って配置されており、ハーフミラー４０を透過して観察者４００の目４０１に入射する光の光路外に配置される。したがって、ミラー部材６０の状態が第１状態である場合には、観察者４００は、表示デバイス２の表示面２１に表示される画像（第１画像）を、反射光学系Ｂ１で反射することによって拡大され遠視点化された画像（第２画像）を見ることができる。なお、ミラー部材６０が第１位置に配置される状態では、上記の変形例２又は３で説明した状態保持部材８０によって、ミラー部材６０が第１状態で保持される。
【０１４０】
第１状態にあるミラー部材６０の突出片を観察者４００が下向きに引くと、図１６に示すように、第１突起６４１が第１ガイド溝７７３の内部を後方に移動し、第２突起６４２が第２ガイド溝７７４の内部を下方に移動する。ここで、第１突起６４１及び第２突起６４２はそれぞれ第１ガイド溝７７３及び第２ガイド溝７７４内で回転動作を行いながらスライド動作を行うことで、ミラー部材６０は全体として回転動作を行いながら第２位置に向かって移動する。なお、第１状態にあるミラー部材６０の突出片を下向きに引くことで、ミラー部材６０を第１位置から移動させると、ミラー部材６０は、ミラー部材６０の自重によって第１位置から第２位置へと移動する。したがって、ミラー部材６０の状態を第１状態から第２状態に切り替える操作を簡単に行うことができる。
【０１４１】
そして、ミラー部材６０の状態が第２状態に切り替えられると、図１７に示すように、第１突起６４１が第１ガイド溝７７３の溝内の後端付近に位置し、第２突起６４２が第２ガイド溝７７４の溝内の下端付近に位置する。第２状態では、ミラー部材６０は、反射面６１をハーフミラー４０と反対側（つまり観察者４００）に向けた状態で、上下方向に沿って配置される。この場合、観察者４００から見てハーフミラー４０のほぼ全体がミラー部材６０によって覆われており、観察者４００は、筐体７０の外部（例えば自動車１００の後方）からの光を反射面６１で反射した反射像を見ることができる。なお、ミラー部材６０が第２位置に配置された状態では、ハーフミラー４０を透過した光がミラー部材６０の遮光面６２で遮光されるので、観察者４００は、表示デバイス２の表示面２１に表示される画像を見ることはできない。したがって、表示デバイス２又は撮像部４等の故障によって、表示デバイス２の表示が異常になった場合、観察者４００は、ミラー部材６０の状態を第２状態とすることで、反射面６１で反射された反射像を見ることができる。なお、ミラー部材６０が第２位置に配置されると、上記の変形例２又は３で説明した状態保持部材８０によって、ミラー部材６０が第２状態で保持される。
【０１４２】
また、ミラー部材６０の状態を第２状態から第１状態に切り替える場合、ユーザ（例えば観察者４００）はミラー部材６０の突出片を上向きに押す。突出片が上向きに押されると、第１突起６４１が第１ガイド溝７７３の溝内を前側に移動し、第２突起６４２が第２ガイド溝７７４の溝内を上側に移動することによって、ミラー部材６０の状態が第２状態から第１状態に切り替えられる。ミラー部材６０の状態が第１状態に切り替えられることによって、観察者４００は、表示デバイス２の表示面２１の画像（第１画像）が反射光学系Ｂ１によって拡大反射された反射像（第２画像）を見ることができる。
【０１４３】
本実施形態では、第１状態において、ミラー部材６０が上フード７９の下側に、遮光面６２を下向きにして配置されているので、筐体７０の外部から遮光面６２に入射した光が遮光面６２で反射されてハーフミラー４０に映り込むのを抑制できる。また、第１状態では、ミラー部材６０が上フード７９の下側に、遮光面６２を下向きにして配置されているので、遮光面６２に埃等が溜まりにくくなるという利点がある。
【０１４４】
なお、本実施形態において、中間反射部材９０（第１の中間反射部材）に代えて、ハーフミラー４０での反射光を最終反射部材５０に向かって反射する第２の中間反射部材を備えてもよい。第２の中間反射部材は、収納室７３の下側に反射面を上側に向けて配置される。この場合、表示デバイス２から出射された光は、まずハーフミラー４０で第２の中間反射部材に向けて反射される。この反射光は、第２の中間反射部材で最終反射部材５０に向けて反射される。さらに、最終反射部材５０での反射光はハーフミラー４０に至り、ハーフミラー４０を透過して外部に出射する。このように、本実施形態において、反射光学系Ｂ１を構成する反射部材の数及び配置は適宜変更が可能である。
【０１４５】
また、実施形態２では、表示デバイス２が収納室７３の上側に配置されているが、表示デバイス２が収納室７３の下側に配置されていてもよい。
【０１４６】
この場合、表示デバイス２、中間反射部材９０、ハーフミラー４０、最終反射部材５０、及びミラー部材６０の配置は、図１５の配置を上下反転させたような配置となる。ハーフミラー４０は、下端に比べて上端の方が後方に突出するように斜めに配置され、ミラー部材６０は、第１状態ではハーフミラー４０の下側に配置される。
【０１４７】
また、実施形態１及び実施形態２では、ハーフミラー４０を蒸着タイプのビームスプリッタとしているが、ハーフミラー４０は蒸着タイプのビームスプリッタに限定されない。表示デバイス２を液晶パネルとし、表示面２１上にλ／４位相差フィルムを配置した上で、ハーフミラー４０を、平面ガラス上にワイヤーグリッドなどの反射型偏光素子（反射型偏光フィルム）とλ／４位相差フィルムとを積層した構成としてもよい。ここで、ハーフミラー４０を構成する反射型偏光素子は、例えばＳ偏光を反射し、Ｐ偏光を透過するような偏光素子である。このような構成を採用した場合、表示面２１から出射したＰ偏光は、表示面２１上のλ／４位相差フィルムによって円偏光に変換され、その後反射型偏光素子上のλ／４位相差フィルムによってＳ偏光に変換される。Ｓ偏光の光は反射型偏光素子でほとんどの光線が反射され、その反射光は反射型偏光素子上のλ／４位相差フィルムによって円偏光に変換される。円偏光の光は最終反射部材５０で反射された後、再び反射型偏光素子上のλ／４位相差フィルムに入射してＰ偏光に変換される。Ｐ偏光の光は反射型偏光素子でほとんどの光線が透過し、その透過光は観察者４００の目４０１に到達する。このような構成により蒸着タイプのビームスプリッタに比べて表示デバイス２からの光を効率よく観察者４００の目４０１に到達させることができる。
【０１４８】
なお、実施形態２では中間反射部材９０の数が１つであるが、中間反射部材９０の数は１つに限定されず、適宜変更が可能である。また、中間反射部材９０は平面鏡に限定されず、凹面鏡でも凸面鏡でもよいし、フレネルミラーで構成されていてもよい。
【０１４９】
（実施形態３）
実施形態３の表示システム１について図１８〜図１９を参照して説明する。
【０１５０】
上述した実施形態１又は２の表示システム１では、遮光部材８であるミラー部材６０が筐体７０の収納室７３の外側に筐体７０と分離できない状態で保持されているのに対して、本実施形態では、遮光部材８であるミラー部材６０Ａが筐体７０の内部に収容されている。なお、ミラー部材６０Ａが筐体７０の内部に収容されている点を除いては表示システム１の構成は上記の実施形態２と同様であるので、実施形態２と共通する構成要素には同一の符号を付して、その説明は省略する。なお、図１８では、表示デバイス２の表示面２１の中心付近から出射された光が、ハーフミラー４０を透過して筐体７０の外部に出射するまでの光路Ａ４１〜Ａ４４を点線で示している。また、図１９では、筐体７０の外部からミラー部材６０Ａの中心付近に入射した光がミラー部材６０Ａで反射される場合の光路Ａ５１〜Ａ５２を点線で示している。なお、図１８及び図１９において、光の光路Ａ４１〜Ａ４４，Ａ５１〜Ａ５２を示す線は説明のために図示しているに過ぎず、実際には表示されない。
【０１５１】
表示システム１は、表示デバイス２と、反射光学系Ｂ１と、遮光部材８であるミラー部材６０Ａと、ミラー部材６０Ａを解除状態及び遮蔽状態のいずれかの状態で保持する保持構造２００と、筐体７０と、を備えている。
【０１５２】
表示デバイス２は、収納室７３の上部に、表示面２１を下側に向けた状態で収容されている。
【０１５３】
反射光学系Ｂ１は、平面鏡のような中間反射部材９０と、ハーフミラー４０と、最終反射部材５０とを含む。
【０１５４】
筐体７０には、遮光部材８として、一方の面が反射面６１Ａである板状のミラー部材６０Ａが設けられている。
【０１５５】
保持構造２００は、ミラー部材６０Ａを保持するとともに、最終反射部材５０を更に保持する。
【０１５６】
この保持構造２００は、最終反射部材５０及びミラー部材６０Ａを、ミラー部材６０Ａの反射面６１Ａと最終反射部材５０の反射面５１とを互いに反対側に向けた状態で、筐体７０に対して回転可能な状態で保持している。
【０１５７】
保持構造２００が、最終反射部材５０の反射面５１がハーフミラー４０と対向する回転位置（図１８に示す位置）に、最終反射部材５０及びミラー部材６０Ａを回転させた状態が、最終反射部材５０への入射光及び最終反射部材５０での反射光を遮蔽しない解除状態となる。解除状態では、ミラー部材６０Ａは、最終反射部材５０に対してハーフミラー４０と反対側の位置であって、最終反射部材５０とハーフミラー４０との間の光路から外れた位置に配置されている。そして、解除状態では、最終反射部材５０の反射面５１が、ハーフミラー４０から入射した光を、観察者４００の目４０１に向かって反射することによって、観察者４００は、表示デバイス２の表示面２１に表示された画像（第１画像）に基づく画像（第２画像）を視認することができる。
【０１５８】
一方、保持構造２００が、図１８に示す回転位置から１８０度回転した回転位置（図１９に示す位置）に、最終反射部材５０及びミラー部材６０Ａを回転させた状態が、最終反射部材５０への入射光を遮蔽する遮蔽状態となる。ここで、ミラー部材６０Ａの反射面６１Ａの中心点Ｐ１における法線Ｌ１と、最終反射部材５０の反射面５１の中心点Ｐ２における法線Ｌ２とが非平行になるように、保持構造２００が最終反射部材５０及びミラー部材６０Ａを保持している。なお、反射面の中心点における法線とは、反射面の中心点を通り、かつ反射面の中心点における接線と直交する線である。なお、ここでいう「直交」とは、線又は面に対して直角に交差していることに限定されず、人の目で見てほぼ直交しているとみなせるのであれば、直交方向から多少（数度程度）ずれていてもよい。
【０１５９】
遮蔽状態では、ハーフミラー４０と最終反射部材５０との間の光路上にミラー部材６０Ａが配置される。遮蔽状態では、表示デバイス２の表示面２１から光が出射した場合、この光は中間反射部材９０とハーフミラー４０とで反射された後にミラー部材６０Ａに入射するため、ミラー部材６０Ａによって最終反射部材５０への入射光が遮蔽される。また、ミラー部材６０Ａの反射面６１Ａの法線Ｌ１と、最終反射部材５０の反射面５１の法線Ｌ２とは非平行になっているので、表示デバイス２から中間反射部材９０とハーフミラー４０とを介してミラー部材６０Ａに入射する光は、ミラー部材６０Ａによって観察者４００の目４０１の方向とは異なる方向に反射される。つまり、ミラー部材６０Ａが、表示デバイス２の表示面２１から出射された光を観察者４００の目４０１の方向とは異なる方向に反射することで、観察者４００が表示デバイス２に表示された画像（第１画像）に基づく画像（第２画像）を視認できない、つまり表示デバイス２に表示される画像が観察者４００に対して遮蔽された状態となる。なお、制御回路７が、アクチュエータ６を用いてミラー部材６０Ａを観察者４００と対向する位置に回転させた状態では、表示制御部２２が、例えば制御回路７からの遮蔽状態を通知する信号を受けて、表示デバイス２の表示を停止させるのが好ましい。
【０１６０】
上述のように、遮蔽状態では、表示デバイス２の表示面２１から出射した光は中間反射部材９０とハーフミラー４０とで反射された後にミラー部材６０Ａに入射し、ミラー部材６０Ａによって観察者６００の目４０１の方向とは異なる方向に反射される。つまり、ミラー部材６０Ａが、表示デバイス２の表示面２１から中間反射部材９０とハーフミラー４０とを介して入射した光を、観察者６００の目４０１の方向とは異なる方向に反射することで、観察者４００が表示デバイス２の表示面２１に表示された画像に基づく画像を見えない遮蔽状態としている。そして、遮蔽状態では、筐体７０の外部からハーフミラー４０を介してミラー部材６０Ａに入射した光が、ミラー部材６０Ａによって観察者４００の目４０１の方向に反射されるので、観察者４００は、筐体７０の外部からの光を反射面６１で反射した反射像を視認することができる。
【０１６１】
なお、本実施形態では、保持構造２００が、筐体７０に対して回転可能な状態で保持された回転体２１０を含んでおり、回転体２１０には最終反射部材５０とミラー部材６０Ａとが保持されている。回転体２１０は、回転軸２１１を中心に、第１回転位置と第２回転位置との間で回転可能に設けられている。第１回転位置は、図１８に示すように、解除状態において観察者４００に最終反射部材５０の反射面５１を対向させる位置である。第２回転位置は、図１９に示すように、遮蔽状態において観察者４００にミラー部材６０Ａの反射面６１Ａを対向させる位置である。回転軸２１１の軸方向から見た回転体２１０の形状は台形状であり、一方の取付面２１２には最終反射部材５０が取り付けられ、他方の取付面２１３にはミラー部材６０Ａが取り付けられている。ここで、最終反射部材５０は凹面鏡であるので、最終反射部材５０が取り付けられる取付面２１２は最終反射部材５０のカーブに合わせた曲面に形成されている。回転体２１０は、ミラー部材６０Ａの反射面６１Ａの中心点Ｐ１における法線Ｌ１と、最終反射部材５０の反射面５１の中心点Ｐ２における法線Ｌ２とが非平行となる状態で、ミラー部材６０Ａと最終反射部材５０とを保持している。この回転体２１０は、筐体７０の収納室７３に収容されたアクチュエータ６（例
えばモータ）によって駆動される。また、収納室７３には、アクチュエータ６を制御する制御回路７が収容されている。すなわち、表示システム１は、回転体２１０を第１回転位置と第２回転位置との間で移動させるアクチュエータ６を更に備えている。
【０１６２】
ここで、制御回路７は、例えば表示デバイス２又は表示制御部２２等から、表示デバイス２による表示が正常であることを示す信号が入力されている場合、アクチュエータ６を制御して回転体２１０を第１回転位置に回転させる。回転体２１０が第１回転位置に回転した状態では、表示デバイス２の表示面２１から出射した光は、中間反射部材９０とハーフミラー４０とで反射された後に最終反射部材５０に入射される。最終反射部材５０は、ハーフミラー４０から入射した光を、ハーフミラー４０に向かって反射する。最終反射部材５０での反射光の一部はハーフミラー４０を透過して観察者４００の目４０１に入射されるので、観察者４００は、表示デバイス２の表示面２１に表示された画像に基づく画像を視認することができる。なお、自動車１００の後方からハーフミラー４０を透過して最終反射部材５０の反射面５１に入射した光は、反射面５１によって観察者４００の目４０１（アイボックス）の方向とは異なる方向に反射されるので、観察者４００の目４０１に外乱光が入るのを抑制できる。
【０１６３】
一方、制御回路７は、例えば表示デバイス２又は表示制御部２２等から、表示デバイス２による表示が異常であることを示す異常信号が入力されると、モータ（アクチュエータ６）を制御して回転体２１０を第２回転位置に回転させる。なお、表示制御部２２は、表示デバイス２による表示が異常になると、表示デバイス２の表示を停止させており、表示デバイス２の表示面２１から光が出力されない状態となる。回転体２１０が第２回転位置に回転した状態では、筐体７０の外部（例えば自動車１００の後方）からハーフミラー４０を介してミラー部材６０Ａの反射面６１Ａに入射した光が、ミラー部材６０Ａの反射面６１Ａによって観察者４００の目４０１に向かって反射される。したがって、観察者４００は、ミラー部材６０Ａの反射面６１Ａに映った反射像を視認することができる。
【０１６４】
ここで、本実施形態では、ミラー部材６０Ａの反射面６１Ａの中心点Ｐ１における法線Ｌ１と、最終反射部材５０の反射面５１の中心点Ｐ２における法線Ｌ２とが非平行になるように回転体２１０に保持されている。したがって、最終反射部材５０での反射光が観察者４００に向かって反射される位置に回転体２１０が位置している状態から、回転体２１０を１８０度回転させると、ミラー部材６０Ａでの反射光を観察者４００に向かって反射させることができる。したがって、本実施形態では、回転体２１０を１８０度回転させるごとに、解除状態と遮蔽状態とを交互に切り替えることができる。このように、解除状態に切り替える場合と遮蔽状態に切り替える場合とで回転体２１０の回転角度が同じ角度であるので、解除状態及び遮蔽状態のそれぞれで回転体２１０の位置を保持する状態保持部材を共通化できるという利点がある。また、表示システム１は、回転体２１０を第１回転位置と第２回転位置との間で移動させるアクチュエータ６を更に備えているので、アクチュエータ６を用いて解除状態と遮蔽状態とを切り替えることができる。
【０１６５】
なお、本実施形態では、ミラー部材６０Ａの反射面６１Ａの中心点Ｐ１における法線Ｌ１と、最終反射部材５０の反射面５１の中心点Ｐ２における法線Ｌ２とが非平行になるように回転体２１０に保持されているが、保持構造２００の構成は適宜変更が可能である。
【０１６６】
例えば、図２０に示すように、回転体２１０は、ミラー部材６０Ａの反射面６１Ａと最終反射部材５０の反射面５１とが互いに反対側を向き、かつ、ミラー部材６０Ａの反射面６１Ａの中心点Ｐ１における法線Ｌ１と、最終反射部材５０の反射面５１の中心点Ｐ２における法線Ｌ２とが平行となる状態で、ミラー部材６０Ａと最終反射部材５０とを保持してもよい。なお、ここでいう「平行」とは、線又は面に対して完全に平行な状態に限定されず、人の目で見てほぼ平行であるとみなせるのであれば、平行な状態から多少（数度程度）ずれていてもよい。
【０１６７】
ここで、制御回路７がアクチュエータ６を制御して回転体２１０を一方向（右回り又は左回り）に回転させる場合に、解除状態から遮蔽状態に切り替える場合と、遮蔽状態から解除状態に切り替える場合とで互いに異なる角度で回転体２１０を回転させている。つまり、第１回転位置（解除状態の位置）と第２回転位置（遮蔽状態の位置）との間で回転体２１０が回転する角度が１８０度以外の所定の角度である。このように、解除状態から遮蔽状態に切り替える場合の回転体２１０の回転角度と、遮蔽状態から解除状態に切り替える場合の回転体２１０の回転角度とを異なる角度とすることで、解除状態での最終反射部材５０の反射面５１の中心点Ｐ２における法線Ｌ２に沿う方向と、遮蔽状態でのミラー部材６０Ａの反射面６１Ａの中心点Ｐ１における法線Ｌ１に沿う方向とを異なる方向とすることができる。
【０１６８】
これにより、解除状態では、表示デバイス２の表示面２１からの出射光を中間反射部材９０とハーフミラー４０とで反射した光は、最終反射部材５０によって観察者４００の方向に反射されるので、観察者４００は、表示デバイス２に表示された画像（第１画像）に基づく画像（第２画像）を視認することができる。一方、遮蔽状態では、筐体７０の外部（例えば自動車１００の後方）からハーフミラー４０を通ってミラー部材６０Ａの反射面６１Ａに入射した光が、反射面６１Ａによって観察者４００の方向に反射されるので、観察者４００は、反射面６１Ａによる反射像（自動車１００の後方の画像）を視認することができる。なお、遮蔽状態では表示デバイス２が発光を停止しているが、仮に表示デバイス２の表示面２１から光が出射している場合でも、この出射光は中間反射部材９０とハーフミラー４０とで反射された後、ミラー部材６０Ａの反射面６１Ａによって観察者４００（アイボックス）の方向とは異なる方向に反射されることになり、観察者４００の目４０１に入射されることはない。
【０１６９】
なお、本実施形態では、回転体２１０に最終反射部材５０と遮光部材８とが保持されているが、回転体２１０は必須の構成ではなく、適宜省略可能である。保持構造２００は、最終反射部材５０及び遮光部材８の各々を別個に筐体７０に対して回転可能な状態で筐体７０に直接取り付けてもよい。
【０１７０】
また、本実施形態では、回転体２１０に、最終反射部材５０と、遮光部材８であるミラー部材６０Ａとが保持されているが、回転体２１０には、１以上の別のミラー部材が更に保持されていてもよい。なお、以下では、遮光部材８であるミラー部材６０Ａを第１ミラー部材と言い、遮光部材８であるミラー部材６０Ａ以外の別のミラー部材を第２ミラー部材と言う場合もある。
【０１７１】
例えば、図２１は、最終反射部材５０及び第１ミラー部材６０Ａの他に、１つの第２ミラー部材３２０を保持する回転体２１０の一例を示している。第２ミラー部材３２０は、例えば第１ミラー部材６０Ａに比べて反射率が低い平面の防眩ミラーである。ここで、第２ミラー部材３２０（別のミラー部材）の反射面３２１の中心点Ｐ３における法線Ｌ３は、最終反射部材５０の反射面５１の中心点Ｐ２における法線Ｌ２、及び、第１ミラー部材（ミラー部材）６０Ａの反射面６１Ａの中心点Ｐ１における法線Ｌ１の各々に対して非平行である。なお、第２ミラー部材３２０は平面の防眩ミラーに限定されず、広角の視野が得られる凸面鏡であってもよい。
【０１７２】
ここで、回転軸２１１の軸方向から見た回転体２１０の形状は台形状であり、回転軸２１１に沿った４つの面のうち、平行２平面のうちの一面（例えば小さい方の面）を除いた３つの面２１２〜２１４に、最終反射部材５０と第１ミラー部材６０Ａと第２ミラー部材３２０とが取り付けられている。ここで、回転体２１０には、最終反射部材５０と第２ミラー部材３２０との間に第１ミラー部材６０Ａが配置されるように、最終反射部材５０と第１ミラー部材６０Ａと第２ミラー部材３２０とが取り付けられている。
【０１７３】
この表示システム１では、解除状態では最終反射部材５０が観察者４００に対向する位置に配置されるように、制御回路７がアクチュエータ６を制御して回転体２１０を回転させる。これにより、観察者４００は表示デバイス２の表示面２１に表示された画像に基づく画像を視認することができる。
【０１７４】
一方、遮蔽状態では、第１ミラー部材６０Ａ又は第２ミラー部材３２０が観察者４００に対向する位置に配置されるように、制御回路７がアクチュエータ６を制御して回転体２１０を回転させる。第１ミラー部材６０Ａが観察者４００に対向する位置に配置された場合には、筐体７０の後方からハーフミラー４０を通って第１ミラー部材６０Ａの反射面６１Ａに入射した光が、反射面６１Ａによって観察者４００の方向に反射されるので、観察者４００は反射面６１Ａによる反射像（自動車１００の後方の画像）を視認できる。同様に、第２ミラー部材３２０が観察者４００に対向する位置に配置された場合には、筐体７０の後方からハーフミラー４０を通って第２ミラー部材３２０の反射面３２１に入射した光が、反射面３２１によって観察者４００の方向に反射されるので、観察者４００は反射面３２１による反射像（自動車１００の後方の画像）を視認できる。なお、第２ミラー部材３２０が第１ミラー部材６０Ａに比べて反射率が低い防眩ミラーである場合、第１ミラー部材６０Ａに比べて反射光の光量が低下するので、例えば夜間に後続車両のヘッドライト等の眩しい光が入射した場合でも、観察者４００が眩しいと感じる可能性を低減できる。
【０１７５】
また、図２２Ａ〜図２２Ｃに示すように、回転軸２１１の軸方向から見た断面が台形である回転体２１０の回転軸２１１に沿う４つの面のうち、非平行な２面の一方に、最終反射部材５０を配置し、非平行な２面の他方にミラー部材６０Ａを配置してもよい。そして、回転体２１０には、ミラー部材６０Ａに対して光が入射する側に透光性を有する防眩ミラー３２２を配置してもよい。防眩ミラー３２２の反射率は、ミラー部材６０Ａの反射率よりも低く、例えば１０％程度である。なお、ミラー部材６０Ａ及び防眩ミラー３２２は平面鏡であり、ミラー部材６０Ａの反射面と防眩ミラー３２２の反射面３２３とは互いに非平行になるように回転体２１０に保持されている。つまり、回転体２１０の回転軸２１１の軸方向から見て、ミラー部材６０Ａの反射面６１Ａの中心点Ｐ１における法線Ｌ１と、防眩ミラー３２２の反射面３２３の中心点Ｐ３における法線Ｌ３とが非平行になるように、ミラー部材６０Ａと防眩ミラー３２２とが回転体２１０に保持されている。なお、ミラー部材６０Ａと防眩ミラー３２２との間には透光性を有する部材（例えばガラス又はアクリル樹脂等）が配置されている。防眩ミラー３２２は、防眩ミラー３２２に入射した入射光の一部を反射する。入射光の残りは防眩ミラー３２２を透過してミラー部材６０Ａに入射し、ミラー部材６０Ａによって防眩ミラー３２２による反射方向とは異なる反射方向に反射される。
【０１７６】
ここで、図２２Ａに示すように、最終反射部材５０が観察者４００と対向する位置に回転体２１０が回転した解除状態では、表示デバイス２の表示面２１からの出射光が中間反射部材９０とハーフミラー４０とで反射された後に、最終反射部材５０の反射面５１に入射する。そして、最終反射部材５０の反射面５１が、ハーフミラー４０から入射した光を観察者４００の目４０１の方向に反射するので、観察者４００は表示デバイス２の表示面２１に表示された画像に基づく画像を視認することができる。
【０１７７】
一方、図２２Ｂに示すように、ミラー部材６０Ａの反射面６１Ａによる反射光が観察者４００の目４０１に入射する位置に回転体２１０が回転した状態では、観察者４００はミラー部材６０Ａによる反射像を視認する。すなわち、筐体７０の外部からハーフミラー４０を通って入射した光は、その大部分が防眩ミラー３２２を透過してミラー部材６０Ａに入射し、ミラー部材６０Ａの反射面６１Ａで反射される。この反射面６１Ａでの反射光はハーフミラー４０を透過して観察者４００の目４０１に入射するので、観察者４００はミラー部材６０Ａによる反射像を視認することができる。なお、防眩ミラー３２２によっても入射光の一部が反射されるが、防眩ミラー３２２は観察者４００とは異なる方向に光を反射するので、防眩ミラー３２２による反射像が観察者４００に視認されることはない。
【０１７８】
また、図２２Ｃに示すように、防眩ミラー３２２の反射面３２３による反射光が観察者４００の目４０１に入射する位置に回転体２１０が回転した状態では、観察者４００は防眩ミラー３２２による反射像を視認する。すなわち、筐体７０の外部からハーフミラー４０を通って入射した光の一部は、防眩ミラー３２２の反射面３２３によって反射される。この反射面３２３での反射光はハーフミラー４０を透過して観察者４００の目４０１に入射するので、観察者４００は防眩ミラー３２２での反射像を視認することができる。ここで、防眩ミラー３２２の反射率はミラー部材６０Ａの反射率よりも低いので、例えば夜間等に筐体７０の外部から眩しい光（後続車のヘッドライトの光等）が入射した場合でも、観察者４００が眩しさを感じる可能性を低減できる。なお、防眩ミラー３２２に入射した光の大部分は防眩ミラー３２２を透過してミラー部材６０Ａに入射し、ミラー部材６０Ａの反射面６１Ａによって反射されるが、反射面６１Ａは観察者４００とは異なる方向に入射光を反射するので、ミラー部材６０Ａによる反射像は観察者４００によって視認されることはない。
【０１７９】
このように、回転体２１０には最終反射部材５０とミラー部材６０Ａと防眩ミラー３２２とが保持されており、回転体２１０の回転位置を変えることによって、表示デバイス２に表示された画像に基づく画像を観察者４００に見せる状態（解除状態）と、ミラー部材６０Ａ又は防眩ミラー３２２による反射像を観察者４００に見せる状態（遮蔽状態）とを切り替えることができる。
【０１８０】
また、図２２Ａ〜図２２Ｃに示す表示システムでは、ミラー部材６０Ａに対して光が入射する側に防眩ミラー３２２が配置されているが、図２３に示すように、回転体２１０の一面に防眩ミラー３２２を配置するとともに、防眩ミラー３２２に対して光が入射する側にミラー部材６０Ａが配置されていてもよい。
【０１８１】
また、図２４に示すように、回転体２１０は、回転軸２１１の軸方向と交差する断面の形状が四角形である四角柱であってもよい。そして、回転体２１０において、回転軸２１１の軸方向に沿う４つの側面には、２つの最終反射部材５０と、２つのミラー部材６０Ａとが交互に配置されていればよい。
【０１８２】
ここで、回転体２１０は、回転軸２１１の軸方向と交差する断面の形状が平行四辺形である。そして、回転軸２１１と直交する面内で、各最終反射部材５０の反射面５１の中心点における法線Ｌ２を回転軸２１１を中心に９０度回転させた場合、各ミラー部材６０Ａの反射面６１の中心点Ｐ１における法線Ｌ１と非平行になるように、２つの最終反射部材５０と２つのミラー部材６０Ａとが回転体２１０に保持されている。
【０１８３】
したがって、制御回路７は、解除状態から遮蔽状態に切り替える場合、又は、遮蔽状態から解除状態に切り替える場合、アクチュエータ６を制御して回転体２１０を９０度回転させればよい。
【０１８４】
解除状態では、２つの最終反射部材５０のいずれかが観察者４００と対向するように配置されるので、観察者４００は表示デバイス２の表示面２１に表示された画像に基づく画像を視認することができる。
【０１８５】
一方、遮蔽状態では、２つのミラー部材６０Ａのいずれかが観察者４００と対向するように配置される。ミラー部材６０Ａが観察者４００に対向する位置に配置された場合には、筐体７０の後方からハーフミラー４０を通ってミラー部材６０Ａの反射面６１Ａに入射した光が、反射面６１Ａによって観察者４００の方向に反射されるので、観察者４００は反射面６１Ａによる反射像（自動車１００の後方の画像）を視認できる。
【０１８６】
このように、図２４に示す保持構造２００では、回転体２１０を９０度回転させることで、解除状態から遮蔽状態、又は、遮蔽状態から解除状態に切り替えられるので、解除状態又は遮蔽状態に切り替えるために回転体２１０を回転させる角度を１８０度よりも小さくできる。また、図２４に示す向きにおいて、回転体２１０を右回り及び左回りのいずれの方向でも９０度回せば解除状態と遮蔽状態との切り替えが可能になる。
【０１８７】
ここで、回転体２１０に取り付けられた２つのミラー部材６０Ａは平面鏡でもよいし、凸面鏡でもよく、またフレネルミラーでもよい。
【０１８８】
また、回転体２１０に保持されている２つのミラー部材６０Ａは同じ種類の鏡であるが、２つの最終反射部材５０を回転体２１０の対向二面に取り付け、回転体２１０の残りの二面に、ミラー部材（第１ミラー部材）６０Ａと、ミラー部材６０Ａとは別のミラー部材（第２ミラー部材）３２０を取り付けてもよい。別のミラー部材３２０は、例えば、ミラー部材６０Ａに比べて反射率が低い防眩ミラーでもよいし、広角の視野が得られる凸面鏡でもよい。
【０１８９】
なお、本実施形態において、図２５に示すように、反射光学系Ｂ１が含むハーフミラーとして、実施形態１の変形例６と同様の構成を有するハーフミラー４０Ａを適用してもよい。つまり、反射光学系Ｂ１に含まれるハーフミラーを、所定の振動方向の光を透過する反射型偏光フィルム（反射型偏光素子４３）と、λ／４位相差フィルム４４と、の積層構造を有するハーフミラー４０Ａとしてもよい。λ／４位相差フィルム（第１のλ／４位相差フィルム）４４は、ハーフミラー４０Ａにおける入射光と出射光との間に電界振動方向において４分の１波長の位相差を発生させる。表示デバイス２の表示面２１から出射した光はハーフミラー４０Ａを介して最終反射部材５０に入射し、最終反射部材５０での反射光はハーフミラー４０Ａを透過して観察者４００の目４０１に入射することで映像を表示している。
【０１９０】
この場合、表示デバイス２が液晶パネルを含み、表示面２１上にλ／４位相差フィルム２３を配置した上で、ハーフミラー４０Ａを、平面ガラス４２上にワイヤーグリッドなどの反射型偏光素子４３とλ／４位相差フィルム４４とを積層した構成とすればよい。
【０１９１】
また、本実施形態では、筐体７０には、遮光部材８として、一方の面が反射面６１Ａである板状のミラー部材６０Ａが設けられている。解除状態では、図２５に示すように、最終反射部材５０から観察者４００の目４０１に入射する光の光路外の第１位置にミラー部材６０Ａが配置される。遮蔽状態では、ミラー部材６０Ａを保持する回転体２１０が１８０度回転しており、最終反射部材５０と観察者４００との間に反射面６１Ａを観察者４００に向けた状態でミラー部材６０Ａが配置される。このミラー部材６０Ａの表面には、λ／４位相差フィルム（第２のλ／４位相差フィルム）６６が設けられている。λ／４位相差フィルム６６は、ミラー部材６０Ａにおける入射光と出射光との間に、電界振動方向において４分の１波長の位相差を発生させる。
【０１９２】
このような構成を採用した場合、解除状態では、表示面２１から出射したＰ偏光は、表示面２１上のλ／４位相差フィルム２３によって円偏光に変換され、その後反射型偏光素子４３上のλ／４位相差フィルム４４によってＳ偏光に変換される。Ｓ偏光の光は反射型偏光素子４３でほとんどの光線が反射され、その反射光は反射型偏光素子４３上のλ／４位相差フィルム４４によって円偏光に変換される。円偏光の光は最終反射部材５０で反射された後、再び反射型偏光素子４３上のλ／４位相差フィルム４４に入射してＰ偏光に変換される。Ｐ偏光の光は反射型偏光素子４３で殆どの光線が透過し、その透過光は観察者４００の目４０１に到達する。このような構成により蒸着タイプのビームスプリッタに比べて表示デバイス２からの光を効率よく観察者４００の目４０１に到達させることができる。
【０１９３】
また、遮蔽状態では、筐体７０の外部からの入射光はハーフミラー４０Ａを透過して筐体７０の内部に入射するのであるが、入射光のうちＰ成分の光が反射型偏光素子４３を透過し、λ／４位相差フィルム４４によって円偏光に変換される。ハーフミラー４０Ａを透過した円偏光の光は、λ／４位相差フィルム６６によってＳ偏光に偏光されてミラー部材６０Ａの反射面６１Ａに入射する。ミラー部材６０Ａの反射面６１Ａは入射光を反射し、この反射光が再びλ／４位相差フィルム６６を透過することによって円偏光に変換されて、ハーフミラー４０Ａに入射される。このとき、ハーフミラー４０Ａの入射光（円偏光の光）はλ／４位相差フィルム４４を透過することによってＰ偏光に変換される。Ｐ偏光の光は反射型偏光素子４３で殆どの光線が透過し、その透過光は観察者４００の目４０１に到達する。このような構成により、遮蔽状態においても、蒸着タイプのビームスプリッタに比べて表示デバイス２からの光を効率よく観察者４００の目４０１に到達させることができる。
【０１９４】
（実施形態４）
実施形態４に係る表示システム１について図２６〜図２８を参照して説明する。
【０１９５】
本実施形態の表示システム１は、図２６に示すように、表示面２１を有する表示デバイス２と、ハーフミラー４０と最終反射部材５０とを少なくとも含む２以上の反射部材３と、表示デバイス２と２以上の反射部材３とを保持する筐体７０とを備える。なお、図２６では、表示デバイス２の表示面２１の中心付近から出射された光が、ハーフミラー４０及び液晶ミラー１２を透過して筐体７０の外部に出射するまでの光路Ａ４１〜Ａ４５を点線で示している。なお、図２６において、光の光路Ａ４１〜Ａ４５を示す線は説明のために図示しているに過ぎず、実際には表示されない。
【０１９６】
上述のように、表示システム１は、ハーフミラー４０を含む反射光学系Ｂ１を備えている。表示デバイス２の表示面２１から出射した光はハーフミラー４０を介して最終反射部材５０に入射する。最終反射部材５０での反射光はハーフミラー４０を介して観察者４００の目４０１に入射することで映像（画像）を表示する。最終反射部材５０は、凹面鏡である。
【０１９７】
表示システム１は、遮光部材８（液晶ミラー１２）と、駆動部（駆動回路１３）と、を更に備える。遮光部材８は、最終反射部材５０での反射光の少なくとも一部を遮蔽する遮蔽状態と、最終反射部材５０での反射光の遮蔽を解除する解除状態とのうちいずれか一方の状態を取る。駆動部は、検知センサ１４の出力に応じて、遮光部材８の状態を解除状態から遮蔽状態に切り替える。検知センサ１４は、所定の検知エリアＲ１（図２８参照）における状況を検知する。
【０１９８】
本実施形態によれば、検知エリアＲ１における状況に応じて、駆動部（駆動回路１３）は、遮光部材８（液晶ミラー１２）の状態を解除状態から遮蔽状態に切り替える。この場合、凹面鏡（最終反射部材５０）への光の入射を抑制できるので、凹面鏡に入射した光が凹面鏡により反射光として検知エリアＲ１に集光されることを抑制できる。よって、検知エリアＲ１に存在する物体Ｏ１（図２８参照）が光により熱せられる可能性を低減できる。
【０１９９】
さらに詳細には、本実施形態の検知センサ１４は、物体センサ１５を含んでいる。検知エリアＲ１は、最終反射部材５０での反射光の光路が通るエリアである。物体センサ１５は、検知エリアＲ１における物体Ｏ１の存否を検知する。駆動部（駆動回路１３）は、物体センサ１５が検知エリアＲ１における物体Ｏ１の存在を検知すると、遮光部材８（液晶ミラー１２）の状態を解除状態から遮蔽状態に切り替える。これにより、検知エリアＲ１に存在する物体Ｏ１が光により熱せられる可能性を、さらに低減できる。
【０２００】
本実施形態の表示システム１は、駆動部（駆動回路１３）が、検知センサ１４の検知結果に応じて、遮光部材８（液晶ミラー１２）の状態を解除状態から遮蔽状態に切り替える点で、上述した実施形態１と相違する。なお、本実施形態の表示システム１において、実施形態１と共通する構成要素には同一の符号を付して、その説明は省略する。
【０２０１】
本実施形態の表示システム１は、上述したように、表示デバイス２と、２以上の反射部材３と、筐体７０と、遮光部材８（液晶ミラー１２）と、駆動部（駆動回路１３）と、を備えている。また、表示システム１は、表示制御部２２と、検知センサ１４と、を更に備えている。２以上の反射部材３は、上述のハーフミラー４０と、最終反射部材５０とに加えて、中間反射部材９０を更に含む。中間反射部材９０は、表示デバイス２の表示面２１から出射した光をハーフミラー４０に向かって反射する。
【０２０２】
本実施形態の表示システム１は、遮光部材８として液晶ミラー１２を備える。液晶ミラー１２は、最終反射部材５０での反射光の光路Ａ４４〜Ａ４５上に配置されている。ハーフミラー４０は、遮光部材である液晶ミラー１２と最終反射部材５０との間に配置されている。液晶ミラー１２（遮光部材８）における光の透過率は、印加電圧（検知センサ１４の出力）に応じて変化する。より詳細には、液晶ミラー１２における少なくとも可視光の透過率が、印加電圧に応じて変化する。すなわち、液晶ミラー１２は、印加電圧に応じて、最終反射部材５０での反射光等の可視光の少なくとも一部を遮蔽する遮蔽状態と、最終反射部材５０での反射光等の可視光の遮蔽を解除する解除状態と、のうちいずれか一方の状態を取る。遮蔽状態は、液晶ミラー１２の透過率が比較的小さい状態である。解除状態は、液晶ミラー１２の透過率が比較的大きい状態である。つまり、本開示における「遮蔽状態」とは、解除状態と比較して光を通しにくい状態であればよく、光を完全に通さない状態に限らない。駆動回路１３は、例えば、電源回路及び半導体集積回路（ＩＣ）を含む。駆動回路１３は、液晶ミラー１２への印加電圧を制御することにより、液晶ミラー１２の状態を解除状態と遮蔽状態との間で自在に切り替える。ここにおいて、遮光部材（液晶ミラー１２）の状態が遮蔽状態である場合に、ハーフミラー４０が遮光部材（液晶ミラー１２）と最終反射部材５０との間に位置するように、遮光部材（液晶ミラー１２）が配置されている。
【０２０３】
さらに、液晶ミラー１２が遮蔽状態のときは、液晶ミラー１２の外面１２００（観察者４００側の面）は、可視光を反射する反射面（鏡面）となる。外面１２００は、最終反射部材５０の反射面である反射面５１とは反対側を向いた面である。
【０２０４】
液晶ミラー１２は、液晶層１２１と、光拡散層１２２と、を含んでいる。液晶層１２１は、駆動回路１３からの印加電圧に応じて透過率が変化する部位である。より詳細には、印加電圧に応じて液晶層１２１の分子配列の方向が変化するので、これにより、光の透過と遮蔽とが切り替わる。光拡散層１２２は、液晶層１２１に積層されている。光拡散層１２２は、例えば、母材に散乱粒子を配合して形成されている。光拡散層１２２が光を拡散することで、液晶ミラー１２における映り込みが低減される。
【０２０５】
表示デバイス２の表示面２１から出射され、中間反射部材９０で反射され、ハーフミラー４０で反射され、最終反射部材５０で反射された光としての反射光の一部は、ハーフミラー４０を透過して、液晶ミラー１２に到達する。
【０２０６】
液晶ミラー１２が遮蔽状態の場合は、最終反射部材５０での反射光の大部分が、液晶ミラー１２で吸収又は反射される（遮蔽される）ので、筐体７０の外部からは表示面２１に表示される映像が視認できない。また、図２７に示すように、液晶ミラー１２が遮蔽状態のときは、液晶ミラー１２の外面１２００（観察者４００側の面）は、鏡面となる。そのため、観察者４００は、液晶ミラー１２に映る自動車１００の後方の像を視認することができる。すなわち、表示システム１は、表示デバイス２による表示に異常が発生した場合でも、液晶ミラー１２に映る鏡像により代替の表示が可能になる。図２７では、筐体７０の外部から液晶ミラー１２の中心付近に入射した光が液晶ミラー１２で反射される場合の光路Ａ７１〜Ａ７２を点線で示している。なお、図２７において、光の光路Ａ７１〜Ａ７２を示す線は説明のために図示しているに過ぎず、実際には表示されない。
【０２０７】
図２６に示すように、液晶ミラー１２が解除状態の場合は、最終反射部材５０での反射光の大部分が、液晶ミラー１２を透過するので、筐体７０の外部からは表示面２１に表示される映像を視認できる（光路Ａ４１〜Ａ４５参照）。
【０２０８】
ところで、図２８に示すように、検知センサ１４は、検知エリアＲ１における状況を検知する。本実施形態の検知センサ１４は、検知エリアＲ１における物体Ｏ１の存否を検知する物体センサ１５を含む。本実施形態の物体センサ１５は、近接センサである。物体センサ１５としては、例えば、超音波センサ、静電容量型近接スイッチ、又は、ＰＳＤ（Position Sensitive Device）等を用いることができる。物体Ｏ１の具体例は、人が持ち込む荷物、カーテン等の備品、車内に取り付けられたキャラクターストラップ等の装飾品、又は、人若しくは動物の体の一部である。なお、図２８では、物体Ｏ１を概念的に表しているに過ぎず、図２８で物体Ｏ１の実際の形状を表しているわけではない。
【０２０９】
物体センサ１５は、筐体７０に保持されている。より詳細には、物体センサ１５は、筐体７０に収容されている。ただし、物体センサ１５は、筐体７０の外部に配置されていてもよい。
【０２１０】
検知エリアＲ１は、筐体７０の後方の所定の広さのエリアである。また、検知エリアＲ１は、最終反射部材５０の焦点Ｆ１を含むエリアである。物体センサ１５として例えば超音波センサを用いる場合に、受信信号強度（RSSI：Received Signal Strength Indication）を計測することにより、検知エリアＲ１の範囲を制限することができる。すなわち、駆動回路１３は、超音波センサの受信信号強度が所定範囲内の場合に、検知エリアＲ１に物体Ｏ１が存在すると判定することができる。検知エリアＲ１の中心と筐体７０との間の最短距離は、例えば、１０ｃｍ程度である。また、アイボックス（自動車１００の運転者等の観察者４００の目４０１の位置）の中心と筐体７０との間の最短距離は、検知エリアＲ１と筐体７０との間の最短距離よりも長い。アイボックスは、検知エリアＲ１の外に存在する。アイボックスの中心と筐体７０との間の最短距離は、例えば、５０ｃｍ程度である。
【０２１１】
最終反射部材５０に入射する平行光は、焦点Ｆ１に集光する。図２８には、筐体７０の外部から最終反射部材５０に入射する平行光の２つの光路を点線で示している。２つの光路のうち一方は、光路Ａ８１〜Ａ８２であり、他方は、光路Ａ８３〜Ａ８４である。なお、図２８において、光の光路Ａ８１〜Ａ８２、Ａ８３〜Ａ８４を示す線は説明のために図示しているに過ぎず、実際には表示されない。
【０２１２】
最終反射部材５０には、太陽光等の光（外光）が入射する可能性がある。そして、最終反射部材５０での反射光が焦点Ｆ１に集光する可能性がある。もし、焦点Ｆ１又は焦点Ｆ１の付近に物体Ｏ１が存在すると、最終反射部材５０での反射光により物体Ｏ１が熱せられる可能性がある。そこで、駆動回路１３は、検知センサ１４の出力に応じて、液晶ミラー１２の状態を解除状態から遮蔽状態に切り替える。より詳細には、駆動回路１３は、検知センサ１４の物体センサ１５が、検知エリアＲ１における物体Ｏ１の存在を検知すると、液晶ミラー１２の状態を解除状態から遮蔽状態に切り替える。これにより、検知エリアＲ１に存在する物体Ｏ１が光により熱せられる可能性を低減できる。また、このように液晶ミラー１２の状態が遮蔽状態に切り替わったとき、筐体７０の外部からの光を液晶ミラー１２の外面１２００で反射した反射像を観察者４００に見せることができる。
【０２１３】
また、表示デバイス２の故障が原因で表示面２１に画像が映らなくなることによって、表示デバイス２の表示に異常が発生する場合がある。また、撮像部４の映像を表示デバイス２が表示する場合に、撮像部４の故障や撮像部４と表示デバイス２との間の通信の異常等によって、表示デバイス２の表示に異常が発生する場合がある。表示デバイス２の表示に異常が発生した場合には、液晶ミラー１２の状態を解除状態から遮蔽状態に切り替えることによって、筐体７０の外部からの光を液晶ミラー１２の外面１２００で反射した反射像を観察者４００に見せることができる。また、本実施形態では液晶ミラー１２の状態を解除状態から遮蔽状態に切り替え、液晶ミラー１２の外面１２００で筐体７０の外部からの光（観察者４００の背後からの光）を反射した反射像を観察者４００に見せている。したがって、液晶ミラー１２を使用せず筐体７０全体の角度を調整することで、ハーフミラー４０を光学式のミラーの代用とする場合に比べて、筐体７０を傾ける量を小さくでき、筐体７０によって前方（観察者４００の前方）の視界が遮られるのを抑制できる。よって、本実施形態によれば、表示デバイス２による表示に異常が発生した場合でも代替の表示が可能で、前方の視認性の低下を抑制可能な表示システム１を提供できる。本実施形態では、筐体７０を傾けることなく、液晶ミラー１２の状態を解除状態から遮蔽状態に切り替えることができる。
【０２１４】
また、駆動回路１３は、自動車１００が停止状態のとき、液晶ミラー１２の状態を遮蔽状態にする。停止状態とは、自動車１００が走行に関する機能を停止した状態である。より詳細には、停止状態とは、自動車１００の走行に要する回路が通電されていない状態である。例えば、自動車１００がイグニッションコイルを有するガソリン車の場合は、停止状態とは、イグニッションコイルが通電されていない状態を指す。なお、上述した実施形態１〜３において、自動車１００が走行に関する機能を停止した停止状態において、アクチュエータ６がミラー部材６０，６０Ａを第２位置に移動させてもよく、ミラー部材６０，６０Ａを遮蔽状態としてもよい。
【０２１５】
表示システム１の筐体７０は、中壁７０１を有している。中壁７０１は斜めに傾斜しており、この中壁７０１には貫通孔７４が設けられている。貫通孔７４は、上下方向の寸法に比べて左右方向（上下方向及び前後方向と直交する方向）の寸法が大きく、左右方向の寸法（長辺寸法）と上下方向の寸法（短辺寸法）との比率は約３〜６：１である。貫通孔７４にはハーフミラー４０が取り付けられている。
【０２１６】
筐体７０は、後壁８５を更に有している。後壁８５は、中壁７０１の後方に形成されている。後壁８５は上下方向に沿って形成されている。後壁８５には開口部８６が設けられている。開口部８６は、筐体７０のうち後壁８５の前後の空間をつないでいる。開口部８６は、上下方向の寸法に比べて左右方向（上下方向及び前後方向と直交する方向）の寸法が大きく、左右方向の寸法（長辺寸法）と上下方向の寸法（短辺寸法）との比率は約３〜６：１である。開口部８６には液晶ミラー１２が取り付けられている。ここにおいて、筐体７０の後壁８５等で、解除状態及び遮蔽状態のいずれの状態でも遮光部材８である液晶ミラー１２を保持する保持構造２００が構成されている。
【０２１７】
また、筐体７０には、後壁８５の左右の両側縁からそれぞれ後方に突出する横フード７５と、後壁８５の下側縁から後方に突出する下フード７６とが、筐体７０と一体に設けられている。つまり、筐体７０は、横フード７５と下フード７６とを備えている。ここで、横フード７５と下フード７６とは一体的に設けられている。さらに、筐体７０は、後壁８５の上側縁から後方に突出する上フード７９を備えている。
【０２１８】
本実施形態の表示システム１は、表示デバイス２の表示面２１から出射する光を反射する２以上の反射部材３として、ハーフミラー４０と、最終反射部材５０と、中間反射部材９０とを備えている。すなわち、表示システム１は、ハーフミラー４０と、最終反射部材５０と、中間反射部材９０とで構成される反射光学系Ｂ１を有している。
【０２１９】
ハーフミラー４０は、筐体７０の中壁７０１に設けられた貫通孔７４に取り付けられている。ハーフミラー４０は光透過性を有している。ハーフミラー４０は、入射光の一部を透過し、入射光の別の一部を反射する機能を有している。本実施形態では、ハーフミラー４０は、光の透過率と反射率とが約５０％である平板状のビームスプリッタで構成されている。ハーフミラー４０は、ハーフミラー４０の上端に比べて下端の方が後側に突出するように、上下方向に対して斜めに配置されている。
【０２２０】
ハーフミラー４０における最終反射部材５０側の面（以下、内側面ともいう）４１は、表示デバイス２の表示面２１及び最終反射部材５０の反射面５１とそれぞれ対向している。本実施形態では、ハーフミラー４０は、表示デバイス２の表示面２１からの光の入射方向、及び、反射面５１からの光の入射方向に対して、内側面４１の法線方向がそれぞれ斜めに交差するように配置されている。なお、本実施形態では、表示デバイス２からの光を反射する反射面である内側面４１が平面であるが、内側面４１は自由曲面のような曲面でもよい。ハーフミラー４０の内側面４１を自由曲面とすることで、反射面５１に形成される画像の歪みを低減したり、像面の湾曲を低減したり、解像度を向上させたりすることができる。
【０２２１】
最終反射部材５０は、凹面鏡である。最終反射部材５０の反射面５１は、例えばガラスの表面に、アルミニウム等の反射金属膜を蒸着することで形成される。最終反射部材５０は、反射面５１を後側に向けた状態で収納室７３の前部に配置されている。換言すれば、最終反射部材５０は、収納室７３の内部において、ハーフミラー４０の内側面４１と対向する位置に配置されている。
【０２２２】
本実施形態では、ハーフミラー４０の内側面４１が、表示デバイス２の表示面２１から出射された光を最終反射部材５０の反射面５１に向かって反射する。最終反射部材５０の反射面５１は、ハーフミラー４０の内側面４１での反射光をハーフミラー４０に向かって反射する。ハーフミラー４０は、最終反射部材５０から入射した光を透過し、ハーフミラー４０を透過した光が観察者４００の目４０１に入射することによって、観察者４００は、表示デバイス２の表示面２１に表示される画像に基づく画像を見ることができる。
【０２２３】
本実施形態の表示システム１及び表示システム１を備える電子ミラーシステム５の動作について以下に説明する。なお、液晶ミラー１２の状態は、最終反射部材５０での反射光の遮蔽を解除する解除状態に切り替えられているものとする。
【０２２４】
例えば、自動車１００のバッテリから電子ミラーシステム５に電力が供給され、自動車１００が備えるＥＣＵから電子ミラーシステム５に動作を開始させる制御信号が入力されると、電子ミラーシステム５が動作を開始する。
【０２２５】
例えば、自動車１００のＥＣＵから表示制御部２２に動作を開始させる制御信号が入力されると、表示制御部２２は、撮像部４に所定のフレームレートで自動車１００の後方を撮影させ、撮像部４から撮像画像の画像データを取得する。
【０２２６】
表示制御部２２は、撮像部４から撮像画像の画像データが入力されると、撮像画像に基づく画像を作成して、表示デバイス２の表示面２１に表示させる。
【０２２７】
表示デバイス２の表示面２１に画像が表示されると、この画像を形成する光は、光路Ａ４１と平行な方向に沿って、中間反射部材９０の反射面９１に向かって出射される。中間反射部材９０での反射光は、ハーフミラー４０の内側面４１に向かって出射される。ハーフミラー４０はビームスプリッタであり、ハーフミラー４０の内側面４１は、中間反射部材９０での反射光の一部を最終反射部材５０の反射面５１に向かって反射する。反射面５１は凹面鏡であり、表示面２１の画像を拡大した拡大画像を形成する光をハーフミラー４０の内側面４１に向かって反射する。ハーフミラー４０の内側面４１に反射面５１で反射された反射光が入射すると、入射光の一部がハーフミラー４０と液晶ミラー１２とを透過して筐体７０の外部に出射されるので、観察者４００は反射面５１によって拡大された画像を見ることができる。よって、観察者４００は、反射面５１によって拡大された画像をハーフミラー４０と液晶ミラー１２とを介して見ることによって、自動車１００の後方の状況を確認できる。
【０２２８】
また、駆動回路１３は、検知センサ１４の物体センサ１５が、検知エリアＲ１における物体Ｏ１の存在を検知すると、液晶ミラー１２の状態を解除状態から遮蔽状態に切り替える。これにより、検知エリアＲ１に存在する物体Ｏ１が光により熱せられる可能性を低減できる。また、このように液晶ミラー１２の状態が遮蔽状態に切り替わったとき、筐体７０の外部からの光を液晶ミラー１２の外面１２００で反射した反射像を、観察者４００に見せることができる。
【０２２９】
その後、駆動回路１３は、検知センサ１４の物体センサ１５が、検知エリアＲ１における物体Ｏ１の存在を検知しなくなると、液晶ミラー１２の状態を遮蔽状態から解除状態に切り替える。
【０２３０】
なお、駆動回路１３は、検知センサ１４の物体センサ１５が、検知エリアＲ１における物体Ｏ１の存在を最後に検知してから、所定の時間が経過した場合に、液晶ミラー１２の状態を遮蔽状態から解除状態に切り替えてもよい。
【０２３１】
（４）実施形態４の変形例
実施形態４の変形例について図２９を参照して説明する。
【０２３２】
本変形例の表示システム１は、駆動回路（駆動部）１３が、外光に関する所定条件が成立する場合は、検知センサ１４の出力に応じた、遮光部材８（例えば液晶ミラー１２）の状態の切り替えを停止する点で上記の実施形態４と相違する。
【０２３３】
ここで、所定条件は、外部から表示システム１に入射する外光に関する条件である。外部から表示システム１に入射する外光は、表示システム１を搭載した自動車１００の外部から入射する太陽光等の自然光を含む。例えば、最終反射部材５０に直接入射する太陽光が最終反射部材５０によって反射され、最終反射部材５０の焦点Ｆ１付近に集光された場合、焦点Ｆ１付近に集光された太陽光によって、焦点Ｆ１付近に存在する物体Ｏ１が加熱される。そして、最終反射部材５０に入射する外光の光量が許容範囲を超えると、焦点Ｆ１付近に存在する物体Ｏ１が異常に加熱される可能性がある。そのため、解除状態において、最終反射部材５０に入射する外光の光量が許容範囲を超える場合には、検知センサ１４の出力に応じて、遮光部材８を遮蔽状態に切り替えるのが好ましいが、最終反射部材５０に入射する外光の光量が許容範囲に収まっていれば、検知センサ１４の出力に応じて、遮光部材８を遮光状態に切り替えることは必須ではない。
【０２３４】
上記の所定条件は、例えば、解除状態において最終反射部材５０に入射する外光の光量が所定の許容範囲に収まっているという条件である。所定条件が成立する場合、駆動回路（駆動部）１３が、検知センサ１４の出力に応じた、遮光部材８（例えば液晶ミラー１２）の状態の切り替えを停止しており、遮光部材８は現在の状態（つまり解除状態）を維持することができる。なお、本変形例では、最終反射部材５０に入射する外光の光量を直接測定するのではなく、駆動回路１３は、時間に関する時間情報と、自動車１００に関する車両情報との少なくとも一方に基づいて、最終反射部材５０に入射する外光の光量が許容範囲内であるか否かを間接的に判断している。
【０２３５】
ここで、実施形態４では、表示システム１が自動車１００に搭載されている。検知センサ１４は、図２８に示すように、検知エリアＲ１における物体Ｏ１の存否を検知する物体センサ１５を含んでおり、最終反射部材５０での反射光の光路が検知エリアＲ１を通っている。本変形例では、上記の所定条件は、時間に関する時間情報と、自動車１００に関する車両情報と、の少なくとも一方に基づいた条件である。
【０２３６】
時間情報は、例えば、現在の時刻を表す情報を少なくとも含む。時間情報は、時刻の情報に加えて、現在の日、季節等を表す情報を含んでもよい。この時間情報は、例えば自動車１００が備えるＥＣＵ又はＧＰＳ（Global Positioning System）等から取得される。
【０２３７】
車両情報は、自動車１００が存在する場所での降雨に関連する降雨関連情報を含んでもよい。降雨関連情報は、例えば、自動車１００に設けられた、降雨を検知するための雨滴センサの計測情報、温湿度を計測するための温湿度センサの計測情報、及び自動車１００のワイパの動作状況を示す情報の少なくとも１つを含んでいればよい。
【０２３８】
車両情報は、例えばＧＰＳ等の測位システムによって測定される自動車１００の現在位置を表す現在地情報（例えば緯度、経度、及び高度の情報）を含み得る。車両情報は、自動車１００の現在地情報と地図情報とに基づいて得られる、自動車１００が存在する（走行又は停止している）場所を示す場所情報を含んでもよい。車両情報は、自動車１００に設けられた方位センサ等で測定される進行方向、又は、現在地情報の履歴等に基づいて推測される進行方向を表す進行方向情報を含んでもよい。
【０２３９】
また、車両情報は、例えば自動車１００に設けられた、自動車１００の傾斜角度を計測する傾斜角センサの計測結果を示す傾斜角情報を含んでもよい。ここで、自動車１００の傾斜角度とは、自動車１００の前後軸と水平面とがなすピッチ角を少なくとも含む。なお、ピッチ角の正負は、自動車１００の前部が上向きになるときのピッチ角を正、自動車１００の前部が下向きになるときのピッチ角を負とする。
【０２４０】
また、車両情報は、例えば自動車１００に備えられた前照灯及び車幅灯等の灯火が点灯しているか消灯しているかを示す点灯情報を含んでもよい。
【０２４１】
ここで、上記の所定条件は、例えば、昼間に比べて外光が少ない夜間であるという条件であってもよい。つまり、夜間であるという条件が成立すれば、最終反射部材５０に入射する外光の光量が許容範囲内であるという条件は成立するので、駆動回路１３は、夜間であるか否かを判断することによって、最終反射部材５０に入射する外光の光量が許容範囲内であるか否かを判断する。駆動回路１３は、夜間であるという条件が成立すると、物体センサ１５の出力に応じた液晶ミラー１２の状態の切り替えを停止する。具体的には、駆動回路１３は、時間情報に基づく現在の時刻が、日の入時刻から日の出時刻までの夜間の時間帯に含まれるという条件が成立すると、物体センサ１５の出力に応じた液晶ミラー１２の状態の切り替えを停止する。ここで、日の入時刻及び日の出時刻は、固定の時間でもよいが、駆動回路１３が、時間情報に含まれる日又は季節の情報に基づいて、日の入時刻及び日の出時刻を設定してもよい。また、駆動回路１３は、時間情報に含まれる日又は季節の情報と、現在地情報が示す現在位置の緯度、経度、及び高度の情報とに基づいて、日の入時刻及び日の出時刻を設定してもよい。また、駆動回路１３は、車両情報に含まれる点灯情報に基づき、前照灯及び車幅灯の少なくとも一方が点灯していれば、夜間であるという条件が成立したと判断し、物体センサ１５の出力に応じた液晶ミラー１２の状態の切り替えを停止してもよい。
【０２４２】
また、上記の所定条件は、例えば、晴天時及び曇天時に比べて外光が少ない雨降りであるという条件であってもよい。つまり、雨降りであるという条件が成立すれば、最終反射部材５０に入射する外光の光量が許容範囲内であるという条件は成立するので、駆動回路１３は、雨降りであるか否かを判断することによって、最終反射部材５０に入射する外光の光量が許容範囲内であるか否かを判断する。駆動回路１３は、雨降りであるという条件が成立すると、物体センサ１５の出力に応じた液晶ミラー１２の状態の切り替えを停止する。具体的には、駆動回路１３は、車両情報に含まれる降雨関連情報に基づいて雨が降っていると判断すると、物体センサ１５の出力に応じた液晶ミラー１２の状態の切り替えを停止する。
【０２４３】
また、上記の所定条件は、例えば、太陽光が当たらない場所（トンネル又は地下駐車場等）に自動車１００が存在するという条件であってもよい。つまり、太陽光が当たらない場所に自動車１００が存在するという条件が成立すれば、最終反射部材５０に入射する外光の光量が許容範囲内であるという条件は成立する。したがって、駆動回路１３は、太陽光が当たらない場所に存在するか否かを判断することによって、最終反射部材５０に入射する外光の光量が許容範囲内であるか否かを判断する。具体的には、駆動回路１３は、車両情報に含まれる現在地情報と地図情報とに基づいて、太陽光が当たらない場所に自動車１００が存在すると判断すると、物体センサ１５の出力に応じた液晶ミラー１２の状態の切り替えを停止する。
【０２４４】
また、上記の所定条件は、例えば、太陽の高度（仰角）が、最終反射部材５０に太陽光が直接入射可能な高度の最大値（この最大値を基準角度ともいう）よりも大きいという条件であってもよい。太陽の高度（仰角）が基準角度よりも大きければ、自動車１００の窓から太陽光が入射しても、最終反射部材５０に太陽光が入射しにくくなるので、太陽の高度が基準角度よりも大きいという条件が成立すれば、最終反射部材５０に入射する外光の光量が許容範囲内であると想定される。したがって、駆動回路１３は、太陽の高度が基準角度よりも大きいか否かを判断することによって、最終反射部材５０に入射する外光の光量が許容範囲内であるか否かを判断する。具体的には、駆動回路１３は、時間情報（時刻及び日の情報）と現在地情報（現在地の緯度及び経度）とに基づいて太陽の高度を推定し、太陽の高度の推定結果が基準角度よりも大きいという条件が成立すれば、物体センサ１５の出力に応じた液晶ミラー１２の状態の切り替えを停止する。ここにおいて、所定条件は、自動車１００の傾斜角度（例えばピッチ角）を更に考慮した条件でもあってもよい。すなわち、駆動回路１３は、太陽の高度（仰角）の推定結果に自動車１００のピッチ角を足した角度が基準角度よりも大きいという条件が成立した場合、物体センサ１５の出力に応じた液晶ミラー１２の状態の切り替えを停止してもよい。
【０２４５】
また、上記の所定条件は、例えば、自動車１００の姿勢（進行方向、及び自動車１００の傾斜角度等）が、自動車１００の外部からの外光（例えば太陽光）が最終反射部材５０に入射しにくいような姿勢であるという条件であってもよい。換言すれば、上記の所定条件は、最終反射部材５０の位置から自動車１００の窓（後部又は側方の窓）を通して見える範囲に太陽が存在しないという条件であってもよい。最終反射部材５０の位置から自動車１００の窓を通して見える範囲に太陽が存在しないという条件が成立すれば、最終反射部材５０に入射する外光の光量が許容範囲内に収まると想定される。したがって、駆動回路１３は、自動車１００の姿勢が、自動車１００の外部からの外光が最終反射部材５０に入射しにくいような姿勢であるか否かを判断することによって、最終反射部材５０に入射する外光の光量が許容範囲内であるか否かを判断する。具体的には、駆動回路１３は、車両情報に含まれる進行方向情報に基づいて自動車１００が南側（つまり太陽の方向）を向いている場合は、最終反射部材５０に外光が入射しにくい姿勢であるという条件が成立したと判断する。なお、駆動回路１３は、時間情報及び現在地情報に基づいて太陽の方位角を推定した結果と進行方向情報とに基づいて、自動車１００が太陽の方向を向いている場合は、最終反射部材５０に自然光が入りにくい姿勢であるという条件が成立したと判断してもよい。
【０２４６】
また、駆動回路１３は、車両情報に含まれる傾斜角情報に基づいて、最終反射部材５０に太陽光が入射しにくい姿勢であるという条件が成立しているか否かを判断してもよい。例えば、自動車１００が上り坂を走行中であれば、自動車１００の前部が上向きになるので、最終反射部材５０に太陽光が入射しにくくなると想定される。一方、自動車１００が下り坂を走行中であれば、自動車１００の前部が下向きになるので、最終反射部材５０に太陽光が入射しやすくなると想定される。したがって、駆動回路１３は、車両情報に含まれる傾斜角情報（ピッチ角の情報）に基づいて、ピッチ角が所定の判定角度（例えば０度）よりも大きければ、最終反射部材５０に太陽光が入射しにくい姿勢であるという条件が成立していると判断する。
【０２４７】
ここで、駆動回路１３が、外光に関する所定条件が成立する場合に、検知センサ１４の出力に応じた、遮光部材８（例えば液晶ミラー１２）の状態の切り替えを停止する動作を図２９に基づいて説明する。
【０２４８】
駆動回路１３は、所定のタイミングで（例えば、所定の判定時間が経過するごとに）、所定条件が成立しているか否かを判定する（Ｓ１）。この所定条件は、上記した複数の条件のうちの少なくとも１つを含む。
【０２４９】
処理Ｓ１において所定条件が不成立であると判定された場合（Ｓ１：Ｙｅｓ）、駆動回路１３は、物体センサ１５が検知エリアＲ１において物体Ｏ１の存在を検知しているか否かを判断する（Ｓ２）。
【０２５０】
処理Ｓ２において物体センサ１５が物体Ｏ１を検知していない場合（Ｓ２：Ｙｅｓ）、駆動回路１３は、液晶ミラー１２の切替状態を現状のまま維持する（Ｓ４）。これにより、観察者４００の好みに応じた現在の切替状態（解除状態または遮光状態）を維持することができる。
【０２５１】
処理Ｓ２において物体センサ１５が物体Ｏ１を検知している場合（Ｓ２：Ｎｏ）、駆動回路１３は、液晶ミラー１２の状態を遮蔽状態に制御する（Ｓ５）。遮蔽状態では、観察者４００は、液晶ミラー１２の反射面による反射像を視認することができる。また、液晶ミラー１２が遮蔽状態に制御された状態では、外光が最終反射部材５０に入射するのを抑制できる。
【０２５２】
また、処理Ｓ１において所定条件が成立していると判定された場合（Ｓ１：Ｎｏ）、駆動回路１３は、例えば物体センサ１５の出力を無視することで、物体センサ１５の出力に応じた、遮光部材８（液晶ミラー１２）の状態の切り替えを停止する（Ｓ３）。これにより、表示システム１は、遮光部材８の状態（例えば解除状態）を維持することができ、物体センサ１５の誤検知によって遮光部材８の状態が切り替えられる可能性を低減できる。また、所定条件が成立している場合は、遮光部材８（液晶ミラー１２）の状態の切り替えを停止するので、観察者４００の好みに応じた状態（解除状態または遮光状態）を維持することができる。
【０２５３】
駆動回路１３は、上記のＳ１〜Ｓ５の処理を繰り返し実行しており、所定条件が成立した場合は、物体センサ１５の出力に応じた、遮光部材８（液晶ミラー１２）の状態の自動切り替えを停止することができる。
【０２５４】
なお、図２９に示すフローチャートは、本変形例に係る表示システム１が所定条件に基づいて遮光部材８の状態を切り替える切り替え方法の一例に過ぎず、処理の順序が適宜変更されてもよいし、処理が適宜追加又は省略されてもよい。
【０２５５】
なお、図２９に示すフローチャートでは、処理Ｓ４において、液晶ミラー１２の現在の切替状態を維持しているが、解除状態に切り替えるようにしてもよい。
【０２５６】
なお、表示制御部２２は、液晶ミラー１２の状態が遮蔽状態に切り替わったとき表示デバイス２の表示を停止させてもよい。これにより、表示システム１の消費電力を低減できる。
【０２５７】
なお、実施形態４で説明した構成（変形例を含む）は、実施形態１、２又は３で説明した構成（変形例を含む）と適宜組み合わせて適用可能である。すなわち、実施形態１、２又は３において、制御回路７が、検知センサ１４（物体センサ１５）の検知結果に基づいて、アクチュエータ６を駆動し、遮光部材８の状態を解除状態と遮蔽状態とのいずれかに切り替えてもよい。
【０２５８】
（実施形態５）
実施形態５の表示システム１について図３０を参照して説明する。
【０２５９】
実施形態５の表示システム１は、検知センサ１４が、物体センサ１５に代えて、光量センサ１６を含んでいる点で上記の実施形態４と相違する。なお、光量センサ１６以外の構成は上記の実施形態４と同様であるので、実施形態４と共通する構成要素には同一の符号を付して、その説明を省略する。
【０２６０】
図３０では、筐体７０の外部から液晶ミラー１２の中心付近に入射した光が液晶ミラー１２で反射され、光量センサ１６に入射される場合の光路Ａ６１〜Ａ６２を点線で示している。なお、図３０において、光の光路Ａ６１〜Ａ６２を示す線は説明のために図示しているに過ぎず、実際には表示されない。
【０２６１】
光量センサ１６は、検知エリアＲ１における状況として、検知エリアＲ１側から入射する光量の少なくとも一部を検知する。本実施形態では、光量センサ１６は、検知エリアＲ１を通り光量センサ１６に到達する光の光量を検知する。本実施形態では、光量センサ１６は、筐体７０に収容されている。具体的には、光量センサ１６は、筐体７０の内部において、筐体７０の上面に沿って配置されている。そのため、光量センサ１６は、検知エリアＲ１側から筐体７０に入射する光量の少なくとも一部を検知する。光量センサ１６は、少なくとも太陽光の波長の光を検知可能であることが好ましい。光量センサ１６は、例えば、太陽電池パネルである。太陽電池パネルは、受光量に応じた電力を生成する。太陽電池パネルで生成された電力は、駆動回路１３へ出力される。ここで、検知エリアＲ１は、実施形態１の検知エリアＲ１とは異なるエリアであってもよい。本実施形態の検知エリアＲ１は、最終反射部材５０での反射光の光路が通らないエリアであってもよい。なお、光量センサ１６は、筐体７０の内部において、筐体７０の下面に沿って配置されてもよく、筐体７０の下面又は上面に沿って配置されていればよい。
【０２６２】
駆動回路１３は、光量センサ１６の出力に基づいて液晶ミラー１２の状態を解除状態から遮蔽状態に切り替える。例えば、駆動回路１３は、光量センサ１６の出力に基づく光量が所定値よりも大きいとき、液晶ミラー１２の状態を解除状態から遮蔽状態に切り替える。この所定値は、最終反射部材５０での反射光が焦点Ｆ１付近に集光された場合に、焦点Ｆ１付近に存在する物体Ｏ１の温度上昇が所定の上限値となるときの光量センサ１６の測定値よりも低い値に設定されていればよい。これにより、検知エリアＲ１に物体Ｏ１が存在しても、最終反射部材５０での反射光によって物体Ｏ１が熱せられる可能性を低減できる。また、光量センサ１６の出力に基づく光量が所定値以下であって液晶ミラー１２の状態が解除状態のときは、検知エリアＲ１における光量が比較的小さいため、検知エリアＲ１に物体Ｏ１が存在しても、物体Ｏ１が熱せられる可能性が比較的低い。よって、液晶ミラー１２の状態が解除状態の場合も、遮蔽状態の場合も、物体Ｏ１が熱せられる可能性を低減できる。すなわち、実施形態５でも、実施形態４と同様の作用及び効果を得ることができる。
【０２６３】
また、駆動回路１３は、液晶ミラー１２の状態を解除状態から遮蔽状態に切り替えてから、所定の時間が経過すると、液晶ミラー１２の状態を遮蔽状態から解除状態に切り替える。これにより、表示システム１の電子ミラーとしての機能を自動的に復帰させることができる。
【０２６４】
なお、光量センサ１６として、フォトダイオード、フォトトランジスタ、又はフォトレジスタ（photoresistor）を用いてもよい。
【０２６５】
また、検知センサ１４は、光量センサ１６に加えて、物体センサ１５を更に含んでいてもよい。駆動回路１３は、光量センサ１６の出力と物体センサ１５の出力との両方に基づいて、液晶ミラー１２の状態を解除状態と遮蔽状態との間で切り替えてもよい。例えば、光量センサ１６の出力に基づく光量が所定値よりも大きく、かつ、物体センサ１５の出力に基づいて検知エリアＲ１に物体Ｏ１が存在すると判定されるとき、駆動回路１３は、液晶ミラー１２の状態を解除状態から遮蔽状態に切り替えてもよい。これにより、例えば光量が所定値以下の場合には、検知エリアＲ１に物体Ｏ１が存在すると判定されても、駆動回路１３は、液晶ミラー１２の状態を遮蔽状態に切り替えないため、観察者４００が反射面５１によって拡大された画像を見る機会を増大させることができる。
【０２６６】
また、駆動回路１３は、光量センサ１６の出力に基づく光量が第１の値（所定値）よりも大きいとき、液晶ミラー１２の状態を解除状態から遮蔽状態に切り替える。その後、所定の時間が経過すると、液晶ミラー１２の反射率を、所定期間（短期間）だけ、解除状態における反射率と遮蔽状態における反射率との間の大きさ（以下、「中間反射率」と称す）に変化させてもよい。所定期間は、光量センサ１６が光量検知できる最小の期間以上であればよく、可能な限り短いことが好ましい。反射率を中間反射率に変化させた後、光量センサ１６で検知される光量が第２の値よりも大きい場合は、まだ検知エリアＲ１の光量が大きいため、駆動回路１３は、再び液晶ミラー１２の反射率を遮蔽状態における反射率に戻してもよい。つまり、このとき駆動回路１３は、液晶ミラー１２の状態を遮蔽状態にする。そして、その後駆動回路１３は、光量センサ１６で検知される光量が第２の値以下となるまで、所定の時間が経過する度に、液晶ミラー１２の反射率を所定期間（短期間）だけ中間反射率にしてもよい。一方で、駆動回路１３は、反射率を中間反射率に変化させた後、光量センサ１６で検知される光量が第２の値以下となった場合は、液晶ミラー１２の状態を解除状態にしてもよい。上述の第２の値は、例えば、第１の値よりも小さい。このような構成とすることにより、検知エリアＲ１の光量が小さくなれば、自動的に液晶ミラー１２の状態を遮蔽状態から解除状態に切り替えることができる。
【０２６７】
（５）実施形態５の変形例
（５．１）変形例１
実施形態５の変形例１の表示システム１について図３１に基づいて説明する。
【０２６８】
本変形例１の表示システム１は、図３１に示すように、光量センサ１６が、液晶ミラー１２の外側に配置されている点で、上記の実施形態５と相違する。なお、光量センサ１６の配置以外は上記の実施形態５と同様の構成を有しているので、共通する構成要素には同一の符号を付してその説明は省略する。
【０２６９】
光量センサ１６は、透光性を有している。光量センサ１６は、例えば、色素増感型太陽電池パネルである。光量センサ１６は、液晶ミラー１２に重なっている。光量センサ１６は、遮光部材である液晶ミラー１２の表面に配置されている。より詳細には、光量センサ１６は、液晶ミラー１２を後方から覆うように配置されている。液晶ミラー１２の状態が解除状態のとき、表示デバイス２から出射され最終反射部材５０から進行する反射光は、液晶ミラー１２と光量センサ１６とを透過して、筐体７０の外部に出射する。なお、光量センサ１６は、液晶ミラー１２の全面を覆っていなくてもよく、液晶ミラー１２の一部のみを覆っていてもよい。光量センサ１６及び液晶ミラー１２は、後壁８５の開口部８６に取り付けられている。
【０２７０】
上述の実施形態５では、液晶ミラー１２の状態が遮蔽状態のときは、筐体７０の外部からの光が光量センサ１６に到達しない。これに対して、本変形例１では、液晶ミラー１２の状態が遮蔽状態のときも、液晶ミラー１２の状態が解除状態のときも、筐体７０の外部からの光が光量センサ１６に到達する。
【０２７１】
駆動回路１３は、光量センサ１６の出力に基づく光量が第１の閾値よりも大きいと、液晶ミラー１２の状態を解除状態から遮蔽状態に切り替える。その後、駆動回路１３は、光量センサ１６の出力に基づく光量が第２の閾値よりも小さいと、液晶ミラー１２の状態を遮蔽状態から解除状態に切り替える。すなわち、本変形例１では、光量センサ１６の出力に応じて、液晶ミラー１２の状態を遮蔽状態から解除状態に切り替えることができる。
【０２７２】
第２の閾値は、第１の閾値と同じ値であってもよいし、第１の閾値よりも小さい値であってもよい。光量が第１の閾値近傍であったときに前者の場合に起こり得る、液晶ミラー１２の状態が遮蔽状態と解除状態との間で頻繁に切り替わる、いわゆるチャタリングを、後者の構成とすることにより抑制することができる。
【０２７３】
また、光量センサ１６が液晶ミラー１２の少なくとも一部に重なっているため、光量センサ１６の設置スペースを容易に確保できる。ただし、光量センサ１６が液晶ミラー１２の少なくとも一部に重なっていることは、必須ではない。光量センサ１６は、液晶ミラー１２の後方（Ｘ軸方向の負の向き側）の任意の位置に設置されていてもよい。また、光量センサ１６は、フォトダイオード、フォトトランジスタ、又はフォトレジスタ等であってもよいが、光量センサ１６が透光性を有していない場合は、光量センサ１６が液晶ミラー１２に重ならないことが好ましい。
【０２７４】
（５．２）変形例２
実施形態５の変形例２の表示システム１について図３２に基づいて説明する。
【０２７５】
本変形例２の表示システム１は、図３２に示すように、箱状部１７及びレンズ１８を更に備えている点で、上記の実施形態５と相違する。なお、箱状部１７及びレンズ１８以外は上記の実施形態５と同様の構成を有しているので、共通する構成要素には同一の符号を付してその説明は省略する。
【０２７６】
箱状部１７は、筐体７０に隣接して配置されている。より詳細には、箱状部１７は、筐体７０の上フード７９に隣接して配置されている。箱状部１７は、筐体７０と一体に形成されている。箱状部１７は、検知エリアＲ１側の一端に開口部１７０を有する。箱状部１７の形状は、筐体７０の形状と相似である。そのため、筐体７０への入射光量に比例して、箱状部１７への入射光量が変化する。つまり、箱状部１７への入射光量を光量センサ１６で検知することで、筐体７０への入射光量を擬似的に検知できる。なお、本開示でいう「相似」とは、２つの形状が完全に相似である場合だけではなく、許容される範囲内の誤差がある場合も含む。
【０２７７】
光量センサ１６は、箱状部１７に収容されている。光量センサ１６は、箱状部１７のうち開口部１７０側とは反対側の一端（底面）の付近に配置されている。最終反射部材５０が筐体７０の前端に配置されているのと同様に、光量センサ１６が箱状部１７の前端に配置されている。つまり、箱状部１７に対する光量センサ１６の配置は、筐体７０に対する最終反射部材５０の配置と対応する。本変形例２の光量センサ１６は、例えば、フォトダイオードである。
【０２７８】
レンズ１８は、例えば、合成樹脂を材料として形成されている。レンズ１８は、開口部１７０を覆うように配置されている。レンズ１８は、光量センサ１６に光を集光する。これにより、レンズ１８が無い場合と比較して、光量センサ１６に到達する光量を大きくできるので、開口部１７０における光量が比較的小さい場合であっても、光量センサ１６において光量を精度良く検知できる。
【０２７９】
上述の変形例１と同様に、液晶ミラー１２の状態が遮蔽状態のときも、液晶ミラー１２の状態が解除状態のときも、外光が光量センサ１６に到達する。駆動回路１３は、光量センサ１６の出力に基づく光量が第１の閾値よりも大きいと、液晶ミラー１２の状態を解除状態から遮蔽状態に切り替える。その後、駆動回路１３は、光量センサ１６の出力に基づく光量が第２の閾値よりも小さいと、液晶ミラー１２の状態を遮蔽状態から解除状態に切り替える。すなわち、本変形例２でも、変形例１と同様に、光量センサ１６の出力に応じて、液晶ミラー１２の状態を遮蔽状態から解除状態に切り替えることができる。
【０２８０】
（５．３）変形例３
実施形態５の変形例３の表示システム１について図３３に基づいて説明する。
【０２８１】
本変形例３の表示システム１は、図３３に示すように、光量センサ１６が、最終反射部材５０の前方に配置されている点で、上記の実施形態５と相違する。なお、光量センサ１６の配置以外は上記の実施形態と同様の構成を有しているので、共通する構成要素には同一の符号を付してその説明は省略する。
【０２８２】
光量センサ１６は、最終反射部材５０に対してハーフミラー４０とは反対側の位置に配置されている。
【０２８３】
最終反射部材５０において、入射光の一部は最終反射部材５０を透過する。可視光に対する最終反射部材５０の透過率は、例えば、１０％程度である。最終反射部材５０を透過した可視光は、光量センサ１６に到達する。駆動回路１３は、光量センサ１６の出力に基づく光量が所定値よりも大きいと、液晶ミラー１２の状態を解除状態から遮蔽状態に切り替える。なお、表示システム１は、光量センサ１６の出力を増幅する増幅回路を備えていてもよい。
【０２８４】
また、駆動回路１３は、液晶ミラー１２の状態を解除状態から遮蔽状態に切り替えてから、所定の時間が経過すると、液晶ミラー１２の状態を遮蔽状態から解除状態に切り替える。これにより、駆動回路１３は光量センサ１６で検知される光量が低下したか否かを判断できる。
【０２８５】
本変形例３では、最終反射部材５０を透過する光の光量を光量センサ１６で検知するので、最終反射部材５０への入射光量の検知精度を向上させることができる。また、光量センサ１６が表示デバイス２からの光の光路の外に配置されるので、光量センサ１６の配置スペースを容易に確保できる。
【０２８６】
なお、最終反射部材５０は、可視光以外の波長の光を透過させてもよい。例えば、最終反射部材５０は、赤外線を透過させてもよい。そして、光量センサ１６は、赤外線の光量を検知してもよい。この構成では、太陽光等に含まれる赤外線は、最終反射部材５０を透過して、光量センサ１６で赤外線の光量が検知される。太陽光等が最終反射部材５０に入射して光量センサ１６で検知される赤外線の光量が比較的大きくなった場合、最終反射部材５０に到達した可視光の光量も比較的大きいと考えられる。駆動回路１３は、光量センサ１６で検知される赤外線の光量が所定値以上の場合に、液晶ミラー１２の状態を解除状態から遮蔽状態に切り替えてもよい。
【０２８７】
（５．４）変形例４
本実施形態では、ハーフミラー４０を蒸着タイプのビームスプリッタとしているが、ハーフミラー４０は蒸着タイプのビームスプリッタに限定されない。図３４に示すように、表示デバイス２を液晶パネルとし、表示面２１上にλ／４位相差フィルム２３を配置した上で、ハーフミラー４０を、平面ガラス４２上にワイヤーグリッドなどの反射型偏光素子４３とλ／４位相差フィルム４４とを積層した構成としてもよい。すなわち、図３４に示すハーフミラー４０は、反射型偏光フィルム（反射型偏光素子４３）とλ／４位相差フィルム４４との積層構造を有している。反射型偏光素子４３は、所定の振動方向の光を透過する。λ／４位相差フィルム４４は、ハーフミラー４０における入射光と出射光との間に電界振動方向において４分の１波長の位相差を発生させる。ここで、ハーフミラー４０を構成する反射型偏光素子４３は、例えばＳ偏光を反射し、Ｐ偏光を透過するような偏光素子である。このような構成を採用した場合、表示面２１から出射したＰ偏光は、表示面２１上のλ／４位相差フィルム２３によって円偏光に変換され、その後反射型偏光素子４３上のλ／４位相差フィルム４４によってＳ偏光に変換される。Ｓ偏光の光は反射型偏光素子４３でほとんどの光線が反射され、その反射光は反射型偏光素子４３上のλ／４位相差フィルム４４によって円偏光に変換される。円偏光の光は最終反射部材５０で反射された後、再び反射型偏光素子４３上のλ／４位相差フィルム４４に入射してＰ偏光に変換される。Ｐ偏光の光は反射型偏光素子４３でほとんどの光線が透過し、その透過光は観察者４００の目４０１に到達する。このような構成により蒸着タイプのビームスプリッタに比べて表示デバイス２からの光を効率よく観察者４００の目４０１に到達させることができる。
【０２８８】
なお、図３４に示す例において、実施形態４又は５のように、遮光部材８として液晶ミラー１２等の液晶が用いられる場合は、次のような構成を採用することが好ましい。すなわち、液晶が解除状態のとき、最終反射部材５０での反射光の偏光方向が、液晶に到達する際に、液晶の分子配列の方向に沿うように、ハーフミラー４０のλ／４位相差フィルム４４及び表示面２１上のλ／４位相差フィルム２３を含む反射光学系Ｂ１を設計する。また、液晶が遮蔽状態のとき、最終反射部材５０での反射光の偏光方向は、液晶に到達する際に、液晶の分子配列の方向と交差する。
【０２８９】
なお、変形例４の構成を上述した実施形態４に適用してもよく、変形例４と同様の効果を奏することができる。
【０２９０】
（５．５）変形例５
変形例５の表示システム１について図３５を参照して説明する。
【０２９１】
変形例５の表示システム１は、駆動回路（駆動部）１３が、外光に関する所定条件が成立する場合に、検知センサ１４の出力に応じた、遮光部材８（例えば液晶ミラー１２）の状態の切り替えを停止する点で、上記の実施形態５及びその変形例１〜４と相違する。
【０２９２】
この所定条件は、表示システム１の周囲の外光に関する条件であり、表示システム１を搭載した自動車１００の外部から最終反射部材５０に入射する外光（例えば太陽光等）に関する条件である。所定条件は、より具体的には、解除状態において最終反射部材５０に入射する外光に関する条件であり、例えば、解除状態において最終反射部材５０に入射する外光の光量が所定の許容範囲内であるか否かという条件を含む。ここで、光量の許容範囲は、「（４）実施形態４の変形例」で説明した許容範囲と同様であるので、その説明は省略する。
【０２９３】
所定条件が成立する場合、駆動回路（駆動部）１３が、検知センサ１４の出力に応じた、遮光部材８（例えば液晶ミラー１２）の状態の切り替えを停止しており、遮光部材８は現在の状態（つまり解除状態）を維持することができる。なお、本変形例では、最終反射部材５０に入射する外光の光量を直接測定するのではなく、駆動回路１３は、時間に関する時間情報と、自動車１００に関する車両情報のうち光量センサ１６で検知される光量に非関連の情報との少なくとも一方に基づいて、最終反射部材５０に入射する外光の光量が許容範囲内であるか否かを間接的に判断している。
【０２９４】
ここで、実施形態５及びその変形例１〜４では、表示システム１が自動車１００に搭載されている。そして、図３０〜図３３に示すように、検知センサ１４は、検知エリアＲ１側から入射する光量の少なくとも一部を検知する光量センサ１６を含んでいる。上記の所定条件は、時間に関する時間情報と、自動車１００に関する車両情報のうち（自動車１００の）周囲の光量に応じた自動車１００の動作と非関連の情報と、の少なくとも一方に基づいた条件である。なお、車両情報のうち周囲の光量に応じた自動車１００の動作に関連する情報とは、周囲の光量に応じて動作状態が切り替わる機器の動作状態に関する情報を含み、例えば、「（４）実施形態４の変形例」で説明した点灯情報等を少なくとも含む。前照灯等の灯火が点灯している場合、光量センサ１６で検知される光量は必ず所定値以下になる。したがって、光量センサ１６で検知される光量に基づいた判定処理を行うのであれば、点灯情報に基づく所定条件が成立するか否かを判定する必要がない。したがって、駆動回路１３は、時間に関する時間情報と、車両情報のうち周囲の光量に応じた自動車１００の動作と非関連の情報と、の少なくとも一方に基づいた所定条件が成立するか否かを判定する。そして、所定条件が成立する場合、駆動回路１３は、光量センサ１６の出力に応じた、遮光部材８の状態の切り替えを停止し、所定条件が不成立の場合に、駆動回路１３は、光量センサ１６の出力に応じた、遮光部材８の状態の切り替えを行う。
【０２９５】
ここで、時間情報は、例えば、現在の時刻を表す情報を少なくとも含む。時間情報は、時刻の情報に加えて、現在の日、季節等を表す情報を含んでもよい。この時間情報は、例えば自動車１００が備えるＥＣＵ又はＧＰＳ等から取得される。
【０２９６】
車両情報には、「（４）実施形態４の変形例」で説明した複数種類の情報が含まれる。ここで、複数種類の車両情報のうち、前照灯等の灯火の点灯情報は、周囲の光量に応じた自動車１００の動作に関連した情報である。したがって、複数種類の車両情報のうち、周囲の光量に応じた自動車１００の動作に非関連の情報は、「（４）実施形態４の変形例」で説明した降雨関連情報、現在地情報、進行方向情報、及び傾斜角情報のうちの少なくとも１つを含む情報である。
【０２９７】
上記の所定条件は、「（４）実施形態４の変形例」と同様に、昼間に比べて自然光が少ない夜間であるという条件であってもよい。駆動回路１３は、夜間であるという条件が成立すると、光量センサ１６の出力に応じた液晶ミラー１２の状態の切り替えを停止する。具体的には、駆動回路１３は、時間情報に基づく現在の時刻が、日の入時刻から日の出時刻までの夜間の時間帯に含まれるという条件が成立すると、光量センサ１６の出力に応じた液晶ミラー１２の状態の切り替えを停止する。ここで、日の入時刻及び日の出時刻は、固定の時間でもよいが、駆動回路１３が、時間情報に含まれる日又は季節の情報に基づいて、日の入時刻及び日の出時刻を設定してもよい。また、駆動回路１３は、時間情報に含まれる日又は季節の情報と、現在地情報が示す現在位置の情報とに基づいて、日の入時刻及び日の出時刻を設定してもよい。
【０２９８】
また、上記の所定条件は、例えば、晴天時及び曇天時に比べて自然光が少ない雨降りであるという条件であってもよく、駆動回路１３は、雨が降っているという条件が成立すると、光量センサ１６の出力に応じた液晶ミラー１２の状態の切り替えを停止する。具体的には、駆動回路１３は、車両情報に含まれる降雨関連情報に基づいて雨が降っていると判断すると、光量センサ１６の出力に応じた液晶ミラー１２の状態の切り替えを停止する。
【０２９９】
また、上記の所定条件は、例えば、太陽の高度（仰角）が、最終反射部材５０に太陽光が入射可能な高度の最大値（基準角度）よりも大きいという条件であってもよい。太陽の高度（仰角）が基準角度よりも大きければ、自動車１００の窓から太陽光が入射しても、最終反射部材５０に太陽光が入射しにくくなると想定される。したがって、駆動回路１３は、時間情報（時刻及び日の情報）と現在地情報（現在地の緯度及び経度）とに基づいて太陽の高度を推定し、太陽の高度の推定結果が基準角度よりも大きいという条件が成立すれば、光量センサ１６の出力に応じた液晶ミラー１２の状態の切り替えを停止する。ここにおいて、所定条件は、自動車１００の傾斜角度（例えばピッチ角）を更に考慮した条件でもよい。すなわち、駆動回路１３は、太陽の高度（仰角）の推定結果に自動車１００のピッチ角を足した角度が基準角度よりも大きいという条件が成立した場合、光量センサ１６の出力に応じた液晶ミラー１２の状態の切り替えを停止してもよい。
【０３００】
また、上記の所定条件は、例えば、自動車１００の姿勢（進行方向、及び自動車１００が傾斜角度等）が、自動車１００の外部からの自然光（例えば太陽光）が最終反射部材５０に入射しにくいような姿勢であるという条件であってもよい。換言すれば、上記の所定条件は、最終反射部材５０の位置から自動車１００の窓（後部又は側方の窓）を通して見える範囲に太陽が存在しないという条件であってもよい。具体的には、駆動回路１３は、車両情報に含まれる進行方向情報に基づいて自動車１００が南側（つまり太陽の方向）を向いている場合は、最終反射部材５０に自然光が入射しにくい姿勢であるという条件が成立したと判断する。なお、駆動回路１３は、時間情報及び現在地情報に基づいて太陽の方位角を推定した結果と進行方向情報とに基づいて、自動車１００が太陽の方向を向いている場合は、最終反射部材５０に自然光が入りにくい姿勢であるという条件が成立したと判断してもよい。
【０３０１】
また、駆動回路１３は、車両情報に含まれる傾斜角情報に基づいて、最終反射部材５０に太陽光が入射しにくい姿勢であるという条件が成立しているか否かを判断してもよい。例えば、自動車１００が上り坂を走行中であれば、自動車１００の前部が上向きになるので、最終反射部材５０に太陽光が入射しにくくなると想定される。一方、自動車１００が下り坂を走行中であれば、自動車１００の前部が下向きになるので、最終反射部材５０に太陽光が入射しやすくなると想定される。したがって、駆動回路１３は、車両情報に含まれる傾斜角情報（ピッチ角の情報）に基づいて、ピッチ角が所定の判定角度（例えば０度）よりも大きければ、最終反射部材５０に太陽光が入射しにくい姿勢であるという条件が成立していると判断する。
【０３０２】
ここで、駆動回路１３が、外光に関する所定条件が成立する場合に、検知センサ１４（光量センサ１６）の出力に応じた、遮光部材８（例えば液晶ミラー１２）の状態の切り替えを停止する動作を図３５に基づいて説明する。
【０３０３】
駆動回路１３は、所定のタイミングで（例えば、所定の判定時間が経過するごとに）、所定条件が成立しているか否かを判定する（Ｓ１１）。この所定条件は、本変形例で説明した複数の条件のうちの少なくとも１つを含む。
【０３０４】
処理Ｓ１１において所定条件が不成立であると判定された場合（Ｓ１１：Ｙｅｓ）、駆動回路１３は、光量センサ１６によって検知された光量が所定値よりも大きいか否かを判断する（Ｓ１２）。
【０３０５】
処理Ｓ１２において光量センサ１６によって検知された光量が所定値以下の場合（Ｓ１２：Ｙｅｓ）、駆動回路１３は、液晶ミラー１２の切替状態を現状の状態に維持する（Ｓ１４）。これにより、観察者４００の好みに応じた現在の切替状態（解除状態または遮光状態）を維持することができる。
【０３０６】
処理Ｓ１２において光量センサ１６によって検知された光量が所定値よりも大きい場合（Ｓ１２：Ｎｏ）、駆動回路１３は、液晶ミラー１２の状態を遮蔽状態に制御する（Ｓ１５）。遮蔽状態では、観察者４００は、液晶ミラー１２の反射面による反射像を視認することができる。また、液晶ミラー１２が遮蔽状態に制御された状態では、外光が最終反射部材５０に入射するのを抑制できる。
【０３０７】
また、処理Ｓ１１において所定条件が成立していると判定された場合（Ｓ１１：Ｎｏ）、駆動回路１３は、例えば光量センサ１６の出力を無視することで、光量センサ１６の出力に応じた、遮光部材８（液晶ミラー１２）の状態の切り替えを停止する（Ｓ１３）。これにより、表示システム１は、遮光部材８の状態（例えば解除状態）を維持することができ、光量センサ１６の誤検知によって遮光部材８の状態が切り替えられる可能性を低減できる。また、所定条件が成立している場合は、遮光部材８（液晶ミラー１２）の状態の切り替えを停止するので、観察者４００の好みに応じた状態（解除状態または遮光状態）を維持することができる。
【０３０８】
駆動回路１３は、上記のＳ１１〜Ｓ１５の処理を繰り返し実行しており、所定条件が成立した場合は、光量センサ１６の出力に応じた、遮光部材８（液晶ミラー１２）の状態の自動切り替えを停止することができる。
【０３０９】
なお、図３５に示すフローチャートは、本実施形態に係る表示システム１が遮光部材８の状態を切り替える切り替え方法の一例に過ぎず、処理の順序が適宜変更されてもよいし、処理が適宜追加又は省略されてもよい。
【０３１０】
なお、図３５に示すフローチャートでは、処理Ｓ１４において、液晶ミラー１２の切替状態を維持しているが、解除状態に切り替えるようにしてもよい。
【０３１１】
なお、実施形態５で説明した構成（変形例を含む）は、実施形態１、２又は３で説明した構成（変形例を含む）と適宜組み合わせて適用可能である。実施形態１、２又は３において、制御回路７が、光量センサ１６の検知結果に基づいて、駆動部であるアクチュエータ６を制御し、遮光部材８の状態を解除状態と遮蔽状態とのいずれかに切り替えてもよい。また、実施形態１、２又は３において、制御回路７が、物体センサ１５の検知結果と光量センサ１６の検知結果とに基づいて、駆動部であるアクチュエータ６を制御し、遮光部材８の状態を解除状態と遮蔽状態とのいずれかに切り替えてもよい。
【０３１２】
（６）その他の変形例
以下に列挙する変形例は、上述の実施形態１〜５（それらの変形例を含む）の一部又は全部に適宜適用することができる。
【０３１３】
表示システム１は、自動車１００に適用されるものに限らず、例えば、二輪車、自転車、フォークリフト、電車、航空機、建設機械、及び船舶等、自動車１００以外の移動体に適用されてもよい。また、表示システム１は、移動体に適用されるものに限らず、例えば、アミューズメント機器の表示などに適用されてもよい。
【０３１４】
また、表示システム１が自動車１００に適用される場合に、表示システム１は、運転者が視認できる範囲に設置されるものに限らない。表示システム１は、例えば、後部座席又は助手席に着席している人が視認できる範囲に設置されてもよい。
【０３１５】
また、上述の実施形態１では、ミラー部材６０が矩形であるが、図３６に示すように、ミラー部材６０の角における、二隅又は四隅をアール形状とし、筐体７０の角にも、ミラー部材６０のアール形状に沿うようなアール形状を形成してもよい。なお、図３６では突起６４及びガイド溝７７の図示を省略しているが、突起及びガイド溝の位置及び形状は、第１位置と第２位置との間でミラー部材６０が移動可能なように、適宜変更が可能である。このような構成により、助手席側から筐体７０を見た時の圧迫感を低減することができる。なお、上述の実施形態２〜５においても、ミラー部材６０の角における、二隅又は四隅をアール形状とし、筐体７０の角にも、ミラー部材６０のアール形状に沿うようなアール形状を形成してもよい。
【０３１６】
上述の実施形態１〜５において、反射光学系Ｂ１は、最終反射部材５０での反射光が、ハーフミラー４０を透過するのではなく、ハーフミラー４０で反射されることで観察者４００の目４０１に入射するように構成されていてもよい。つまり、最終反射部材５０での反射光はハーフミラー４０を介して観察者４００の目４０１に入射すればよい。
【０３１７】
上述の実施形態４又は５において、検知センサ１４は、表示システム１の構成に含まれていなくてもよい。
【０３１８】
検知センサ１４は、筐体７０に保持されるセンサに限定されない。検知センサ１４は、例えば、自動車１００の移動体本体１１０（天井部分１０１等）に保持されてもよい。
【０３１９】
検知センサ１４は、自動車１００の移動体本体１１０（天井部分１０１等）に保持された撮像部を含んでいてもよい。撮像部は、自動車１００の外部を撮像する撮像部４（図２参照）とは別に備えられる。撮像部は、例えばＣＣＤイメージセンサ、又はＣＭＯＳイメージセンサ等の二次元イメージセンサである。駆動回路１３は、撮像部で撮像された画像に基づいて、検知エリアＲ１における物体Ｏ１の存否を判定してもよい。
【０３２０】
検知センサ１４の物体センサ１５は、検知エリアＲ１において物体Ｏ１が移動している場合に、物体Ｏ１の存在を検知してもよい。すなわち、物体センサ１５は、静止している物体Ｏ１は検知しないように構成されていてもよい。このような物体センサ１５は、例えば、マイクロ波等の電磁波のドップラー効果を利用したドップラセンサにより実現できる。
【０３２１】
検知センサ１４は、複数のセンサを含んでいてもよい。検知センサ１４は、例えば、筐体７０の幅方向（左右方向）に並んだ、フォトダイオード等の光量センサ１６を複数含んでいてもよい。これにより、検知センサ１４の検知精度の向上を図ることができる。
【０３２２】
検知センサ１４は、筐体７０の内部において、筐体７０の下面又は上面に沿って配置されてもよい。例えば、図２６では物体センサ１５が筐体７０の下面に沿って配置されるが、物体センサ１５は、筐体７０の上面に沿って配置されてもよい。また、図３０では光量センサ１６が筐体７０の内部において筐体７０の上面に沿って配置されるが、光量センサ１６は、筐体７０の内部において筐体７０の下面に沿って配置されてもよい。
【０３２３】
上述の実施形態４又は５において、駆動部（例えば、駆動回路１３）は、検知センサ１４の出力に応じて、筐体７０の向きを変えてもよい。表示システム１は、例えば、筐体７０の向きを変える駆動力を発生させるアクチュエータを備えていてもよい。駆動回路１３は、検知センサ１４の出力に応じて液晶ミラー１２の状態を変化させる際に、アクチュエータの動作を制御することで筐体７０の向きを変えてもよい。アクチュエータは、例えば、筐体７０を支持するボールジョイントなどの支持部材７２を回転駆動することで、筐体７０の向きを変える。駆動回路１３は、例えば、液晶ミラー１２の状態が遮蔽状態から解除状態になったとき、運転者が筐体７０を奥行き方向（前後方向）から視認できる向きに筐体７０の向きを変えてもよい。これにより、運転者は、表示システム１に表示される画像を正面視できる。また、駆動回路１３は、例えば、液晶ミラー１２の状態が解除状態から遮蔽状態になったとき、運転者が筐体７０を奥行き方向（前後方向）に対して斜め向きに視認できる向きに筐体７０の向きを変えてもよい。これにより、運転者から見て、液晶ミラー１２に自動車１００の後方の像を映すことができる。
【０３２４】
また、駆動部（例えば、駆動回路１３）は、検知センサ１４の出力に応じて、筐体７０の向きを、運転者ごとに定められた向きに変えてもよい。つまり、運転者ごとにアイボックスの高さが異なるので、筐体７０の向きを運転者ごとに適した向きにしてもよい。駆動部は、例えば、運転者が個別に所持する自動車の電子キーから識別情報を読み取り、電子キーの識別情報に基づいて運転者を識別すればよい。表示システム１は、運転者ごとの筐体７０の向きを予め設定するための設定操作部を備えていてもよい。
【０３２５】
なお、筐体７０の向きが変わると、筐体７０に取り付けられた検知センサ１４の向きも変わるので、検知センサ１４の検知エリアＲ１が変わり得る。そこで、検知センサ１４は、複数のセンサを含んでいてもよい。例えば、検知センサ１４は、２つのセンサを備えていてもよい。筐体７０の向きに応じて２つのセンサを使い分けることで、検知センサ１４は、一定の検知エリアＲ１の状態を検知できる。すなわち、２つのセンサのうち一方は、液晶ミラー１２の状態が遮蔽状態であって筐体７０の向きが第１の向きのときに、検知エリアＲ１の状態を検知する。２つのセンサのうち他方は、液晶ミラー１２の状態が解除状態であって筐体７０の向きが第２の向きのときに、検知エリアＲ１の状態を検知する。
【０３２６】
また、筐体７０の向きが変わる場合に、検知センサ１４の検知範囲を、制限手段により制限することで、検知センサ１４により一定の検知エリアＲ１の状態を検知してもよい。例えば、検知センサ１４が光量センサ１６を含む場合に、光量センサ１６は、２つの開口部（制限手段）を有するケースに収容される。光量センサ１６は、液晶ミラー１２の状態が遮蔽状態であって筐体７０の向きが第１の向きのときに、２つの開口部のうち一方を通して入射した光の光量を検知する。また、光量センサ１６は、液晶ミラー１２の状態が解除状態であって筐体７０の向きが第２の向きのときに、２つの開口部のうち他方を通して入射した光の光量を検知する。なお、２つの開口部にはそれぞれ、レンズが取り付けられていてもよい。また、筐体７０の向きに応じて２つの開口部のうち一方を開放し、他方を閉じてもよい。
【０３２７】
また、駆動部（例えば、駆動回路１３）は、筐体７０の向きを変えることに代えて、遮光部材８（例えば、液晶ミラー１２）の向きを変えてもよい。
【０３２８】
検知センサ１４が物体センサ１５としてのＰＳＤを含む場合に、駆動回路１３は、ＰＳＤの出力に応じて、液晶ミラー１２の状態を遮蔽状態から解除状態に切り替えてもよい。ＰＳＤは、例えば、２つの赤外発光ダイオードを有する。ＰＳＤは、基本的には、次のようにして、検知エリアＲ１における物体Ｏ１の存否を検知するために用いられる。すなわち、ＰＳＤは、一方の赤外発光ダイオードから照射される赤外線の反射波の強度と、他方の赤外発光ダイオードから照射される赤外線の反射波の強度との差分に基づいて、物体Ｏ１の位置を検知する。ここで、駆動回路１３は、２つの強度の差分に代えて算出した、２つの強度の和に応じて、液晶ミラー１２の状態を遮蔽状態から解除状態に切り替えてもよい。具体的には、駆動回路１３は、２つの強度の和が所定値以下の場合に、液晶ミラー１２の状態を遮蔽状態から解除状態に切り替えてもよい。
【０３２９】
駆動部（例えば、駆動回路１３）は、遮光部材８（例えば、液晶ミラー１２）の状態を切り替えてから、所定時間の間、検知センサ１４の出力に関わらず、切替後の状態を維持させてもよい。これにより、遮光部材８の状態が短時間の間に続けて変化することを抑制できる。
【０３３０】
駆動部（例えば、駆動回路１３）は、検知センサ１４の出力に加えて、時間に関する条件に更に基づいて、遮光部材８（例えば、液晶ミラー１２）の状態を切り替えてもよい。例えば、駆動回路１３は、検知センサ１４としての光量センサ１６で検知された光量が所定値よりも大きい状態が、所定時間継続すると、液晶ミラー１２の状態を解除状態から遮蔽状態に切り替えてもよい。
【０３３１】
駆動部（例えば、駆動回路１３）は、特定の時間帯には、検知センサ１４の出力に関わらず、遮光部材８（例えば、液晶ミラー１２）の状態を解除状態にしてもよい。特定の時間帯は、例えば、太陽光が照射される可能性が低い時間帯（例えば、１９時〜翌５時）である。また、駆動部は、自動車１００の外の明るさが所定の明るさ以上の場合に、検知センサ１４の出力に関わらず、遮光部材８の状態を解除状態にしてもよい。自動車１００の外の明るさは、例えば、表示システム１とは別に自動車１００に搭載された光量センサで検知される。
【０３３２】
表示デバイス２は、光量センサ１６で検知された光量に応じて、表示面２１の明るさを調整してもよい。例えば、光量センサ１６で検知された光量が大きいほど、表示面２１の明るさを明るくすることで、表示面２１からの光が出射される液晶ミラー１２又はハーフミラー４０の映り込みを低減させてもよい。
【０３３３】
遮光部材８として液晶ミラー１２を用いる場合に、表示システム１は、液晶ミラー１２の状態を遮蔽状態と解除状態との間で切り替えるための操作を受け付ける状態操作部を備えていてもよい。駆動回路１３は、状態操作部への操作に応じて、液晶ミラー１２の印加電圧を変更することで、液晶ミラー１２の状態を遮蔽状態と解除状態との間で切り替える。このような構成により、液晶ミラー１２の状態の切り替えを、駆動回路１３が自動で行うだけでなく、ユーザ（運転者等）の操作により行うことができる。
【０３３４】
上述の実施形態４又は５において、遮光部材８として、液晶ミラー１２に代えて、液晶シャッタを用いてもよい。液晶シャッタにおける光の透過率は、印加電圧に応じて変化する。液晶シャッタは、液晶ミラー１２とは異なり、遮蔽状態のとき、観察者４００側の面（外面１２００）は、鏡面とはならず、可視光を吸収又は散乱する。
【０３３５】
上述の実施形態４又は５において、遮光部材８として、光を常に吸収又は散乱する部材を用いてもよい。例えば、遮光部材８として、黒色の板を用いてもよい。また、検知エリアＲ１を、観察者４００（運転者等）から見て表示システム１で表示される画像が物体Ｏ１により遮られる位置に制限してもよい。そして、検知エリアＲ１における物体Ｏ１の存在が検知された場合に、遮光部材８の状態を解除状態から遮蔽状態に切り替えてもよい。つまり、遮光部材８が解除状態であったとしても表示システム１で表示される画像を観察者４００が視認できない場合にのみ、遮光部材８の状態を遮蔽状態に切り替え可能としてもよい。
【０３３６】
（まとめ）
以上説明したように、第１の態様の表示システム（１）は、表示面（２１）を有する表示デバイス（２）と、最終反射部材（５０）を少なくとも含む反射光学系（Ｂ１）と、筐体（７０）と、遮光部材（８）と、を備える。最終反射部材（５０）は、表示デバイス（２）の表示面（２１）から出射した光が直接的又は間接的に入射し、入射した光を観察者（４００）の目（４０１）に向かって反射する。筐体（７０）は、表示デバイス（２）と反射光学系（Ｂ１）とを保持する。遮光部材（８）は、最終反射部材（５０）への入射光、又は、最終反射部材（５０）での反射光の少なくとも一部を遮蔽する遮蔽状態と、遮蔽状態を解除する解除状態とのいずれかの状態で筐体（７０）に保持される。遮蔽状態では、遮光部材（８）が、筐体（７０）に入射する外光を観察者（４００）の目（４０１）に向かって反射する。筐体（７０）は、遮蔽状態及び解除状態のいずれの状態でも遮光部材（８）を保持する保持構造（２００）を有している。
【０３３７】
この態様によれば、表示デバイス（２）による表示に異常が発生した場合でも代替の表示が可能で、前方の視認性の低下を抑制可能な表示システム（１）を提供することができる。
【０３３８】
第２の態様の表示システム（１）では、第１の態様において、反射光学系（Ｂ１）は、ハーフミラー（４０）を更に含む。表示デバイス（２）の表示面（２１）から出射した光はハーフミラー（４０）を介して最終反射部材（５０）に入射し、最終反射部材（５０）での反射光はハーフミラー（４０）を透過して観察者（４００）の目（４０１）に入射する。
【０３３９】
この態様によれば、ハーフミラー（４０）と最終反射部材（５０）とで少なくとも２回反射することで、光路長を長くしながらも、小型化を図ることができる。
【０３４０】
第３の態様の表示システム（１）では、第１の態様において、筐体（７０）には、遮光部材（８）として、一方の面が反射面（６１）である板状のミラー部材（６０）が設けられる。ミラー部材（６０）の状態は、ミラー部材（６０）のスライド動作と回転動作によって、第１状態と第２状態とのいずれかに切り替えられる。第１状態は、最終反射部材（５０）から観察者（４００）の目（４０１）に入射する光の光路外の第１位置にミラー部材（６０）が配置される解除状態である。第２状態は、最終反射部材（５０）と観察者（４００）との間の第２位置に反射面（６１）を観察者（４００）に向けた状態でミラー部材（６０）が配置され、筐体（７０）の外部からの光を反射面（６１）で反射した反射像を観察者（４００）の目（４０１）に表示させる遮蔽状態である。
【０３４１】
この態様によれば、表示デバイス（２）による表示に異常が発生した場合でも代替の表示が可能で、前方の視認性の低下を抑制可能な表示システム（１）を提供することができる。
【０３４２】
第４の態様の表示システム（１）では、第３の態様において、反射光学系（Ｂ１）は、ハーフミラー（４０）を更に含む。表示デバイス（２）の表示面（２１）から出射した光はハーフミラー（４０）を介して最終反射部材（５０）に入射し、最終反射部材（５０）での反射光はハーフミラー（４０）を透過して観察者（４００）の目（４０１）に入射する。
【０３４３】
この態様によれば、ハーフミラー（４０）と最終反射部材（５０）とで少なくとも２回反射することで、光路長を長くしながらも、小型化を図ることができる。
【０３４４】
第５の態様の表示システム（１）では、第４の態様において、ミラー部材（６０）において、反射面（６１）と反対側の面は、少なくとも可視光領域の光の反射率が反射面（６１）よりも低い遮光面（６２）である。第１状態は、ミラー部材（６０）の遮光面（６２）が、ハーフミラー（４０）と対向する状態である。
【０３４５】
この態様によれば、第１の状態においてミラー部材（６０）の遮光面（６２）に筐体（７０）の外部から入射した光が、遮光面（６２）とハーフミラー（４０）とで反射されて観察者（４００）の目（４０１）に入射するのを抑制できる。
【０３４６】
第６の態様の表示システム（１）では、第５の態様において、遮光面（６２）は、少なくとも可視光領域の光の吸収と散乱の少なくとも一方を行う。
【０３４７】
この態様によれば、第１状態において筐体（７０）の外部から遮光面（６２）に入射した光が、遮光面（６２）とハーフミラー（４０）とで反射されて観察者（４００）の目（４０１）に入射するのを抑制できる。
【０３４８】
第７の態様の表示システム（１）では、第４〜６のいずれかの態様において、反射光学系（Ｂ１）が、表示デバイス（２）の表示面（２１）から出射した光をハーフミラー（４０）に向かって反射する中間反射部材（９０）を更に含む。
【０３４９】
この態様によれば、表示デバイス（２）による表示に異常が発生した場合でも代替の表示が可能で、前方の視認性の低下を抑制可能な表示システム（１）を提供することができる。
【０３５０】
第８の態様の表示システム（１）では、第４〜７のいずれかの態様において、表示デバイス（２）は液晶パネルを有する。表示面（２１）には、入射光と出射光との間に電界振動方向において４分の１波長の位相差を発生させる第１のλ／４位相差フィルム（２３）が設けられている。ハーフミラー（４０Ａ）は、所定の振動方向の光を透過する反射型偏光フィルム（４３）と、第２のλ／４位相差フィルム（４４）と、の積層構造を有する。第２のλ／４位相差フィルム（４４）は、ハーフミラー（４０Ａ）における入射光と出射光との間に電界振動方向において４分の１波長の位相差を発生させる。
【０３５１】
この態様によれば、表示デバイス（２）からの光を効率よく観察者（４００）の目（４０１）に到達させることができる。
【０３５２】
第９の態様の表示システム（１）では、第３〜８のいずれかの態様において、保持構造（２００）は、突起（６４，７５１）と、ガイド溝（７７，６５）と、を含む。突起（６４，７５１）は、筐体（７０）とミラー部材（６０）との一方に設けられる。ガイド溝（７７，６５）は、筐体（７０）とミラー部材（６０）との他方に設けられて、突起（６４，７５１）が挿入される。ガイド溝（７７，６５）の内部で突起（６４，７５１）の位置が変化することによって、ミラー部材（６０）の状態が第１状態と第２状態とのいずれかに切り替えられる。
【０３５３】
この態様によれば、ガイド溝（７７，６５）に沿って突起（６４，７５１）が移動することによって、ミラー部材（６０）を第１位置と第２位置との間で移動させることができる。
【０３５４】
第１０の態様の表示システム（１）では、第９の態様において、保持構造（２００）は、ガイド溝（７７）に挿入されガイド溝（７７）に沿ってスライド移動するガイド部材（７８）を更に含み、ガイド部材（７８）に突起（６４）が回転可能な状態で支持されている。
【０３５５】
この態様によれば、ガイド部材（７８）をガイド溝（７７）に沿ってスムーズに移動させることができる。
【０３５６】
第１１の態様の表示システム（１）では、第３〜９のいずれかの態様において、ミラー部材（６０）の状態を、第１状態及び第２状態のそれぞれで保持する状態保持部材（８０）を更に備える。
【０３５７】
この態様によれば、第１状態及び第２状態のそれぞれでミラー部材（６０）の位置ががたつくのを抑制できる。
【０３５８】
第１２の態様の表示システム（１）では、第１１の態様において、状態保持部材（８０）は、ミラー部材（６０）と筐体（７０）との少なくとも一方に設けられた磁石（８１）を含む。ミラー部材（６０）の状態が、磁石（８１）の磁力によって、第１状態及び第２状態のそれぞれで保持される。
【０３５９】
この態様によれば、第１状態及び第２状態のそれぞれでミラー部材（６０）の位置ががたつくのを抑制できる。
【０３６０】
第１３の態様の表示システム（１）では、第１２の態様において、磁石（８１）は電磁石である。
【０３６１】
この態様によれば、第１状態及び第２状態のそれぞれでミラー部材（６０）の位置ががたつくのを抑制できる。
【０３６２】
第１４の態様の表示システム（１）では、第１１の態様において、状態保持部材（８０）は、筐体（７０）とミラー部材（６０）との一方に設けられたボールプランジャ（８３）を含む。筐体（７０）とミラー部材（６０）との他方には、ボールプランジャ（８３）のボール部（８３１）が挿入される受け穴（８４）が設けられる。ミラー部材（６０）の状態が、ボール部（８３１）が受け穴（８４）に挿入されることによって、第１状態及び第２状態のそれぞれで保持される。
【０３６３】
この態様によれば、第１状態及び第２状態のそれぞれでミラー部材（６０）の位置ががたつくのを抑制できる。
【０３６４】
第１５の態様の表示システム（１）では、第３〜１４のいずれかの態様において、ミラー部材（６０）の状態を第１状態と第２状態とのいずれかに手動で切り替えるための操作部（６３）を更に備える。
【０３６５】
この態様によれば、表示デバイス（２）による表示に異常が発生した場合でも代替の表示が可能で、前方の視認性の低下を抑制可能な表示システム（１）を提供することができる。
【０３６６】
第１６の態様の表示システム（１）では、第１５の態様において、操作部（６３）を用いてミラー部材（６０）が第１位置から動かされると、ミラー部材（６０）の状態が、ミラー部材（６０）の自重によって第１状態から第２状態に切り替わる。
【０３６７】
この態様によれば、表示デバイス（２）による表示に異常が発生した場合でも代替の表示が可能で、前方の視認性の低下を抑制可能な表示システム（１）を提供することができる。
【０３６８】
第１７の態様の表示システム（１）では、第３〜１６のいずれかの態様において、ミラー部材（６０）を第１位置と第２位置との間で移動させるアクチュエータ（６）を更に備える。
【０３６９】
この態様によれば、表示デバイス（２）による表示に異常が発生した場合でも代替の表示が可能で、前方の視認性の低下を抑制可能な表示システム（１）を提供することができる。
【０３７０】
第１８の態様の表示システム（１）では、第１７の態様において、アクチュエータ（６）はモータを含む。モータを制御する制御回路（７）は、表示デバイス（２）による表示の異常を示す異常信号が入力されると、モータを駆動してミラー部材（６０）を第１位置から第２位置に移動させる。
【０３７１】
この態様によれば、表示デバイス（２）による表示に異常が発生した場合でも代替の表示が可能で、前方の視認性の低下を抑制可能な表示システム（１）を提供することができる。
【０３７２】
第１９の態様に係る表示システム（１）では、第１７又は第１８の態様において、表示システム（１）は、自動車（１００）に搭載される。自動車（１００）が走行に関する機能を停止した停止状態において、アクチュエータ（６）がミラー部材（６０）を第２位置に移動させる。
【０３７３】
この態様によれば、自動車（１００）が停止状態のとき、物体（Ｏ１）が光により熱せられる可能性を低減できる。
【０３７４】
第２０の態様に係る表示システム（１）では、第１の態様において、筐体（７０）には、遮光部材（８）として、一方の面が反射面である板状のミラー部材（６０Ａ）が設けられる。保持構造（２００）は、最終反射部材（５０）を更に保持する。保持構造（２００）は、最終反射部材（５０）及びミラー部材（６０Ａ）を、ミラー部材（６０Ａ）の反射面（６１Ａ）と最終反射部材（５０）の反射面（５１）とを互いに反対側に向けた状態で、筐体（７０）に対して回転可能な状態で保持している。ミラー部材（６０Ａ）の反射面（６１Ａ）の中心点（Ｐ１）における法線（Ｌ１）と、最終反射部材（５０）の反射面（５１）の中心点（Ｐ２）における法線（Ｌ２）とが非平行である。
【０３７５】
この態様によれば、ミラー部材（６０Ａ）及び最終反射部材（５０）を筐体（７０）に対して１８０度回転させることで、解除状態と遮蔽状態とを切り替えることができる。
【０３７６】
第２１の態様に係る表示システム（１）では、第２０の態様において、保持構造（２００）は、筐体（７０）に対して回転可能な状態で保持された回転体（２１０）を含む。回転体（２１０）に最終反射部材（５０）とミラー部材（６０Ａ）とが保持されている。回転体（２１０）は、解除状態では観察者（４００）に最終反射部材（５０）の反射面（５１）を対向させる第１回転位置に回転し、遮蔽状態では観察者（４００）にミラー部材（６０Ａ）の反射面（６１Ａ）を対向させる第２回転位置に回転する。
【０３７７】
この態様によれば、回転体（２１０）を第１回転位置又は第２回転位置に回転させることで、解除状態又は遮蔽状態に切り替えることができる。
【０３７８】
第２２の態様に係る表示システム（１）では、第２１の態様において、回転体（２１０）は、ミラー部材（６０Ａ）の反射面（６１Ａ）の中心点（Ｐ１）における法線（Ｌ１）と、最終反射部材（５０）の反射面（５１）の中心点（Ｐ２）における法線（Ｌ２）とが非平行となる状態で、ミラー部材（６０Ａ）と最終反射部材（５０）とを保持している。
【０３７９】
この態様によれば、回転体（２１０）を１８０度回転させることで、解除状態と遮蔽状態とを切り替えることができる。
【０３８０】
第２３の態様に係る表示システム（１）では、第１の態様において、筐体（７０）には、遮光部材（８）として、一方の面が反射面である板状のミラー部材（６０Ａ）が設けられる。保持構造（２００）は、筐体（７０）に対して回転可能な状態で保持された回転体（２１０）を含む。回転体（２１０）は、ミラー部材（６０Ａ）の反射面（６１Ａ）と最終反射部材（５０）の反射面（５１）とが互いに反対側を向き、かつ、ミラー部材（６０Ａ）の反射面（６１Ａ）の中心点（Ｐ１）における法線（Ｌ１）と、最終反射部材（５０）の反射面（５１）の中心点（Ｐ２）における法線（Ｌ２）とが平行となる状態で、ミラー部材（６０Ａ）と最終反射部材（５０）とを保持している。回転体（２１０）は、解除状態では観察者（４００）に最終反射部材（５０）の反射面（５１）を対向させる第１回転位置に回転し、遮蔽状態では観察者（４００）にミラー部材（６０Ａ）の反射面（６１Ａ）を対向させる第２回転位置に回転する。第１回転位置と第２回転位置との間で回転体（２１０）が回転する角度が１８０度以外の所定の角度である。
【０３８１】
この態様によれば、回転体（２１０）を所定の角度回転させることで、解除状態と遮蔽状態とを切り替えることができる。
【０３８２】
第２４の態様に係る表示システム（１）では、第２１〜第２３のいずれかの態様において、回転体（２１０）は、１以上の別のミラー部材（３２０）を更に保持する。別のミラー部材（３２０）の反射面（３２１）の中心点（Ｐ３）における法線（Ｌ３）が、最終反射部材（５０）の反射面（５１）の中心点（Ｐ２）における法線（Ｌ２）、及び、ミラー部材（６０Ａ）の反射面（６１Ａ）の中心点（Ｐ１）における法線（Ｌ１）の各々に対して非平行である。
【０３８３】
この態様によれば、別のミラー部材（３２０）が観察者（４００）に対向する回転位置に回転体（２１０）を回転させることによって、別のミラー部材（３２０）による反射像を表示することができる。
【０３８４】
第２５の態様に係る表示システム（１）では、第２１〜第２３のいずれかの態様において、回転体（２１０）は、回転軸（２１１）の軸方向と交差する断面の形状が四角形である四角柱である。回転体（２１０）において、回転軸（２１１）の軸方向に沿う４つの側面には、２つの最終反射部材（５０）と、２つのミラー部材（６０Ａ）とが交互に配置されている。
【０３８５】
この態様によれば、遮蔽状態及び解除状態に切り替えるために回転体（２１０）を回転させる回転角度を１８０度よりも小さくできる。
【０３８６】
第２６の態様に係る表示システム（１）では、第２１〜第２５のいずれかの態様において、ミラー部材（６０Ａ）は平面鏡であり、ミラー部材（６０Ａ）に対して光が入射する側に透光性を有する防眩ミラー（３２２）が配置される。回転体（２１０）の回転軸（２１１）の軸方向から見て、ミラー部材（６０Ａ）の反射面（６１Ａ）の中心点（Ｐ１）における法線（Ｌ１）と、防眩ミラー（３２２）の反射面（３２３）の中心点（Ｐ３）における法線（Ｌ３）とが非平行になるように、ミラー部材（６０Ａ）と防眩ミラー（３２２）とが回転体（２１０）に保持されている。
【０３８７】
この態様によれば、防眩ミラー（３２２）によって観察者（４００）の方向に光が反射される回転位置に回転体（２１０）を回転させることによって、防眩ミラー（３２２）による反射像を表示することができる。
【０３８８】
第２７の態様に係る表示システム（１）は、第２１〜第２６のいずれかの態様において、回転体（２１０）を、第１回転位置と第２回転位置との間で移動させるアクチュエータ（６）を更に備える。
【０３８９】
この態様によれば、アクチュエータ（６）を用いて、回転体（２１０）を、第１回転位置と第２回転位置との間で移動させることができる。
【０３９０】
第２８の態様に係る表示システム（１）では、第２１〜第２７のいずれかの態様において、反射光学系（Ｂ１）は、ハーフミラー（４０）を更に含む。表示デバイス（２）の表示面（２１）から出射した光はハーフミラー（４０）を介して最終反射部材（５０）に入射し、最終反射部材（５０）での反射光はハーフミラー（４０）を透過して観察者（４００）の目（４０１）に入射することで映像を表示する。ハーフミラー（４０）は、所定の振動方向の光を透過する反射型偏光フィルム（４３）と、ハーフミラー（４０）における入射光と出射光との間に電界振動方向において４分の１波長の位相差を発生させる第１のλ／４位相差フィルム（４４）と、の積層構造を有する。筐体（７０）には、遮光部材（８）として、一方の面が反射面（６１Ａ）である板状のミラー部材（６０Ａ）が設けられる。解除状態では、最終反射部材（５０）から観察者（４００）の目（４０１）に入射する光の光路外の第１位置にミラー部材（６０Ａ）が配置される。遮蔽状態では、最終反射部材（５０）と観察者（４００）との間に反射面を観察者（４００）に向けた状態でミラー部材（６０Ａ）が配置される。ミラー部材（６０Ａ）の表面に、ミラー部材（６０Ａ）における入射光と出射光との間に電界振動方向において４分の１波長の位相差を発生させる第２のλ／４位相差フィルム（６６）が設けられている。
【０３９１】
この態様によれば、表示デバイス（２）からの光を効率よく観察者（４００）の目（４０１）に到達させることができる。
【０３９２】
第２９の態様に係る表示システム（１）は、第１の態様において、所定の検知エリアにおける状況を検知する検知センサ（１４）の出力に応じて、遮光部材（８）の状態を解除状態から遮蔽状態に切り替える駆動部（駆動回路（１３）又はアクチュエータ（６））を更に備える。
【０３９３】
この態様によれば、検知エリア（Ｒ１）における状況に応じて、駆動部（駆動回路（１３）又はアクチュエータ（６））は、遮光部材（８）の状態を解除状態から遮蔽状態に切り替える。この場合、検知エリア（Ｒ１）に存在する物体（Ｏ１）が光により熱せられる可能性を低減できる。
【０３９４】
第３０の態様に係る表示システム（１）では、第２９の態様において、最終反射部材（５０）での反射光の光路が検知エリア（Ｒ１）を通り、検知センサ（１４）は、検知エリア（Ｒ１）における物体（Ｏ１）の存否を検知する物体センサ（１５）を含む。駆動部（駆動回路（１３）又はアクチュエータ（６））は、物体センサ（１５）が検知エリア（Ｒ１）における物体（Ｏ１）の存在を検知すると、遮光部材（８）の状態を解除状態から遮蔽状態に切り替える。
【０３９５】
この態様によれば、検知エリア（Ｒ１）における状況に応じて、駆動部（駆動回路（１３）又はアクチュエータ（６））は、遮光部材（８）の状態を解除状態から遮蔽状態に切り替える。この場合、検知エリア（Ｒ１）に存在する物体（Ｏ１）が光により熱せられる可能性を低減できる。
【０３９６】
第３１の態様に係る表示システム（１）では、第３０の態様において、物体センサ（１５）は、筐体（７０）に保持される。
【０３９７】
この態様によれば、表示システム（１）を構成する表示デバイス（２）等と物体センサ（１５）とを、筐体（７０）に集約することができる。
【０３９８】
第３２の態様に係る表示システム（１）では、第３０又は第３１の態様において、物体センサ（１５）は、検知エリア（Ｒ１）において物体（Ｏ１）が移動している場合に、物体（Ｏ１）の存在を検知する。
【０３９９】
この態様によれば、物体センサ（１５）が物体（Ｏ１）の存否を誤検知する可能性を低減できる。
【０４００】
第３３の態様に係る表示システム（１）では、第２９〜３２のいずれかの態様において、反射光学系（Ｂ１）は、ハーフミラー（４０）を更に含む。表示デバイス（２）の表示面（２１）から出射した光はハーフミラー（４０）を介して最終反射部材（５０）に入射し、最終反射部材（５０）での反射光はハーフミラー（４０）を透過して観察者（４００）の目（４０１）に入射することで映像を表示する。
【０４０１】
この態様によれば、ハーフミラー（４０）と最終反射部材（５０）とで少なくとも２回反射することで、光路長を長くしながらも、小型化を図ることができる。
【０４０２】
第３４の態様に係る表示システム（１）では、第３３の態様において、遮光部材（８）の状態が遮蔽状態である場合に、遮光部材（８）は、ハーフミラー（４０）が遮光部材（８）と最終反射部材（５０）との間に位置するように配置される。
【０４０３】
この態様によれば、遮光部材（８）と最終反射部材（５０）との間の空間をハーフミラー（４０）の配置スペースとして有効に利用できる。
【０４０４】
第３５の態様に係る表示システム（１）では、第３３又は３４の態様において、ハーフミラー（４０）は、反射型偏光フィルム（４３）と、λ／４位相差フィルム（４４）と、の積層構造を有する。反射型偏光フィルム（４３）は、所定の振動方向の光を透過する。λ／４位相差フィルム（４４）は、ハーフミラー（４０）における入射光と出射光との間に電界振動方向において４分の１波長の位相差を発生させる。
【０４０５】
この態様によれば、ハーフミラー（４０）として蒸着タイプのビームスプリッタを用いる場合に比べて、表示デバイス（２）からの光を効率よく観察者（４００）の目（４０１）に到達させることができる。
【０４０６】
第３６の態様に係る表示システム（１）では、第２９〜第３５のいずれかの態様において、遮光部材（８）は、反射面（６１）を有する、光学ミラー（６０）である。反射面（６１）は、遮光部材（８）が遮蔽状態のとき最終反射部材（５０）での反射光の反射方向に光を反射する。
【０４０７】
この態様によれば、遮光部材（８）が遮蔽状態のとき、反射面（６１）に映る像を観察者（４００）が視認できる。
【０４０８】
第３７の態様に係る表示システム（１）では、第２９〜３６のいずれかの態様において、検知センサ（１４）は、光量センサ（１６）を含む。光量センサ（１６）は、検知エリア（Ｒ１）側から入射する光量の少なくとも一部を検知する。
【０４０９】
この態様によれば、駆動部（駆動回路（１３）又はアクチュエータ（６））は、光量センサ（１６）で検知された光量に応じて、遮光部材（８）の状態を解除状態から遮蔽状態に切り替えることができる。そのため、検知エリア（Ｒ１）に存在する物体（Ｏ１）が光により熱せられる可能性を更に低減できる。
【０４１０】
第３８の態様に係る表示システム（１）は、第３７の態様において、レンズ（１８）を更に備える。レンズ（１８）は、光量センサ（１６）に光を集光する。
【０４１１】
この態様によれば、光量センサ（１６）に入射する光量が比較的小さい場合であっても、光量を精度良く検知できる。
【０４１２】
第３９の態様に係る表示システム（１）では、第３７又は３８の態様において、光量センサ（１６）は、筐体（７０）の内部において、筐体（７０）の下面又は上面に沿って配置される。
【０４１３】
この態様によれば、光量センサ（１６）の配置スペースを容易に確保できる。
【０４１４】
第４０の態様に係る表示システム（１）は、第３７又は第３８の態様において、箱状部（１７）を更に備える。箱状部（１７）は、筐体（７０）に隣接して配置される。箱状部（１７）は、検知エリア（Ｒ１）側の一端に開口部（１７０）を有する。光量センサ（１６）は、箱状部（１７）に収容されている。
【０４１５】
この態様によれば、光量センサ（１６）の配置スペースを容易に確保できる。
【０４１６】
第４１の態様に係る表示システム（１）では、第３７又は第３８の態様において、光量センサ（１６）は、遮光部材（８）の表面に配置される。
【０４１７】
この態様によれば、光量センサ（１６）の配置スペースを容易に確保できる。
【０４１８】
第４２の態様に係る表示システム（１）では、第２９〜第４１のいずれかの態様において、遮光部材（液晶ミラー（１２））は、最終反射部材（５０）での反射光の光路上に配置される。遮光部材（液晶ミラー（１２））における光の透過率は、検知センサ（１４）の出力に応じて変化する。
【０４１９】
上記の構成によれば、遮光体（液晶ミラー（１２））の印加電圧を変更することで、遮光体の状態を解除状態と遮蔽状態との間で容易に切り替えることができる。
【０４２０】
第４３の態様に係る表示システム（１）では、第２９〜第４２のいずれかの態様において、駆動部（駆動回路（１３）又はアクチュエータ（６））は、検知センサ（１４）の出力に応じて、筐体（７０）の向きを変える。
【０４２１】
この態様によれば、遮光部材（８）の状態が解除状態のときと遮蔽状態のときとで、筐体（７０）の向きを、ユーザ（観察者（４００））にとって利便性が高い向きに変えられる。例えば、遮光体の状態が解除状態のとき、筐体（７０）の向きを、ユーザ（観察者（４００））が映像を見やすい向きにすることができる。
【０４２２】
第４４の態様に係る表示システム（１）では、第２９〜４３のいずれかの態様において、駆動部（駆動回路（１３）又はアクチュエータ（６））は、所定条件が成立する場合は、検知センサ（１４）の出力に応じた、遮光部材（８）の状態の切り替えを停止する。所定条件は、外光に関する情報である。
【０４２３】
この態様によれば、所定条件が成立する場合、駆動部は、検知センサ（１４）の出力に応じた遮光部材（８）の状態の切り替えを停止するので、検知センサ（１４）の誤検知によって遮光部材（８）の状態が切り替えられる可能性を低減できる。
【０４２４】
第４５の態様に係る表示システム（１）では、第４４の態様において、表示システム（１は自動車（１００）に搭載される。最終反射部材（５０）での反射光の光路が検知エリア（Ｒ１）を通り、検知センサ（１４）は、検知エリア（Ｒ１）における物体の存否を検知する物体センサ（１５）を含む。所定条件は、時間に関する時間情報と、自動車（１００）に関する車両情報と、の少なくとも一方に基づいた条件である。
【０４２５】
この態様によれば、時間情報と車両情報との少なくとも一方に基づく所定条件が成立する場合、駆動部は、物体センサ（１５）の出力に応じた遮光部材（８）の状態の切り替えを停止する。したがって、物体センサ（１５）の誤検知によって遮光部材（８）の状態が切り替えられる可能性を低減できる。
【０４２６】
第４６の態様に係る表示システム（１）では、第４４の態様において、表示システム（１）は自動車（１００）に搭載される。検知センサ（１４）は、検知エリア（Ｒ１）側から入射する光量の少なくとも一部を検知する光量センサ（１６）を含む。所定条件は、時間に関する時間情報と、自動車（１００）に関する車両情報のうち周囲の光量に応じた自動車（１００）の動作と非関連の情報と、の少なくとも一方に基づいた条件である。
【０４２７】
この態様によれば、時間情報と、車両情報のうち光量センサ（１６）で検知される光量に基づく駆動部の切替制御が必要である情報と、の少なくとも一方に基づく所定条件が成立する場合、駆動部は、光量センサ（１６）の出力に応じた遮光部材（８）の状態の切り替えを停止する。したがって、光量センサ（１６）の誤検知によって遮光部材（８）の状態が切り替えられる可能性を低減できる。
【０４２８】
第１の態様以外の構成については、表示システム（１）に必須の構成ではなく、適宜省略可能である。
【０４２９】
第４７の態様に係る電子ミラーシステム（５）は、第１〜第４６のいずれかの態様の表示システム（１）と、撮像部（４）と、を備える。表示デバイス（２）は、撮像部（４）によって撮影される画像を表示面（２１）に表示する。
【０４３０】
この態様によれば、表示デバイス（２）による表示に異常が発生した場合でも代替の表示が可能で、前方の視認性の低下を抑制可能な表示システム（１）を備えた電子ミラーシステム（５）を提供することができる。
【０４３１】
第４８の態様に係る移動体（自動車（１００））は、第４７の態様に係る電子ミラーシステム（５）と、電子ミラーシステム（５）を搭載する移動体本体（１１０）と、を含む。
【０４３２】
この態様によれば、表示デバイス（２）による表示に異常が発生した場合でも代替の表示が可能で、前方の視認性の低下を抑制可能な表示システム（１）を備えた移動体を提供することができる。
【符号の説明】
【０４３３】
１  表示システム
２  表示デバイス
３  反射部材
４  撮像部
５  電子ミラーシステム
６  アクチュエータ
７  制御回路
８  遮光部材
１２  液晶ミラー
１３  駆動回路
１４  検知センサ
１５  物体センサ
１６  光量センサ
１７  箱状部
１８  レンズ
２１  表示面
２３  第１のλ／４位相差フィルム
４０  ハーフミラー
４３  反射型偏光フィルム
４４  第２のλ／４位相差フィルム
５０  最終反射部材
５１  反射面
６０，６０Ａ  ミラー部材（第１ミラー部材，光学ミラー）
６１，６１Ａ  反射面
６２  遮光面
６３  操作部
６４  突起
６５  ガイド溝
７０  筐体
７７  ガイド溝
７８  ガイド部材
８０  状態保持部材
８１  磁石
８３  ボールプランジャ
８４  穴
９０  中間反射部材
１００  自動車
１１０  移動体本体
１７０  開口部
２００  保持構造
２１０  回転体
２１１  回転軸
３２０  ミラー部材（別のミラー部材）
３２１  反射面
３２２  防眩ミラー（別のミラー部材）
３２３  反射面
４００  観察者
４０１  目
７５１  突起
８３１  ボール部
Ｂ１  反射光学系
Ｌ１，Ｌ２，Ｌ３  法線
Ｏ１  物体
Ｐ１，Ｐ２，Ｐ３  中心点
Ｒ１  検知エリア
【図１】
0006902723.tif 000002
【図２】
0006902723.tif 000003
【図３】
0006902723.tif 000004
【図４】
0006902723.tif 000005
【図５】
0006902723.tif 000006
【図６】
0006902723.tif 000007
【図７】
0006902723.tif 000008
【図８】
0006902723.tif 000009
【図９】
0006902723.tif 000010
【図１０】
0006902723.tif 000011
【図１１】
0006902723.tif 000012
【図１２】
0006902723.tif 000013
【図１３】
0006902723.tif 000014
【図１４】
0006902723.tif 000015
【図１５】
0006902723.tif 000016
【図１６】
0006902723.tif 000017
【図１７】
0006902723.tif 000018
【図１８】
0006902723.tif 000019
【図１９】
0006902723.tif 000020
【図２０】
0006902723.tif 000021
【図２１】
0006902723.tif 000022
【図２２】
0006902723.tif 000023
【図２３】
0006902723.tif 000024
【図２４】
0006902723.tif 000025
【図２５】
0006902723.tif 000026
【図２６】
0006902723.tif 000027
【図２７】
0006902723.tif 000028
【図２８】
0006902723.tif 000029
【図２９】
0006902723.tif 000030
【図３０】
0006902723.tif 000031
【図３１】
0006902723.tif 000032
【図３２】
0006902723.tif 000033
【図３３】
0006902723.tif 000034
【図３４】
0006902723.tif 000035
【図３５】
0006902723.tif 000036
【図３６】
0006902723.tif 000037